(57)【要約】  本開示は、吸入器の使用を促すのに用いることができるシステム、方法、および装置に関する。
2017523862.tif 000002
【特許請求の範囲】
【請求項１】
少なくとも一本の流路が内部に配設された筐体と、
上記筐体内に配設され、上記少なくとも一本の流路と動作可能に連結している少なくとも一つのポートであって、少なくとも二つの剤貯蔵部と上記少なくとも一本の流路とを流体連通させるよう構成された少なくとも一つのポートと、
上記少なくとも一本の流路と動作可能に連結している１つ以上のセンサと、
上記少なくとも二つの剤貯蔵部がそれぞれ上記少なくとも一つのポートと動作可能に連結している場合に、上記少なくとも二つの剤貯蔵部それぞれからの少なくとも一つの剤の少なくとも部分的な放出を独立して促すよう構成された、少なくとも一つのアクチュエータと、
上記１つ以上のセンサから情報を受け付けるよう構成された、１つ以上の制御ユニットであって、上記１つ以上のセンサから受け取った上記情報に応じて、上記少なくとも一つのアクチュエータの動作を制御する、１つ以上の制御ユニットと、を備えた吸入器。
【請求項２】
上記少なくとも一本の流路と動作可能に連結している上記１つ以上のセンサは、１つ以上の呼吸パラメータと関連する１つ以上の値を算定するよう構成された少なくとも一つのセンサを含む、請求項１に記載の吸入器。
【請求項３】
上記少なくとも一本の流路と動作可能に連結している上記１つ以上のセンサは、少なくとも一つの流量センサを含む、請求項１に記載の吸入器。
【請求項４】
上記少なくとも二つの剤貯蔵部がそれぞれ上記少なくとも一つのポートと動作可能に連結している場合に、上記少なくとも二つの剤貯蔵部それぞれからの少なくとも一つの剤の少なくとも部分的な放出を独立して促すよう構成された、上記少なくとも一つのアクチュエータは、
エアゾールキャニスタ内容物放出機構を有する少なくとも一つのアクチュエータを含む、請求項１に記載の吸入器。
【請求項５】
上記１つ以上のセンサから情報を受け付けるよう構成された、上記１つ以上の制御ユニットであって、上記１つ以上のセンサから受け取った上記情報に応じて、上記少なくとも一つのアクチュエータの動作を制御する、上記１つ以上の制御ユニットは、
上記１つ以上のセンサから受け取った上記情報に応じて、上記少なくとも一つのアクチュエータに命令して第１貯蔵部からの少なくとも部分的な剤放出を促すよう構成され、かつ、上記第１貯蔵部からの少なくとも部分的な放出に続いて、第２貯蔵部からの少なくとも部分的な剤放出を促すよう構成された、１つ以上の制御ユニットを含む、請求項１に記載の吸入器。
【請求項６】
上記１つ以上のセンサから情報を受け付けるよう構成された、上記１つ以上の制御ユニットであって、上記１つ以上のセンサから受け取った上記情報に応じて、上記少なくとも一つのアクチュエータの動作を制御する、上記１つ以上の制御ユニットは、
１つ以上の呼吸パラメータと関連する少なくとも一つの値が１つ以上の閾値を満たすか超える場合に、上記少なくとも一つのアクチュエータに命令して少なくとも一つの貯蔵部からの少なくとも部分的な放出を促すよう構成された、１つ以上の制御ユニットを含む、請求項１に記載の吸入器。
【請求項７】
上記１つ以上のセンサから情報を受け付けるよう構成された、上記１つ以上の制御ユニットであって、上記１つ以上のセンサから受け取った上記情報に応じて、上記少なくとも一つのアクチュエータの動作を制御する、上記１つ以上の制御ユニットは、
対象者に対して投与された少なくとも一つの剤の量と関連する情報を受け取り、続いて、１つ以上のアクチュエータに命令して、上記少なくとも一つの剤を含む少なくとも一つの貯蔵部からの少なくとも部分的な放出を、上記剤のあらかじめ選択された量が上記対象者に投与されるまで促すよう構成された、１つ以上の制御ユニットを含む、請求項１に記載の吸入器。
【請求項８】
少なくとも一つの貯蔵部をさらに備えた、請求項１に記載の吸入器。
【請求項９】
１つ以上の動作インジケータをさらに備えた、請求項１に記載の吸入器。
【請求項１０】
上記１つ以上の動作インジケータは、１つ以上の呼吸パラメータと関連する１つ以上の値を示すよう構成された１つ以上の動作インジケータを含む、請求項９に記載の吸入器。
【請求項１１】
対象者による吸入器の使用と関連する１つ以上のパラメータを算定するよう構成された回路と、
上記吸入器の使用と関連した上記１つ以上のパラメータの算定に応じて少なくとも１種の活性剤を上記対象者に投与するよう構成された回路と、
上記少なくとも１種の活性剤の投与と連携して、上記対象者に少なくとも１種の刺激剤を投与するよう構成された回路と、を備えたシステム。
【請求項１２】
対象者による吸入器の使用と関連する１つ以上のパラメータを算定するよう構成された上記回路は、
呼吸と関連する１つ以上のパラメータを算定するよう構成された回路を含む、請求項１１に記載のシステム。
【請求項１３】
対象者による吸入器の使用と関連する１つ以上のパラメータを算定するよう構成された上記回路は、
呼吸パラメータと関連する少なくとも一つの値が閾値を満たすか超えるかどうか評価するよう構成された回路を含む、請求項１１に記載のシステム。
【請求項１４】
上記吸入器の使用と関連した上記１つ以上のパラメータの算定に応じて少なくとも１種の活性剤を上記対象者に投与するよう構成された上記回路は、
呼吸パラメータと関連する少なくとも一つの値が閾値を満たすか超える場合に上記少なくとも１種の活性剤を上記対象者に投与するよう構成された回路を含む、請求項１１に記載のシステム。
【請求項１５】
上記少なくとも１種の活性剤の投与と連携して、上記対象者に少なくとも１種の刺激剤を投与するよう構成された上記回路は、
呼吸パラメータと関連する少なくとも一つの値が閾値を満たすか超える場合に上記少なくとも１種の刺激剤を上記対象者に投与するよう構成された回路を含む、請求項１１に記載のシステム。
【請求項１６】
上記対象者に指示して、１つ以上の呼吸パラメータと関連する１つ以上の値を達成させるよう構成された回路をさらに備えた、請求項１１に記載のシステム。
【請求項１７】
上記対象者と関連する１つ以上のパラメータと関連する情報を受け付けるよう構成された回路をさらに備えた、請求項１１に記載のシステム。
【請求項１８】
上記少なくとも１種の活性剤の上記対象者への投与と関連する１つ以上のパラメータを算定するよう構成された回路をさらに備えた、請求項１１に記載のシステム。
【請求項１９】
上記少なくとも１種の活性剤の上記対象者への投与と関連する１つ以上のパラメータを算定するよう構成された上記回路は、
上記対象者へ投与された上記少なくとも１種の活性剤の量を算定し、続いて、上記少なくとも１種の活性剤のあらかじめ選択された量が上記対象者に投与されるまで、上記少なくとも１種の活性剤の上記投与を繰り返すよう構成された回路を含む、請求項１８に記載のシステム。
【請求項２０】
非一時的信号保持媒体を備えたシステムであって、
上記非一時的信号保持媒体は、１つ以上の処理要素で実行されると複数のオペレーションの実施を命令する１つ以上の指示を保持し、上記複数のオペレーションは、少なくとも、
対象者による吸入器の使用と関連する１つ以上のパラメータを算定することと、
吸入器の使用と関連する１つ以上のパラメータを算定することに応じて、少なくとも１種の活性剤を上記対象者に投与することと、
上記少なくとも１種の活性剤の投与と連携して、上記少なくとも１種の刺激剤を上記対象者に投与することと、を含む、システム。
【請求項２１】
対象者による吸入器の使用と関連する１つ以上のパラメータを算定する工程と、
吸入器の使用と関連する１つ以上のパラメータを算定する工程に応じて、少なくとも１種の活性剤を上記対象者に投与する工程と、
上記少なくとも１種の活性剤の投与と連携して、上記少なくとも１種の刺激剤を上記対象者に投与する工程と、を含む、方法。
【請求項２２】
上記対象者による吸入器の使用と関連する１つ以上のパラメータを算定する工程は、呼吸と関連する１つ以上のパラメータを算定する工程を含む、請求項２１に記載の方法。
【請求項２３】
上記対象者による吸入器の使用と関連する１つ以上のパラメータを算定する工程は、呼吸パラメータと関連する少なくとも一つの値が閾値を満たすか超えるかどうか評価する工程を含む、請求項２１に記載の方法。
【請求項２４】
上記吸入器の使用と関連する１つ以上のパラメータを算定する工程に応じて、少なくとも１種の活性剤を上記対象者に投与する工程は、呼吸パラメータと関連する少なくとも一つの値が閾値を満たすか超える場合に上記少なくとも１種の活性剤を上記対象者に投与する工程を含む、請求項２１に記載の方法。
【請求項２５】
上記少なくとも１種の活性剤の投与と連携して、上記少なくとも１種の刺激剤を投与する工程は、上記少なくとも１種の活性剤が投与されたあとで上記少なくとも１種の刺激剤を投与する工程を含む、請求項２１に記載の方法。
【請求項２６】
上記少なくとも１種の活性剤の投与と連携して、上記少なくとも１種の刺激剤を投与する工程は、上記吸入器の使用と関連する呼吸パラメータと関連する少なくとも一つの値の算定に応じて上記少なくとも１種の刺激剤を投与する工程を含む、請求項２１に記載の方法。
【請求項２７】
上記少なくとも１種の活性剤の投与と連携して、上記少なくとも１種の刺激剤を投与する工程は、呼吸パラメータと関連する少なくとも一つの値が閾値を満たすか超える場合に上記少なくとも１種の刺激剤を上記対象者に投与する工程を含む、請求項２１に記載の方法。
【請求項２８】
上記対象者に指示して、１つ以上の呼吸パラメータと関連する１つ以上の値を達成させる工程をさらに含む、請求項２１に記載の方法。
【請求項２９】
上記少なくとも１種の活性剤を上記対象者に投与する工程と関連する１つ以上のパラメータを算定する工程をさらに含む、請求項２１に記載の方法。
【請求項３０】
上記少なくとも１種の活性剤を上記対象者に投与する工程と関連する１つ以上のパラメータを算定する工程は、
上記対象者へ投与された上記少なくとも１種の活性剤の量を算定し、続いて、上記少なくとも１種の活性剤のあらかじめ選択された量が上記対象者に投与されるまで、上記少なくとも１種の活性剤の上記投与を繰り返す工程を含む、請求項２９に記載の方法。
【発明の詳細な説明】
【発明の詳細な説明】
【０００１】
先行出願のすべての構成が、そのような構成が本願と矛盾しない程度に、参照によって本願に含まれる。
【０００２】
〔発明の概要〕
一つの態様において、吸入器は、少なくとも一本の流路が内部に配設された筐体と、上記筐体内に配設され、上記少なくとも一本の流路と動作可能に連結している少なくとも一つのポートであって、少なくとも二つの剤貯蔵部と上記少なくとも一本の流路とを流体連通させるよう構成された少なくとも一つのポートと、上記少なくとも一本の流路と動作可能に連結している１つ以上のセンサと、上記少なくとも二つの剤貯蔵部がそれぞれ上記少なくとも一つのポートと動作可能に連結している場合に、上記少なくとも二つの剤貯蔵部それぞれからの少なくとも一つの剤の少なくとも部分的な放出を独立して促すよう構成された、少なくとも一つのアクチュエータと、上記１つ以上のセンサから情報を受け付けるよう構成された、１つ以上の制御ユニットであって、上記１つ以上のセンサから受け取った上記情報に応じて、上記少なくとも一つのアクチュエータの動作を制御する、１つ以上の制御ユニットと、を備えるが、これに限定されるものではない。いくつかの実施形態において、吸入器は、少なくとも一つの貯蔵部を任意で備えてよい。いくつかの実施形態において、吸入器は、１つ以上の服用量カウンタを任意で備えてよい。いくつかの実施形態において、吸入器は、１つ以上の動作インジケータを任意で備えてよい。上記に加えて、請求項、図面、および明細書に記載されている吸入器の他の諸態様も、本開示の一部を成す。
【０００３】
一つの態様において、方法は、対象者による吸入器の使用と関連する１つ以上のパラメータを算定する工程と、対象者による吸入器の使用と関連する１つ以上のパラメータを算定する工程に応じて、少なくとも１種の活性剤を上記対象者に投与する工程と、上記少なくとも１種の活性剤の投与と連携して、上記少なくとも１種の刺激剤を投与する工程と、を含むが、これに限定されるものではない。いくつかの実施形態において、上記方法は、１つ以上の呼吸パラメータと関連する算定値と、当該１つ以上の呼吸パラメータと関連する１つ以上のレベルとの比較を表示する工程を任意で含んでよい。いくつかの実施形態において、上記方法は、上記対象者に指示して、１つ以上の呼吸パラメータと関連する１つ以上の値を達成させる工程を任意で含んでよい。いくつかの実施形態において、上記方法は、上記対象者と関連する１つ以上のパラメータと関連する情報を受け付ける工程を任意で含んでよい。いくつかの実施形態において、上記方法は、少なくとも一つの追加の剤を上記対象者に投与する工程を任意で含んでよい。いくつかの実施形態において、上記方法は、上記少なくとも１種の活性剤を上記対象者に投与する工程と関連する１つ以上のパラメータを算定する工程を任意で含んでよい。いくつかの実施形態において、上記方法は、上記少なくとも１種の刺激剤を上記対象者に投与する工程と関連する１つ以上のパラメータを算定する工程を任意で含んでよい。いくつかの実施形態において、上記方法は、上記少なくとも１種の活性剤を上記対象者に投与する工程と関連する上記１つ以上のパラメータに応じて、上記少なくとも１種の活性剤が運ばれた上記対象者の肺の領域における１つ以上の場所を予測する工程を任意で含んでよい。いくつかの実施形態において、上記方法は、上記少なくとも１種の刺激剤を上記対象者に投与する工程と関連する上記１つ以上のパラメータに応じて、上記少なくとも１種の刺激剤が運ばれた上記対象者の肺の領域における１つ以上の場所を予測する工程を任意で含んでよい。上記に加えて、請求項、図面、および明細書に記載されている方法の他の諸態様も、本開示の一部を成す。
【０００４】
一つの態様では、システムは、対象者による吸入器の使用と関連する１つ以上のパラメータを算定するよう構成された回路と、上記吸入器の使用と関連した上記１つ以上のパラメータの算定に応じて少なくとも１種の活性剤を上記対象者に投与するよう構成された回路と、上記少なくとも１種の活性剤の投与と連携して、上記対象者に少なくとも１種の刺激剤を投与するよう構成された回路と、を備えているが、これに限定されるものではない。いくつかの実施形態において、上記システムは、１つ以上の呼吸パラメータと関連する算定値と、当該１つ以上の呼吸パラメータと関連する１つ以上の閾値レベルとの比較を表示するよう構成された回路を任意で備えてよい。いくつかの実施形態において、上記システムは、上記対象者に指示して、１つ以上の呼吸パラメータと関連する１つ以上の値を達成させるよう構成された回路を任意で備えてよい。いくつかの実施形態において、上記システムは、上記対象者と関連する１つ以上のパラメータと関連する情報を受け付けるよう構成された回路を任意で備えてよい。いくつかの実施形態において、上記システムは、上記少なくとも１種の活性剤の上記対象者への投与と関連する１つ以上のパラメータを算定するよう構成された回路を任意で備えてよい。いくつかの実施形態において、上記システムは、上記少なくとも１種の刺激剤の上記対象者への投与と関連する１つ以上のパラメータを算定するよう構成された回路を任意で備えてよい。いくつかの実施形態において、上記システムは、上記少なくとも１種の活性剤の上記対象者への投与と関連する１つ以上のパラメータに応じて、上記少なくとも１種の活性剤が運ばれた上記対象者の肺の領域における１つ以上の場所を予測する回路を任意で備えてよい。いくつかの実施形態において、上記システムは、上記少なくとも１種の刺激剤の上記対象者への投与と関連する１つ以上のパラメータに応じて、上記少なくとも１種の刺激剤が運ばれた上記対象者の肺の領域における１つ以上の場所を予測する回路を任意で備えてよい。上記に加えて、請求項、図面、および明細書に記載されているシステムの他の諸態様も、本開示の一部を成す。
【０００５】
一つの態様では、システムは、対象者による吸入器の使用と関連する１つ以上のパラメータを算定するよう構成された手段と、上記吸入器の使用と関連した上記１つ以上のパラメータの算定に応じて少なくとも１種の製剤を上記対象者に投与するよう構成された手段と、上記少なくとも１種の活性剤の投与と連携して、上記対象者に少なくとも１種の刺激剤を投与するよう構成された手段と、を備えているが、これに限定されるものではない。いくつかの実施形態において、上記システムは、１つ以上の呼吸パラメータと関連する算定値と、当該１つ以上の呼吸パラメータと関連する１つ以上のレベルとの比較を表示するよう構成された手段を任意で備えてよい。いくつかの実施形態において、上記システムは、上記対象者に指示して、１つ以上の呼吸パラメータと関連する１つ以上の値を達成させるよう構成された手段を任意で備えてよい。いくつかの実施形態において、上記システムは、上記対象者と関連する１つ以上のパラメータと関連する情報を受け付けるよう構成された手段を任意で備えてよい。いくつかの実施形態において、上記システムは、上記少なくとも１種の活性剤の上記対象者への投与と関連する１つ以上のパラメータを算定するよう構成された手段を任意で備えてよい。いくつかの実施形態において、上記システムは、上記少なくとも１種の刺激剤の上記対象者への投与と関連する１つ以上のパラメータを算定するよう構成された手段を任意で備えてよい。いくつかの実施形態において、上記システムは、上記少なくとも１種の活性剤の上記対象者への投与と関連する１つ以上のパラメータに応じて、上記少なくとも１種の活性剤が運ばれた上記対象者の肺の領域における１つ以上の場所を予測する手段を任意で備えてよい。いくつかの実施形態において、上記システムは、上記少なくとも１種の刺激剤の上記対象者への投与と関連する１つ以上のパラメータに応じて、上記少なくとも１種の刺激剤が運ばれた上記対象者の肺の領域における１つ以上の場所を予測する手段を任意で備えてよい。上記に加えて、請求項、図面、および明細書に記載されているシステムの他の諸態様も、本開示の一部を成す。
【０００６】
一つの態様において、システムは、非一時的信号保持媒体を備えており、上記非一時的信号保持媒体は、１つ以上の処理要素で実行されると複数のオペレーションの実施を命令する１つ以上の指示を保持し、上記複数のオペレーションは、少なくとも、対象者による吸入器の使用と関連する１つ以上のパラメータを算定することと、対象者による吸入器の使用と関連する１つ以上のパラメータを算定することに応じて、少なくとも１種の活性剤を上記対象者に投与することと、上記少なくとも１種の活性剤の投与と連携して、上記少なくとも１種の刺激剤を投与することと、を含むが、これに限定されるものではない。いくつかの実施形態において、システムは、１つ以上の呼吸パラメータと関連する算定値と、当該１つ以上の呼吸パラメータと関連する１つ以上のレベルとの比較を表示することを少なくとも含むオペレーションの実施を命令する１つ以上の指示を任意で備えてよい。いくつかの実施形態において、システムは、上記対象者に指示して、１つ以上の呼吸パラメータと関連する１つ以上の値を達成させることを少なくとも含むオペレーションの実施を命令する１つ以上の指示を任意で備えてよい。いくつかの実施形態において、システムは、上記対象者と関連する１つ以上のパラメータと関連する情報を受け付けることを少なくとも含むオペレーションの実施を命令する１つ以上の指示を任意で備えてよい。いくつかの実施形態において、上記システムは、上記少なくとも１種の活性剤の上記対象者への投与と関連する１つ以上のパラメータを算定することを少なくとも含むオペレーションの実施を命令する１つ以上の指示を任意で備えてよい。いくつかの実施形態において、システムは、上記少なくとも１種の刺激剤の上記対象者への投与と関連する１つ以上のパラメータを算定することを少なくとも含むオペレーションの実施を命令する１つ以上の指示を任意で備えてよい。いくつかの実施形態において、システムは、上記少なくとも１種の活性剤の上記対象者への投与と関連する上記１つ以上のパラメータに応じて、上記少なくとも１種の活性剤が運ばれた上記対象者の肺の領域における１つ以上の場所を予測することを少なくとも含むオペレーションの実施を命令する１つ以上の指示を任意で備えてよい。いくつかの実施形態において、システムは、上記少なくとも１種の刺激剤の上記対象者への投与と関連する上記１つ以上のパラメータに応じて、上記少なくとも１種の刺激剤が運ばれた上記対象者の肺の領域における１つ以上の場所を予測することを少なくとも含むオペレーションの実施を命令する１つ以上の指示を任意で備えてよい。いくつかの実施形態において、システムは、コンピュータで読み取り可能な媒体を少なくとも含む非一時的信号保持媒体を任意で備えてよい。いくつかの実施形態において、システムは、記録媒体を少なくとも含む非一時的信号保持媒体を任意で備えてよい。いくつかの実施形態において、システムは、通信媒体を少なくとも含む非一時的信号保持媒体を任意で備えてよい。上記に加えて、請求項、図面、および明細書に記載されているシステムの他の諸態様も、本開示の一部を成す。
【０００７】
１つ以上のさまざまな様相において、手段は、本明細書で言及する機能的様相をもたらす回路および／またはプログラムを含むが、それに限定されるものではない。上記回路および／またはプログラムは、システム設計者の設計上の選択に基づき、本明細書で言及する機能的様相をもたらすよう構成されたハードウェア、ソフトウェア、および／またはファームウェアの事実上いかなる組み合わせでもよい。上記に加えて、請求項、図面、および明細書に記載されているシステムの他の諸態様も、本開示の一部を成す。
【０００８】
１つ以上のさまざまな様相において、関連するシステムは、本明細書で言及する方法の様相をもたらす回路および／またはプログラムを含むが、それに限定されるものではない。上記回路および／またはプログラムは、システム設計者の設計上の選択に基づき、本明細書で言及する方法の様相をもたらすよう構成されたハードウェア、ソフトウェア、および／またはファームウェアの事実上いかなる組み合わせでもよい。上記に加えて、請求項、図面、および明細書に記載されているシステムの他の諸態様も、本開示の一部を成す。
【０００９】
上記内容はまとめであり、したがって、詳細な内容の単純化、一般化、包摂、および／または省略を含みうる。それゆえ、当業者ならば、上記まとめはあくまでも例示的なものであり、いかなる点でも限定的であることを意図していないとわかるであろう。本明細書に記載した装置および／またはプロセスおよび／または他の構成は、本明細書の教示によって明らかになるであろう。
【００１０】
〔図面の簡単な説明〕
図１は、諸実施形態を実施しうるシステム１００の一例を示す図である。
【００１１】
図２は、諸実施形態を実施しうるシステム１００の諸要素の例を示す図である。
【００１２】
図３は、諸実施形態を実施しうるシステム１００の諸要素の例を示す図である。
【００１３】
図４は、諸実施形態を実施しうる吸入器４００の一例の部分側面断面図である。
【００１４】
図４Ａは、諸実施形態を実施しうる吸入器４００の一例の部分側面断面図である。
【００１５】
図４Ｂは、諸実施形態を実施しうる吸入器４００の一例の部分側面断面図である。
【００１６】
図５は、諸実施形態を実施しうる吸入器５００の一例の部分側面断面図である。
【００１７】
図６は、諸実施形態を実施しうる吸入器６００の一例の部分側面断面図である。
【００１８】
図６Ａは、諸実施形態を実施しうる吸入器６００の一例の部分側面断面図である。
【００１９】
図６Ｂは、諸実施形態を実施しうる吸入器６００の一例の部分側面断面図である。
【００２０】
図７は、諸実施形態を実施しうる吸入器７００の一例の部分側面断面図である。
【００２１】
図７Ａは、諸実施形態を実施しうる吸入器７００の一例の部分側面断面図である。
【００２２】
図７Ｂは、諸実施形態を実施しうる吸入器７００の一例の部分側面断面図である。
【００２３】
図８は、諸実施形態を実施しうる吸入器８００の一例の部分側面断面図である。
【００２４】
図８Ａは、諸実施形態を実施しうる吸入器８００の一例の部分側面断面図である。
【００２５】
図９は、諸実施形態を実施しうる吸入器９００の一例の部分側面断面図である。
【００２６】
図９Ａは、諸実施形態を実施しうる吸入器９００の一例の部分側面断面図である。
【００２７】
図９Ｂは、諸実施形態を実施しうる吸入器９００の一例の部分側面断面図である。
【００２８】
図１０は、諸実施形態を実施しうるオペレーションフロー１０００の一例を示す図である。
【００２９】
図１１は、諸実施形態を実施しうるオペレーションフロー１１００の一例を示す図である。
【００３０】
図１２は、諸実施形態を実施しうるオペレーションフロー１２００の一例を示す図である。
【００３１】
図１３は、諸実施形態を実施しうるオペレーションフロー１３００の一例を示す図である。
【００３２】
図１４は、諸実施形態を実施しうるオペレーションフロー１４００の一例を示す図である。
【００３３】
図１５は、諸実施形態を実施しうるオペレーションフロー１５００の一例を示す図である。
【００３４】
図１６は、諸実施形態を実施しうるオペレーションフロー１６００の一例を示す図である。
【００３５】
図１７は、諸実施形態を実施しうるオペレーションフロー１７００の一例を示す図である。
【００３６】
図１８は、諸実施形態を実施しうるオペレーションフロー１８００の一例を示す図である。
【００３７】
〔発明の詳細な説明〕
以下、添付された図面を本明細書の一部として参照しながら本発明を詳細に説明する。なお、別記しない限り、図面中、同様の符号は同様の要素を示す。また、発明の詳細な説明、図面、および請求項に記載された例示的な諸実施形態は限定的なものではない。本発明の精神または範囲を逸脱しない限りにおいて、別の実施形態を用いてもよく、変更を行ってもよい。
【００３８】
図１は、多数の諸実施形態を実施しうるシステム１００の一例を示している。いくつかの実施形態において、システム１００は吸入器として実施してよい。また、いくつかの実施形態において、システム１００は、少なくとも一つの流路１０４が内部に配設された筐体１０２を備えてもよい。いくつかの実施形態において、システム１００は、筐体１０２内に設けられた少なくとも一つのポート１０６を備え、ポート１０６は、少なくとも一つの流路１０４と動作可能に連結されているとともに、少なくとも二つの貯蔵部１２２と少なくとも一つの流路１０４とのあいだの流体連通を実現するように構成されてもよい。いくつかの実施形態において、システム１００は一つまたは複数のアクチュエータ１２０を備えてもよい。いくつかの実施形態において、システム１００は一つまたは複数の貯蔵部１２２を備えてもよい。いくつかの実施形態において、システム１００は一つまたは複数の服用量カウンタ１１８を備えてもよい。いくつかの実施形態において、システム１００は一つまたは複数の動作インジケータ１１６を備えてもよい。いくつかの実施形態において、システム１００は一つまたは複数の制御ユニット１０８を備えてもよい。いくつかの実施形態において、システム１００は一つまたは複数のセンサ１１４を備えてもよい。いくつかの実施形態において、システム１００は一つまたは複数のユーザインターフェース１１０を備えてもよい。いくつかの実施形態において、システム１００は一つまたは複数の信号１１２を有してもよい。
【００３９】
図２は、システム１００内に含まれてもよい諸要素の実施形態を例示している。図示された諸要素は、センサ１１４、動作インジケータ１１６、ユーザインターフェース１１０、筐体１０２を含む。
【００４０】
図３は、システム１００内に含まれてもよい諸要素の実施形態を例示している。図示された諸要素は、制御ユニット１０８、信号１１２、服用量カウンタ１１８、アクチュエータ１２０、貯蔵部１２２を含む。
【００４１】
＜筐体＞
いくつかの実施形態において、図１〜３を参照すると、システム１００は一つまたは複数の筐体１０２を備えてもよい。筐体１０２はさまざまな形式で構成されてもよい。いくつかの実施形態において、筐体は、吸入器に内包されるように構成されてもよい。いくつかの実施形態において、筐体１０２内に一つまたは複数の流路１０４が設けられていてもよい。いくつかの実施形態において、筐体１０２内に一つの流路１０４が設けられていてもよい。いくつかの実施形態において、筐体１０２内に複数の流路１０４が設けられていてもよい。例えば、いくつかの実施形態において、筐体１０２内には、活性剤２１４を吸入器を使用する対象者へ誘導するように構成された第１の流路１０４と、刺激剤２１８を上記対象者へ誘導するように構成された第２の流路１０４とが設けられていてもよい。
【００４２】
いくつかの実施形態において、筐体１０２内部には一つまたは複数のポート１０６が配設されていてよい。いくつかの実施形態において、筐体１０２内部には少なくとも一つのポート１０６が配設されており、当該少なくとも一つのポート１０６は、少なくとも一つの流路１０４と動作可能に連結されているとともに、少なくとも二つの貯蔵部１２２と少なくとも一つの流路１０４とのあいだの流体連通を実現するように構成されてよい。したがって、いくつかの実施形態において、ポート１０６は、一つまたは複数の貯蔵部１２２と動作可能に連結されているとともに、一つまたは複数の貯蔵部１２２から放出された内容物を、筐体１０２内に設けられた一つまたは複数の流路１０４内へ誘導するように構成されてもよい。いくつかの実施形態において、ポート１０６は、活性剤貯蔵部２１２から流路１０４内への、一つまたは複数の粉末状の活性剤２１４の運搬を促すように構成されてもよい。いくつかの実施形態において、ポート１０６は、刺激剤貯蔵部２１６から流路１０４内への、一つまたは複数の粉末状刺激剤２１８の運搬を促すように構成されてもよい。いくつかの実施形態において、ポート１０６は、粉末状の製剤を流路１０６内へ進ませるように構成されたアクチュエータ１２０と並んで配置されてもよい。例えば、いくつかの実施形態において、ポート１０６は、粉末状の製剤を貯蔵部１２２から流路１０４内へ進ませるために、ポート１０６をプッシュロッドアクチュエータ２５６が通過可能なように構成されてもよい。いくつかの実施形態において、ポート１０６は、貯蔵部１２２から流路１０４内への、一つまたは複数の霧化した製剤の運搬を促すように構成されてもよい。例えば、いくつかの実施形態において、ポート１０６は、キャニスタ本体と当該キャニスタ本体から流路１０４と並んで配置されたポート１０６内まで延伸したバルブステムとを備えたエアゾールキャニスタに、動作可能に連結されてもよい。いくつかの実施形態において、筐体１０２内部には少なくとも一つのポート１０６が配設されており、当該少なくとも一つのポート１０６は、少なくとも一つの流路１０４と動作可能に連結されているとともに、一つまたは複数の貯蔵部１２２を受けるように構成されてよい。いくつかの実施形態において、筐体１０２内部には二つ以上のポート１０６が配設されており、当該二つ以上のポート１０６は、少なくとも一つの流路１０４とそれぞれ動作可能に連結されているとともに、貯蔵部１２２をそれぞれ受けるように構成されてよい。いくつかの実施形態において、筐体１０２内部には一つのポート１０６が配設されており、当該一つのポート１０６は、少なくとも一つの流路１０４と動作可能に連結されているとともに、二つ以上の貯蔵部１２２を受けるように構成されてよい。ポート１０６は、一つまたは複数の貯蔵部１２２とポート１０６との動作可能な連結を可能にする複数種類のコネクタを備えてもよい。これらのコネクタの例としては、摩擦嵌合型コネクタ１８６、ネジ型コネクタ１８８、ルアーロック型コネクタ１９０などが挙げられるが、これらに限られるものではない。いくつかの実施形態において、ポート１０６は、動作可能に連結された一つまたは複数の貯蔵部１２２からの内容物の少なくとも部分的放出を促すことができるアクチュエータ１２０を備えてもよい。例えば、いくつかの実施形態において、ポート１０６は、動作可能に連結された貯蔵部１２２からの内容物の少なくとも部分的放出を促すために開閉する制御バルブ２５８を備えてもよい。いくつかの実施形態において、このような制御バルブ２５８は、当該制御バルブ２５８の動作を制御するように構成された制御ユニット１０８と動作可能に連結されていてもよい。いくつかの実施形態において、このような制御バルブ２５８は、センサ１１４と動作可能に連結されていてもよい。いくつかの実施形態において、このような制御バルブ２５８は、当該制御バルブ２５８の動作を制御するように構成されたセンサ１１４と動作可能に連結されていてもよい。いくつかの実施形態において、このような制御バルブ２５８は、当該制御バルブ２５８の動作を制御するように構成された制御ユニット１０８およびセンサ１１４と動作可能に連結されていてもよい。したがって、ポート１０６はさまざまな形式で構成され得る。
【００４３】
いくつかの実施形態において、筐体１０２は少なくとも一つの貯蔵部支持体１９２を備えてもよい。例えば、いくつかの実施形態において、筐体１０２は、キャニスタ本体と当該キャニスタ本体から延伸したバルブステムとを備えた少なくとも一つのエアゾールキャニスタを、ポート１０６に挿入された該バルブステムと共同で支持するように構成された少なくとも一つの貯蔵部支持体１９２を備えてもよい。いくつかの実施形態において、筐体１０２は、少なくとも一つの搬送駆動装置付きのコンベヤーを備えた少なくとも一つの貯蔵部１２２を支持するように構成された少なくとも一つの貯蔵部支持体１９２を備え、上記搬送駆動装置は、活性剤２１４または刺激剤２１８を充填した複数のブリスターパックを含んだブリスターストリップを前進させるように構成されてもよい。
【００４４】
いくつかの実施形態において、筐体１０２は、一つまたは複数の流路１０４と動作可能に連結された少なくとも一つのマウスピース２６８を備えてもよい。いくつかの実施形態において、マウスピース２６８は一つまたは複数のセンサ１１４と動作可能に連結されていてもよい。マウスピース２６８は、複数種類のセンサ１１４と動作可能に連結されていてもよい。このようなセンサ１１４の例としては、例えば光学センサ１２６、体積センサ１２８、圧力センサ１３０、真空センサ１３２、タイマー１３４、位相ドップラー干渉計１３６、速度計１３８、超音波流量計１４０などが挙げられるが、これらに限られない。いくつかの実施形態において、マウスピース２６８は、対象者の口部とマウスピース２６８との物理的接触度を評価するように構成されたセンサ１４を備えてもよい。例えば、いくつかの実施形態において、対象者の口部とマウスピース２６８との物理的接触度を評価するように構成された圧力センサ(例えば歪み計器、負荷計器、変形検出センサなど)を用いてもよい。
【００４５】
＜貯蔵部＞
図１〜３をさらに参照すると、いくつかの実施形態において、システム１００は一つまたは複数の貯蔵部１２２を備えてもよい。貯蔵部１２２はさまざまな形式で構成されてもよい。いくつかの実施形態において、貯蔵部１２２は一つまたは複数の貯蔵部受信器２２０を備えてもよい。いくつかの実施形態において、貯蔵部１２２は一つまたは複数の貯蔵部送信器２２２を備えてもよい。したがって、いくつかの実施形態において、貯蔵部１２２は一つまたは複数の信号１１２を送信してもよい。いくつかの実施形態において、貯蔵部１２２は一つまたは複数の信号１１２を受信してもよい。
【００４６】
いくつかの実施形態において、貯蔵部１２２は制御ユニット１０８と動作可能に連結されていてもよい。いくつかの実施形態において、貯蔵部１２２は、貯蔵部１２２の動作を制御する制御ユニット１０８と動作可能に連結されていてもよい。例えば、いくつかの実施形態において、制御ユニット１０８は、少なくとも一つの搬送駆動装置付きのコンベヤーを備えた活性剤貯蔵部２１２に命令して、粉末状の活性剤２１４を充填した複数のブリスターパックを含んだブリスターストリップを前進させてもよい。いくつかの実施形態において、貯蔵部１２２はセンサ１１４と動作可能に連結されていてもよい。いくつかの実施形態において、貯蔵部１２２は、当該貯蔵部１２２の動作を制御するセンサ１１４と動作可能に連結されていてもよい。例えば、いくつかの実施形態において、センサ１１４は、活性剤貯蔵部２１２から放出された活性剤２１４の分量を検出し、続いて、活性剤貯蔵部２１２内の搬送駆動装置に命令して、粉末状の活性剤２１４を充填した複数のブリスターパックを含んだブリスターストリップを前進させてもよい。いくつかの実施形態において、活性剤貯蔵部１２２は、該活性剤貯蔵部２１２内に格納されている活性剤２１４の分量を検出するセンサ１１４と動作可能に連結されていてもよい。いくつかの実施形態において、刺激剤貯蔵部２１６は、該刺激剤貯蔵部２１６内に格納されている刺激剤２１８の分量を検出するセンサ１１４と動作可能に連結されていてもよい。いくつかの実施形態において、活性剤貯蔵部２１２は、該活性剤貯蔵部２１２内に格納されている活性剤２１４の分量を検出するセンサ１１４と、該活性剤貯蔵部２１２内の活性剤２１４の格納量を表示する服用量カウンタ１１８とに動作可能に連結されていてもよい。いくつかの実施形態において、刺激剤貯蔵部２１６は、該刺激剤貯蔵部２１６内の刺激剤２１８の格納量を検出するセンサ１１４と、該刺激剤貯蔵部２１６内の刺激剤２１８の格納量を表示する服用量カウンタ１１８とに動作可能に連結されていてもよい。
【００４７】
活性剤貯蔵部２１２に複数種類の活性剤２１４が格納されていてもよい。このような活性剤２１４の例としては、例えばステロイド、抗炎症薬、気管支拡張薬、ロイコトリエン緩和剤、長時間作用性β拮抗薬、１，３−ジメチルキサンチン、短時間作用性βアゴニスト、{８−メチル−８−（１−メチルエチル）−８−アゾニアビシクロ[３．２．１]オクト−３−イル}３−ヒドロキシ−２−フェニル−プロパノエート、抗体など（例えば、Remingtion: The Science and Practice of Pharmacy, Lippincott, Williams & Wilkins, 20th edition, Baltimore, MD., USA (2000)； Physicians' Desk Reference, Thomson PDR, 58th edition, Montvale, NJ (2004)；Merck Index, Merck and Co., 13th edition., Whitehouse Station, NJ (2001)を参照できる。なお、これらは参照により本明細書に組み込まれる）を含むが、これらに限られない。
【００４８】
刺激剤貯蔵部２１６に複数種類の刺激剤２１８が格納されていてもよい。このような刺激剤２１８の例としては、味付け剤、ニコチン、エタノール、カフェインなどが挙げられるが、これらに限られない。
【００４９】
活性剤２１４及び刺激剤２１８は、複数種類の製剤のうち一つとして含まれてもよい。いくつかの実施形態において、製剤は液体の製剤であってもよい。また、いくつかの実施形態において、製剤は流体キャリアを含んでもよい。いくつかの実施形態において、製剤は霧化した製剤であってもよい。いくつかの実施形態において、製剤は粉末状の製剤であってもよい。いくつかの実施形態において、製剤は粉末状の吸入用製剤であってもよい。したがって、いくつかの実施形態において、製剤が粉体キャリアを含んでもよい。いくつかの実施形態において、製剤は一種類の活性剤２１４を含んでもよい。いくつかの実施形態において、製剤は一種類を超える活性剤２１４を含んでもよい。したがって、いくつかの実施形態において、製剤は、活性剤２１４による各種の組合せを含んでもよい。いくつかの実施形態において、製剤は一種類の刺激剤２１８を含んでもよい。いくつかの実施形態において、製剤は一種類を超える刺激剤２１８を含んでもよい。したがって、いくつかの実施形態において、製剤は、刺激剤２１８による各種の組合せを含んでもよい。
【００５０】
いくつかの実施形態において、貯蔵部１２２は、液体の製剤を格納するように構成されてもよい。例えば、いくつかの実施形態において、活性剤貯蔵部２１２は、キャニスタ本体と当該キャニスタ本体から延伸したバルブステムとを備えたエアゾールキャニスタとして構成されてもよい。いくつかの実施形態において、バルブステムをキャニスタ本体のほうへ押圧することにより、エアゾールキャニスタから内容物を少なくとも部分的に放出させてもよい。いくつかの実施形態において、貯蔵部１２２は、粉末状の製剤を格納するように構成されてもよい。例えば、いくつかの実施形態において、活性剤貯蔵部２１２は、少なくとも一つの搬送駆動装置付きのコンベヤーを備え、該搬送駆動装置は、粉末状の活性剤２１４を充填した複数のブリスターパックを含んだブリスターストリップを前進させるように構成されてもよい。いくつかの実施形態において、刺激剤貯蔵部２１６は一種類の刺激剤２１８を格納してもよい。いくつかの実施形態において、刺激剤貯蔵部２１６は、液体キャリアによって担持された刺激剤２１８を格納するように構成されてもよい。いくつかの実施形態において、刺激剤貯蔵部２１６は、粉末状態の刺激剤２１８を格納するように構成されてもよい。
【００５１】
＜アクチュエータ＞
続けて図１〜３を参照すると、いくつかの実施形態において、システム１００は一つまたは複数のアクチュエータ１２０を備えてもよい。システム１００は、複数種類のアクチュエータ１２０、および、アクチュエータ１０２からなる組合せを備えてもよい。いくつかの実施形態において、アクチュエータ１２０は、一つまたは複数の貯蔵部１２２からの内容物の少なくとも部分的放出を促すように構成されてもよい。例えば、いくつかの実施形態において、アクチュエータ１２０は、一つまたは複数の活性剤貯蔵部２１２からの一種類または複数種類の活性剤２１４の少なくとも部分的放出を促すように構成されてもよい。いくつかの実施形態において、アクチュエータ１２０は、一つまたは複数の刺激剤貯蔵部２１６からの一種類または複数種類の刺激剤２１８の少なくとも部分的放出を促すように構成されてもよい。アクチュエータ１２０の例としては、制御バルブ２５８、プッシュロッドアクチュエータ２５８、レギュレータ２６０、空気圧アクチュエータ２６２などが挙げられるが、これらに限られない。いくつかの実施形態において、アクチュエータ１２０は、プッシュロッドアクチュエータ２５６を備えたエアゾールキャニスタ内容物放出機構２７０として構成されてもよく、該プッシュロッドアクチュエータ２５６は、エアゾールキャニスタを押圧することにより制御バルブ２５８を開き、エアゾールキャニスタの内容物を放出させることができる。いくつかの実施形態において、アクチュエータ２５６は、ブリスターパックを穿刺可能なプッシュロッドアクチュエータ２５６を備えたブリスターパック穿刺機構２７０として構成されてもよい。いくつかの実施形態において、アクチュエータ１２０は、プッシュロッドアクチュエータ２５６を備えたブリスターパック穿刺機構として構成されてもよく、該プッシュロッドアクチュエータ２５６は、ブリスターパックを穿刺するとともに、粉末状の吸入用製剤２１４を該ブリスターパックから少なくとも一つの流路１０４へ進ませることができる。
【００５２】
いくつかの実施形態において、アクチュエータ１２０は一つまたは複数のアクチュエータ受信器２６４を備えてもよい。いくつかの実施形態において、アクチュエータ１２０は一つまたは複数のアクチュエータ送信器２６６を備えてもよい。したがって、いくつかの実施形態において、アクチュエータ１２０は一つまたは複数の信号１１２を送信してもよい。また、いくつかの実施形態において、アクチュエータ１２０は一つまたは複数の信号１１２を受信してもよい。いくつかの実施形態において、アクチュエータ１２０は、一つまたは複数のセンサ１１４と動作可能に連結されていてもよい。したがって、いくつかの実施形態において、一つまたは複数のセンサ１１４によって検出された一つまたは複数のパラメータに応じてアクチュエータ１２０を制御してもよい。例えば、いくつかの実施形態において、センサ１１４は、流路１０４を通る活性剤２１４の分量を検出するとともに、動作可能に連結された一つまたは複数のアクチュエータ１２０の動作を、活性剤２１４の検出量に応じて制御してもよい。いくつかの実施形態において、センサ１１４は、流路１０４を通る刺激剤２１８の分量を検出するとともに、動作可能に連結された一つまたは複数のアクチュエータ１２０の動作を、刺激剤２１８の検出量に応じて制御してもよい。いくつかの実施形態において、センサ１１４は、吸入器を使用する対象者による吸気を検出するとともに、動作可能に連結された一つまたは複数のアクチュエータ１２０を吸気サイクル期間中に作動させ、貯蔵部１２２からの少なくとも部分的放出を促してもよい。いくつかの実施形態において、センサ１１４は、吸入器を使用する対象者による呼気を検出するとともに、動作可能に連結された一つまたは複数のアクチュエータ１２０を呼気サイクル期間中に作動停止させ、貯蔵部１２２からの放出を停止させてもよい。いくつかの実施形態において、センサ１１４は、吸入器を使用する対象者による息こらえを検出するとともに、動作可能に連結された一つまたは複数のアクチュエータ１２０を息こらえサイクル期間中に作動停止させ、貯蔵部１２２からの放出を停止させてもよい。
【００５３】
＜服用量カウンタ＞
さらに、図１〜３に示されるように、いくつかの実施形態において、システム１００は一つまたは複数の服用量カウンタ１１８を備えてもよい。服用量カウンタ１１８は、さまざまな形式で構成されてもよい。いくつかの実施形態において、服用量カウンタ１１８は一つまたは複数の服用量カウンタ受信器２５０を備えてもよい。いくつかの実施形態において、服用量カウンタ１１８は一つまたは複数の服用量カウンタ送信器２５２を備えてもよい。したがって、いくつかの実施形態において、服用量カウンタ１１８は一つまたは複数の信号１１２を送信してもよい。また、いくつかの実施形態において、服用量カウンタ１１８は一つまたは複数の信号１１２を受信してもよい。
【００５４】
いくつかの実施形態において、服用量カウンタ１１８は、機械的服用量カウンタ２４４であってもよい。例えば、いくつかの実施形態において、機械的服用量カウンタ２４４は、活性剤２１４及び刺激剤２１８の一方または両方を投薬するために吸入器が作動する度に、数字表示式のインジケータを回転させるラチェット機構(例えば、Wright et al., Dispending apparatus, US特許第8689785号；Kaar et al., Dose counter for a metered-dose inhaler, US特許第8662381号を参照できる。なお、これらは参照により本明細書に組み込まれる)を備えてもよい。いくつかの実施形態において、服用量カウンタ１１８は、活性剤２１４及び刺激剤２１８の一方または両方を投薬するために吸入器が作動した回数を表示する電子式ディプレイを備えた電子服用量カウンタ(例えば、 Solomon et al., Dose counter and recording method, US特許第8539945号を参照できる。なお、これらは参照により本明細書に組み込まれる)２４６であってもよい。いくつかの実施形態において、服用量カウンタ１１８は、音声ディスプレイを備えた音声式服用量カウンタ２４８であってもよい。いくつかの実施形態において、音声ディスプレイは、活性剤２１４及び刺激剤２１８の一方または両方を投薬するために吸入器が作動した回数を表示するように構成されてもよい。例えば、いくつかの実施形態において、音声式服用量カウンタ２４８は、活性剤２１４及び刺激剤２１８の一方または両方を放出するために吸入器が動作していた回数と対応付けられた情報を受信し、該情報を伝えるために人間の声で音声表示してもよい。
【００５５】
いくつかの実施形態において、服用量カウンタ１１８は、一つまたは複数のセンサ１１４と動作可能に連結されているとともに、当該センサ１１４から情報を受信してもよい。いくつかの実施形態において、服用量カウンタ１１８は、一つまたは複数の制御ユニット１０８と動作可能に連結されているとともに、当該制御ユニット１０８から情報を受信してもよい。いくつかの実施形態において、服用量カウンタ１１８は、活性剤貯蔵部２１２または刺激剤貯蔵部２１６内に格納されている活性剤２１４または刺激剤２１８の分量と対応付けられた情報を受信し、該情報を表示してもよい。いくつかの実施形態において、服用量カウンタ１１８は、一つまたは複数の流路１０４経由で放出された活性剤２１４または刺激剤２１８の分量と対応付けられた情報を受信し、該情報を表示してもよい。
【００５６】
＜動作インジケータ＞
続けて図１〜３を参照すると、いくつかの実施形態において、システム１００は一つまたは複数の動作インジケータ１１６を備えてもよい。動作インジケータ１１６は、さまざまな形式で構成されてもよい。いくつかの実施形態において、動作インジケータ１１６は一つまたは複数のインジケータ受信器１５６を備えてもよい。いくつかの実施形態において、動作インジケータ１１６は一つまたは複数のインジケータ送信器１５８を備えてもよい。したがって、いくつかの実施形態において、動作インジケータ１１６は一つまたは複数の信号１１２を送信してもよい。また、いくつかの実施形態において、動作インジケータ１１６は一つまたは複数の信号１１２を受信してもよい。いくつかの実施形態において、動作インジケータ１１６は、一つまたは複数のインジケータプロセッサ１６０を備えてもよい。したがって、いくつかの実施形態において、動作インジケータ１１６は情報を処理してもよい。
【００５７】
いくつかの実施形態において、動作インジケータ１１６はディスプレイ１４８を備えてもよい。動作インジケータ１１６は、複数種類のディスプレイ１４８を備えてもよい。このようなディスプレイ１４８の例としては、映像ディスプレイ１５０、音声ディスプレイ１５２、触覚式ディスプレイ１５４などが挙げられるが、これらに限られない。映像ディスプレイ１５０の例としては、アクティブディスプレイやパッシブディスプレイのような電子式の映像ディスプレイ１５０が挙げられるが、これらに限られない。いくつかの実施形態において、映像ディスプレイ１５０は、携帯電話、ＰＤＡ（personal digital assistant）、ノート型コンピュータなどのようなモバイル機器上に備えられてもよい。したがって、いくつかの実施形態において、モバイル機器は、動作情報を送信するように構成された制御ユニット１０８から当該動作情報を受信し、表示してもよい。いくつかの実施形態において、モバイル機器は、動作情報を送信するように構成されたセンサ１１４から当該動作情報を受信し、表示してもよい。いくつかの実施形態において、動作情報は、ヘッドマウントディスプレイ１４８、例えば光学式ヘッドマウントディスプレイ１４８上に表示されてもよい。いくつかの実施形態において、動作インジケータ１１６は、振動可能に構成された触覚式ディスプレイ１５４を備えてもよい。例えば、いくつかの実施形態において、動作インジケータ１１６は、吸入器を使用する対象者の呼吸動作、例えば吸気動作、息こらえ動作、及び／又は呼気動作に対応する振動強度で振動してもよい。いくつかの実施形態において、動作インジケータ１１６は、一つまたは複数の音声を発するように構成された音声ディスプレイ１５２を備えてもよい。例えば、いくつかの実施形態において、動作インジケータ１１６は、吸入器を使用する対象者の呼吸動作、例えば吸気動作、息こらえ動作、及び／又は呼気動作に対応する音色を有してもよい。いくつかの実施形態において、動作インジケータ１１６は、吸入器を使用する対象者の呼吸動作、例えば吸気動作、息こらえ動作、及び／又は呼気動作のレベルを示す人間の声を出力するように構成されてもよい。いくつかの実施形態において、動作インジケータ１１６は、吸入器を使用する対象者の呼吸動作、例えば吸気動作、息こらえ動作、及び／又は呼気動作が所定レベルに達するよう、該対象者に指示する人間の声を出力するように構成されてもよい。動作インジケータ１１６は、複数種類の動作に関する情報を表示してもよい。例えば、いくつかの実施形態において、動作インジケータ１１６は、流路１０４を通る活性剤２１４の一つまたは複数の流動レベルを表示してもよい。いくつかの実施形態において、動作インジケータ１１６は、吸入器を使用する対象者が流路１０４に与えた真空の一つまたは複数のレベルを表示してもよい。いくつかの実施形態において、動作インジケータ１１６は、吸入器を使用する対象者の吸気サイクル期間中に流路１０４を通る気体の体積を表示してもよい。いくつかの実施形態において、動作インジケータ１１６は、吸入器を使用する対象者の呼気サイクル期間中に流路１０４を通る気体の体積を表示してもよい。いくつかの実施形態において、動作イ���ジケータ１１６は、吸入器を使用する対象者が息をこらえていた間の時間長さを表示してもよい。いくつかの実施形態において、動作インジケータ１１６は、気体が流路１０４を通る速度を表示してもよい。例えば、いくつかの実施形態において、動作インジケータ１１６は、吸入器を使用する対象者の吸気サイクル期間中に気体が流路１０４を通る速度を表示してもよい。いくつかの実施形態において、動作インジケータ１１６は、吸入器を使用する対象者の呼気サイクル期間中に気体が流路１０４を通る速度を表示してもよい。したがって、動作インジケータ１１６は、複数種類のパラメータに関する情報を表示するように構成されてもよい。
【００５８】
いくつかの実施形態において、動作インジケータ１１６は、一つまたは複数の制御ユニット１０８と動作可能に連結されていてもよい。いくつかの実施形態において、動作インジケータ１１６は、一つまたは複数のセンサ１１４と動作可能に連結されていてもよい。いくつかの実施形態において、動作インジケータ１１６は、一つまたは複数の制御ユニット１０８および一つまたは複数のセンサ１１４と動作可能に連結されていてもよい。いくつかの実施形態において、動作インジケータ１１６は、制御ユニット１０８から受信した処理情報を表示するように構成されてもよい。例えば、いくつかの実施形態において、動作インジケータ１１６は、流路１０４を通る活性剤２１４の分量を表示してもよい。また、いくつかの実施形態において、動作インジケータ１１６は、活性剤２１４の、所定の服用量レベルに達するための放出量を表示してもよい。
【００５９】
＜センサ＞
さらに、図１〜３に示されるように、いくつかの実施形態において、システム１００は一つまたは複数のセンサ１１４を備えてもよい。システム１００は複数種類のセンサ１１４を備えてもよい。センサ１１４の例としては、気体流量センサ１２４や液体流量センサ１２４のような流量センサ１２４、体積センサ１２８、光学センサ１２６、圧力センサ１３０、真空センサ１３２、タイマー１３４、位相ドップラー干渉計１３６、速度計１３８、超音波流量計１４０などが挙げられるが、これらに限られない。
【００６０】
いくつかの実施形態において、センサ１１４は一つまたは複数のセンサ受信器１４４を備えてもよい。いくつかの実施形態において、センサ１１４は一つまたは複数のセンサ送信器１４２を備えてもよい。いくつかの実施形態において、センサ１１４は一つまたは複数の信号１１２を受信してもよい。いくつかの実施形態において、センサ１１４は一つまたは複数の信号１１２を送信してもよい。いくつかの実施形態において、センサ１１４は一つまたは複数のセンサプロセッサ１４６を備えてもよい。したがって、いくつかの実施形態において、センサ１１４は情報を処理してもよい。
【００６１】
いくつかの実施形態において、一つまたは複数のセンサ１１４が、筐体１０２内に設けられた一つまたは複数の流路１０４と動作可能に連結されていてもよい。いくつかの実施形態において、センサ１１４は、流路１０４を気体が通る速度を測定するように構成されてもよい。いくつかの実施形態において、センサ１１４は、流路１０４を液体が通る速度を測定するように構成されてもよい。いくつかの実施形態において、流路１０４を通る気体の体積を測定する体積センサ１２８を用いてもよい。いくつかの実施形態において、流路１０４を通る液体の体積を測定する体積センサ１２８を用いてもよい。いくつかの実施形態において、センサ１１４は、流路１０４を通る活性剤２１４の分量を測定するように構成されてもよい。いくつかの実施形態において、流路１０４に付与した真空の真空度を測定する真空センサ１３２を用いてもよい。いくつかの実施形態において、流路１０４に付与した気圧を測定する圧力センサ１３０を用いてもよい。いくつかの実施形態において、タイマー１３４は、呼吸パラメータと対応する時間量を測定するように構成されてもよい。例えば、いくつかの実施形態において、吸入器の使用時に発生する吸気サイクル、呼気サイクル、および息こらえサイクルのうち、一つまたは複数のサイクルの期間長さを特定するタイマー１３４を用いてもよい。いくつかの実施形態において、圧力センサ１３０は、吸入器のマウスピース２６８と動作可能に連結されているとともに、対象者の口部と該マウスピースとの物理的接触度を評価するように構成されてもよい。したがって、いくつかの実施形態において、このような圧力センサ１３０は、マウスピース２６８上の圧力及び／又は歪みを測定するように構成されてもよい。
【００６２】
いくつかの実施形態において、センサ１１４が一つまたは複数の制御ユニット１０８と動作可能に連結されていてもよい。したがって、いくつかの実施形態において、制御ユニット１０８は、動作可能に連結された一つまたは複数のセンサ１１４の動作を制御するように構成されてもよい。いくつかの実施形態において、センサ１１４は、一つまたは複数の貯蔵部１２２からの内容物の少なくとも部分的放出を促すように構成された一つまたは複数のアクチュエータ１２０と動作可能に連結されていてもよい。例えば、いくつかの実施形態において、センサ１１４は、アクチュエータ１２０と動作可能に連結されているとともに、活性剤貯蔵部２１２からの一種類または複数種類の活性剤２１４の少なくとも部分的放出を、流路１０４を通った活性剤２１４の検出量に応じて促すように構成されてもよい。いくつかの実施形態において、センサ１１４が制御ユニット１０８およびアクチュエータ１２０と連結されていてもよい。したがって、いくつかの実施形態において、制御ユニット１０８は、一つまたは複数のセンサ１１４から検出情報を受信し、当該情報に応じて一つまたは複数のアクチュエータ１２０を制御してもよい。
【００６３】
＜ユーザインターフェース＞
続けて図１〜３を参照すると、いくつかの実施形態において、システム１００は一つまたは複数のユーザインターフェース１１０を備えてもよい。システム１００は複数種類のユーザインターフェース１１０を備えてもよい。ユーザインターフェース１１０の例としては、グラフィカルインターフェース１６２、モニタ１６６、タッチスクリーン１７２、タッチパッド１７０、キーボード１６８、モバイル機器インターフェース１６４などが挙げられるが、これらに限られない。いくつかの実施形態において、ユーザインターフェースは一つまたは複数のユーザ送信器１７６を備えてもよい。いくつかの実施形態において、ユーザインターフェースは一つまたは複数のユーザ受信器１７８を備えてもよい。いくつかの実施形態において、ユーザインターフェースは一つまたは複数のインターフェースプロセッサ１８２を備えてもよい。したがって、いくつかの実施形態において、ユーザインターフェース１１０は、一つまたは複数の信号１１２を送受信し、一つまたは複数の信号１１２を処理してもよい。
【００６４】
いくつかの実施形態において、ユーザインターフェース１１０から送信される一つまたは複数の信号１１２を、一つまたは複数の制御ユニット１０８が受信してもよい。いくつかの実施形態において、ユーザインターフェース１１０から送信される一つまたは複数の信号１１２を、一つまたは複数のセンサ１１４が受信してもよい。いくつかの実施形態において、ユーザインターフェース１１０から送信される一つまたは複数の信号１１２を、一つまたは複数の動作インジケータ１１６が受信してもよい。いくつかの実施形態において、ユーザインターフェース１１０から送信される一つまたは複数の信号１１２を、一つまたは複数の服用量カウンタ１１８が受信してもよい。いくつかの実施形態において、ユーザインターフェース１１０から送信される一つまたは複数の信号１１２を、一つまたは複数のアクチュエータ１２０が受信してもよい。
【００６５】
いくつかの実施形態において、ユーザインターフェース１１０は、一つまたは複数の制御ユニット１０８から送信される一つまたは複数の信号１１２を受信してもよい。いくつかの実施形態において、ユーザインターフェース１１０は、一つまたは複数のセンサ１１４から送信される一つまたは複数の信号１１２を受信してもよい。いくつかの実施形態において、ユーザインターフェース１１０は、一つまたは複数の動作インジケータ１１６から送信される一つまたは複数の信号１１２を受信してもよい。いくつかの実施形態において、ユーザインターフェース１１０は、一つまたは複数の服用量カウンタ１１８から送信される一つまたは複数の信号１１２を受信してもよい。
【００６６】
いくつかの実施形態において、対象者が情報をユーザインターフェース１１０に入力し、ユーザインターフェース１１０が、当該情報を含む一つまたは複数の信号１１２を一つまたは複数の制御ユニット１０８に送信し、制御ユニット１０８が当該信号１１２を受信してもよい。このような情報の例としては、対象者の身長、体重、年齢、アレルギー性、呼吸パラメータ、身体健康レベルに関する情報や、対象者の一つまたは複数の持病に関する情報、対象者が使用する薬に関する情報などが挙げられるが、これらに限られない。
【００６７】
＜信号＞
システム１００内で複数種類の信号１１２が用いられてもよい。このような信号１１２の例としては、ワイヤレス信号２２４、光学信号２２６、磁気信号２２８、無線周波信号２３２、有線信号２３４、赤外線信号２３６、可聴信号２３８、アナログ信号２４２、デジタル信号２４０、Ｂｌｕｅｔｏｏｔｈ（登録商標）信号２３０などが挙げられるが、これらに限られない。したがって、システム１００は、複数種類の信号１１２を受信、送信、処理するように構成された受信器、送信器、プロセッサを備えてもよい。信号１１２には、複数種類の情報が含まれてもよい。例えば、いくつかの実施形態において、信号１１２は、一つまたは複数の呼吸パラメータと対応付けられた情報を含んでもよい。いくつかの実施形態において、信号１１２は、活性剤貯蔵部２１２からの一種類または複数種類の活性剤２１４の放出と対応付けられた情報を含んでもよい。いくつかの実施形態において、信号１１２は、刺激剤貯蔵部２１６からの一種類または複数種類の刺激剤２１８の放出と対応付けられた情報を含んでもよい。
【００６８】
＜制御ユニット＞
さらに図１〜３に示されるように、いくつかの実施形態において、システム１００は一つまたは複数の制御ユニット１０８を備えてもよい。いくつかの実施形態において、制御ユニット１０８は一つまたは複数の制御用コンピュータ２０６を備えてもよい。いくつかの実施形態において、制御ユニット１０８は一つまたは複数の制御用受信器１９４を備えてもよい。いくつかの実施形態において、制御ユニット１０８は一つまたは複数の制御用送信器１９６を備えてもよい。いくつかの実施形態において、制御ユニット１０８は一つまたは複数の制御用プロセッサ１９８を備えてもよい。いくつかの実施形態において、制御ユニット１０８は制御用メモリ２０４を備えてもよい。いくつかの実施形態において、制御ユニット１０８は制御論理回路２００を備えてもよい。いくつかの実施形態において、制御ユニット１０８は性能論理回路２０２を備えてもよい。いくつかの実施形態において、制御ユニット１０８は一つまたは複数の電源２０８を備えてもよい。いくつかの実施形態において、制御ユニット１０８は一つまたは複数の制御用インターフェース２１０を備えてもよい。
【００６９】
いくつかの実施形態において、制御ユニット１０８は、一つまたは複数のユーザインターフェース１１０から送信される一つまたは複数の信号１１２を受信してもよい。いくつかの実施形態において、制御ユニット１０８は、一つまたは複数のセンサ１１４から送信される一つまたは複数の信号１１２を受信してもよい。いくつかの実施形態において、制御ユニット１０８は、一つまたは複数の動作インジケータ１１６から送信される一つまたは複数の信号１１２を受信してもよい。いくつかの実施形態において、制御ユニット１０８は、一つまたは複数の服用量カウンタ１１８から送信される一つまたは複数の信号１１２を受信してもよい。いくつかの実施形態において、制御ユニット１０８は、一つまたは複数のアクチュエータ１２０から送信される一つまたは複数の信号１１２を受信してもよい。
【００７０】
いくつかの実施形態において、制御ユニット１０８から送信される一つまたは複数の信号１１２を、一つまたは複数のユーザインターフェース１１０が受信してもよい。いくつかの実施形態において、制御ユニット１０８から送信される一つまたは複数の信号１１２を、一つまたは複数のセンサ１１４が受信してもよい。いくつかの実施形態において、制御ユニット１０８から送信される一つまたは複数の信号１１２を、一つまたは複数のアクチュエータ１２０が受信してもよい。いくつかの実施形態において、制御ユニット１０８から送信される一つまたは複数の信号１１２を、一つまたは複数の動作インジケータ１１６が受信してもよい。いくつかの実施形態において、制御ユニット１０８から送信される一つまたは複数の信号１１２を、一つまたは複数の服用量カウンタ１１８が受信してもよい。
【００７１】
いくつかの実施形態において、制御ユニット１０８は、一つまたは複数のアクチュエータ１２０の動作を命令する一つまたは複数の信号１１２を送信してもよい。例えば、いくつかの実施形態において、制御ユニット１０８は、一つまたは複数の貯蔵部１２２から内容物を少なくとも部分的に放出させるようアクチュエータ１２０に命令する一つまたは複数の信号１１２を送信してもよい。いくつかの実施形態において、制御ユニット１０８は、一つまたは複数の貯蔵部１２２から内容物を放出させないようアクチュエータ１２０に命令する一つまたは複数の信号１１２を送信してもよい。例えば、いくつかの実施形態において、制御ユニット１０８は、吸入器を使用する対象者の、流路１０４を通った吸気および呼気に関する情報を、一つまたは複数のセンサ１１４から受信してもよい。次に、制御ユニット１０８は、一つまたは複数のアクチュエータ１２０に命令して、吸気サイクル中に、一つまたは複数の貯蔵部１２２から内容物を吸入器を通して少なくとも部分的に放出させ、続いて、一つまたは複数のアクチュエータ１２０に命令して、呼気サイクル中、一つまたは複数の貯蔵部１２２から内容物を吸入器を通して少なくとも部分的に放出させないようにしてもよい。いくつかの実施形態において、制御ユニット１０８は、一つ以上のアクチュエータ１２０の動作を命令してもよい。例えば、いくつかの実施形態において、制御ユニット１０８は、第１アクチュエータ１２０に命令して活性剤貯蔵部２１２から活性剤２１４を少なくとも部分的に放出させ、続いて、第２アクチュエータ１２０に命令して、刺激剤貯蔵部２１６から刺激剤２１８を少なくとも部分的に放出させてもよい。また、いくつかの実施形態において、制御ユニット１０８は、第１アクチュエータ１２０に命令して、刺激剤貯蔵部２１６から刺激剤２１８を少なくとも部分的に放出させ、続いて、第２アクチュエータ１２０に命令して、活性剤貯蔵部２１２から活性剤２１４を少なくとも部分的に放出させてもよい。また、いくつかの実施形態において、制御ユニット１０８は、第１アクチュエータ１２０に命令して刺激剤貯蔵部２１６から刺激剤２１８を少なくとも部分的に放出させるのと、第２アクチュエータ１２０に命令して活性剤貯蔵部２１２から活性剤２１４を少なくとも部分的に放出させるのを、ほぼ同時に行ってもよい。
【００７２】
いくつかの実施形態において、制御ユニット１０８から送信される一つまたは複数の信号１１２を、一つまたは複数の動作インジケータ１１６が受信してもよい。例えば、いくつかの実施形態において、制御ユニット１０８は、吸入器を使用する対象者による呼吸動作に関する情報を含む一つまたは複数の信号１１２を、センサ１１４から受信してもよい。次に、制御ユニット１０８は、評価された呼吸動作のレベルを表示させるよう動作インジケータ１１６に命令する一つまたは複数の信号１１２を送信し、当該動作インジケータ１１６が、該信号１１２を受信してもよい。いくつかの実施形態において、制御ユニット１０８は、流路１０４を通った活性剤２１４の分量に関する情報を含む一つまたは複数の信号１１２を、一つまたは複数のセンサ１１４から受信してもよい。いくつかの実施形態において、続いて、制御ユニット１０８は、流路１０４を通った活性剤２１４の分量を表示させるよう一つまたは複数の動作インジケータ１１６に命令する一つまたは複数の信号１１２を送信し、当該一つまたは複数の動作インジケータ１１６が、該信号１１２を受信してもよい。いくつかの実施形態において、制御ユニット１０８は、活性剤貯蔵部２１２から放出される活性剤２１４の、所定の服用量に達するために要される分量を表示させるよう一つまたは複数の動作インジケータ１１６に命令する一つまたは複数の信号１１２を送信し、当該一つまたは複数の動作インジケータ１１６が、該信号１１２を受信してもよい。
【００７３】
いくつかの実施形態において、制御ユニット１０８は、一つまたは複数の服用量カウンタ１１８から送信される一つまたは複数の信号１１２を受信してもよい。例えば、いくつかの実施形態において、制御ユニット１０８は、活性剤貯蔵部２１２または刺激剤貯蔵部２１６から服用何回分の活性剤２１４または刺激剤２１８を放出すべきかに関する情報を含む一つまたは複数の信号１１２を受信してもよい。いくつかの実施形態において、制御ユニット１０８は、服用量カウンタ１１８から送信された一つまたは複数の信号１１２であって、活性剤貯蔵部２１２内に服用何回分の活性剤２１４が格納されているかに関する情報を含む当該信号１１２を受信してもよい。いくつかの実施形態において、制御ユニット１０８は、服用量カウンタ１１８から送信された一つまたは複数の信号１１２であって、刺激剤貯蔵部２１６内に服用何回分の刺激剤２１８が格納されているかに関する情報を含む当該信号１１２を受信してもよい。
【００７４】
いくつかの実施形態において、制御ユニット１０８は、一つまたは複数のパラメータを、当該一つまたは複数のパラメータと対応付けられた一つまたは複数の閾値レベルと比較してもよい。例えば、いくつかの実施形態において、制御ユニット１０８は、吸入器内に設けられた一つまたは複数の流路１０４を通った流量と対応付けられた一つまたは複数の算定値を、一つまたは複数のセンサ１１４から受信してもよい。そして、制御ユニット１０８は、該一つまたは複数の算定値を、流路１０４を通る流量と対応付けられた一つまたは複数の閾値と比較し、当該一つまたは複数の算定値が当該一つまたは複数の閾値を満たすか超えるか否かを特定してもよい。いくつかの実施形態において、制御ユニット１０８は、一つまたは複数のパラメータと対応する一つまたは複数の算定値を、当該一つまたは複数のパラメータと対応付けられた一つまたは複数のレベル範囲と比較してもよい。いくつかの実施形態において、制御ユニット１０８は、一つまたは複数のパラメータと対応する一つまたは複数の算定値を、当該一つまたは複数のパラメータと対応付けられた一つまたは複数のレベル範囲と比較し、当該一つまたは複数のパラメータと対応付けられた当該一つまたは複数のレベル範囲内に当該一つまたは複数の算定値が含まれているか否かを特定してもよい。例えば、いくつかの実施形態において、制御ユニット１０８は、一つまたは複数のセンサ１１４から送信される一つまたは複数の信号１１２であって、吸入器内に設けられた一つまたは複数の流路１０４を通る流量と対応付けられた一つまたは複数の算定値を含む当該信号１１２を受信してもよい。制御ユニット１０８は、一つまたは複数の算定値を、流路を通る流量と対応付けられた一つまたは複数の数値範囲と比較し、当該一つまたは複数の数値範囲に当該一つまたは複数の算定値が含まれているか否かを特定してもよい。吸入器内に設けられた一つまたは複数の流路１０４を通る流量の代表的範囲としては、例えば、約毎分５リットル〜約毎分２００リットル、約毎分３０リットル〜約毎分１５０リットル、約毎分５０リットル〜約毎分１００リットル、約毎分２０リットル〜約毎分６０リットル、約毎分３０リットル〜約毎分５０リットル、約毎分５０リットル〜約毎分２００リットル、約毎分７５リットル〜約毎分２００リットル、約毎分１００リットル〜約毎分２００リットル、約毎分１２５リットル〜約毎分２００リットル、約毎分１５０リットル〜約毎分２００リットル、約毎分１７５リットル〜約毎分２００リットル、約毎分５０リットル〜約毎分１５０リットル、約毎分６０リットル〜約毎分１５０リットル、約毎分６０リットル〜約毎分１２０リットルの範囲を含むが、これらに限られない。
【００７５】
パラメータに多数の閾値を割り当ててもよい。いくつかの実施形態において、閾値は、吸入器を使用する対象者の年齢に基づいて決定されてもよい。例えば、いくつかの実施形態において、子供が吸入器を使用する場合の吸気サイクル期間中に流路１０４を通る流速と対応付けられた閾値を選択し、活性剤２１４を子供へ適量に運ぶようにしてもよい。いくつかの実施形態において、成人が吸入器を使用する場合の吸気サイクル期間中に流路１０４を通る流速と対応付けられた閾値を選択し、製剤２１４を成人へ適量に運ぶようにしてもよい。したがって、多数のパラメータを考慮した閾値を選択してもよい。このようなパラメータの例としては、対象者の年齢、運ばれる活性剤２１４の性質、活性剤２１４が運ばれるべき肺の領域内の場所、運ばれる活性剤２１４の分量などが挙げられるが、これらに限られない。したがって、制御ユニットは、複数種類のパラメータを、当該一つまたは複数のパラメータと対応付けられた閾値レベルと比較してもよい。いくつかの実施形態において、医療従事者が閾値を選択してもよい。
【００７６】
図４は、システム４００の部分側面断面図である。システム４００は、吸入器の一実施形態として構成されている。システム４００は、流路１０４が内部に配設された筐体１０２を備えている。また、図中、筐体１０２内部に配設された二つのポート１０６が流路１０４と流体連通している。図中、活性剤貯蔵部２１２が一方のポート１０６と動作可能に連結されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、両方の制御バルブ２５８が、塗り潰した円で示されたように閉鎖状態にある。流路１０４を通る流れは、流路１０４を通る方向のある流れを示す２本の矢印で図示されている。右から左へマウスピース２６８に向かう流れは、吸入器を使用する対象者の吸気サイクルと関連している。左から右へマウスピース２６８から離れる流れは、吸入器を使用する対象者の呼気サイクルと関連している。流量センサ１２４は、流路１０４と動作可能に連結されており、流路１０４を通る流体を検出するように構成されている。エアゾールキャニスタ内容物放出機構２７０、および、活性剤貯蔵部２１２と刺激剤貯蔵部２１６の両方と動作可能に連結されたプッシュロッドアクチュエータ２５６が図示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。また、制御ユニット１０８は、流量センサ１２４と動作可能に連結されている。したがって、いくつかの実施形態において、制御ユニット１０８は、活性剤貯蔵部２１２および刺激剤貯蔵部２１６の一方または両方からの少なくとも部分的放出を促すように構成されてもよい。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。いくつかの実施形態において、制御ユニット１０８は、活性剤貯蔵部２１２からの少なくとも部分的放出を促し、続いて、刺激剤貯蔵部２１６からの少なくとも部分的放出を促すように構成されてもよい。いくつかの実施形態において、制御ユニット１０８は、刺激剤貯蔵部２１６からの少なくとも部分的放出を促し、続いて、活性剤貯蔵部２１２からの少なくとも部分的放出を促すように構成されてもよい。いくつかの実施形態において、制御ユニット１０８は、刺激剤貯蔵部２１６および活性剤貯蔵部２１２の両方からの少なくとも部分的放出を、ほぼ同時に促すように構成されてもよい。いくつかの実施形態において、流量センサ１２４は、吸入器を使用する対象者の呼気に含まれる活性剤２１４の分量を検出するように構成されてもよい。したがって、いくつかの実施形態において、制御ユニット１０８は、当該制御ユニット１０８へ送信されてきたそのような情報を用い、所定の服用量に達するために要される、対象者への活性剤２１４の投与量を計算してもよい。次に、制御ユニット１０８は、エアゾールキャニスタ内容物放出機構２７０の動作を制御し、所定の服用量に達するのに必要な追加量の活性剤２１４を投与させてもよい。
【００７７】
図４Ａは、システム４００の部分側面断面図である。システム４００は、活性剤貯蔵部２１２から活性剤２１４を少なくとも部分的に放出するように図中で作動している吸入器の一実施形態として構成されている。システム４００は、流路１０４を内部に設けた筐体１０２を備えた吸入器の一実施形態として示されている。また、図中、筐体１０２内部に配設された二つのポート１０６は流路１０４と流体連通している。図中、活性剤貯蔵部２１２が一方のポート１０６と動作可能に連結されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、活性剤貯蔵部２１２と動作可能に連結された制御バルブ２５８は、塗り潰していない円で示されたように開放状態にあり、刺激剤貯蔵部２１６と動作可能に連結された制御バルブ２５８は、塗り潰した円で示されたように閉鎖状態にある。図中、流路１０４を通る流れは、右から左へ流路１０４を通ってマウスピース２６８に向かう流れを示す矢印で示されている。右から左へマウスピース２６８に向かう流れは、吸入器を使用する対象者の吸気サイクルと関連している。流量センサ１２４は、流路１０４と動作可能に連結されており、流路１０４を通る流体を検出するように構成されている。図中、エアゾールキャニスタ内容物放出機構２７０、および、活性剤貯蔵部２１２と刺激剤貯蔵部２１６の両方と動作可能に連結されたプッシュロッドアクチュエータ２５６が示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。また、制御ユニット１０８は、流量センサ１２４と動作可能に連結されている。図中、活性剤貯蔵部２１２と動作可能に連結されたプッシュロッドアクチュエータ２５６は、作動状態にある。この作動状態において、該プッシュロッドアクチュエータ２５６は、エアゾールキャニスタとして構成された活性剤貯蔵部２１２のキャニスタ本体を、該キャニスタ本体から延伸したバルブステムのほうへ押圧することにより、活性剤貯蔵部２１２から活性剤２１４をポート１０６経由で流路１０４内へ少なくとも部分的に放出することを促す。
【００７８】
図４Ｂは、システム４００の部分側面断面図である。システム４００は、刺激剤貯蔵部２１６から刺激剤２１８を少なくとも部分的に放出するように図中で作動している吸入器の一実施形態として構成されている。図中、システム４００は、流路１０４が内部に配設された筐体１０２を備えている。また、図中、筐体１０２内部には、流路１０４と流体連通する二つのポート１０６が配設されている。図中、活性剤貯蔵部２１２が一方のポート１０６と動作可能に連結されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、刺激剤貯蔵部２１６と動作可能に連結された制御バルブ２５８は、塗り潰していない円で示されたように開放状態にあり、活性剤貯蔵部２１２と動作可能に連結された制御バルブ２５８は、塗り潰した円で示されたように閉鎖状態にある。流路１０４を通る流れは、右から左へ流路１０４を通ってマウスピース２６８に向かう流れを示す矢印で図示されている。右から左へマウスピース２６８に向かう流れは、吸入器を使用する対象者の吸気サイクルと関連している。流量センサ１２４は、流路１０４と動作可能に連結されており、流路１０４を通る流体を検出するように構成されている。エアゾールキャニスタ内容物放出機構２７０、および、活性剤貯蔵部２１２と刺激剤貯蔵部２１６の両方と動作可能に連結されたプッシュロッドアクチュエータ２５６が図示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。また、制御ユニット１０８は、流量センサ１２４と動作可能に連結されている。図中、刺激剤貯蔵部２１６と動作可能に連結されたプッシュロッドアクチュエータ２５６は、作動状態にある。この作動状態において、当該プッシュロッドアクチュエータ２５６は、エアゾールキャニスタとして構成された刺激剤貯蔵部２１６のキャニスタ本体を、当該キャニスタ本体から延伸したバルブステムの方へ押圧することにより、刺激剤貯蔵部２１６から刺激剤２１８をポート１０６経由で流路１０４内へ少なくとも部分的に放出することを促す。
【００７９】
図５は、システム５００の部分側面断面図である。システム５００は、活性剤貯蔵部２１２から活性剤２１４を少なくとも部分的に放出するように図中で作動している吸入器の一実施形態として構成されている。システム５００は、流路１０４が内部に配設された筐体１０２を備えている吸入器の一実施形態として示されている。また、図中、筐体１０２内部には、流路１０４と流体連通する二つのポート１０６が配設されている。図中、活性剤貯蔵部２１２が一方のポート１０６と動作可能に連結されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、活剤貯蔵部２１２と動作可能に連結された制御バルブ２５８は、塗り潰していない円で示されたように開放状態にあり、刺激剤貯蔵部２１６と動作可能に連結された制御バルブ２５８は、塗り潰した円で示されたように閉鎖状態にある。流路１０４を通る流れは、右から左へ流路１０４を通ってマウスピース２６８に向かう流れを示す矢印で図示されている。右から左へマウスピース２６８に向かう流れは、吸入器を使用する対象者の吸気サイクルと関連している。流量センサ１２４は、流路１０４と動作可能に連結されており、流路１０４を通る流体を検出するように構成されている。エアゾールキャニスタ内容物放出機構２７０、および、活性剤貯蔵部２１２と刺激剤貯蔵部２１６の両方と動作可能に連結されたプッシュロッドアクチュエータ２５６が図示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。また、制御ユニット１０８は、流量センサ１２４と動作可能に連結されている。図中、製剤貯蔵部２１２と動作可能に連結されたプッシュロッドアクチュエータ２５６は、作動状態にある。この作動状態において、当該プッシュロッドアクチュエータ２５６は、エアゾールキャニスタとして構成された製剤貯蔵部２１２のキャニスタ本体を、当該キャニスタ本体から延伸したバルブステムの方へ押圧することにより、製剤２１４を製剤貯蔵部２１２からポート１０６経由で流路１０４内へ少なくとも部分的に放出することを促す。また、服用量カウンタ１１８が図示されている。いくつかの実施形態において、服用量カウンタ１１８は、制御ユニット１０８と動作可能に連結されていてもよい。いくつかの実施形態において、服用量カウンタ１１８は、流量センサ１２４と動作可能に連結されていてもよい。図示の服用量カウンタ１１８は、例えば、活性剤貯蔵部２１２から服用の何回分投与されるかを表示すように構成されてもよい。
【００８０】
図６は、システム６００の部分側面断面図である。システム６００は、流路１０４が内部に配設された筐体１０２を備えている吸入器の一実施形態として示されている。また、図中、筐体１０２内部には、流路１０４と流体連通する二つのポート１０６が配設されている。図中、活性剤貯蔵部２１２が一方のポート１０６と動作可能に連結されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、両方の制御バルブ２５８が、塗り潰した円で示されたように閉鎖状態にある。流路１０４を通る流れは、流路１０４を通る方向のある流れを示す２本の矢印で図示されている。右から左へマウスピース２６８に向かう流れは、吸入器を使用する対象者の吸気サイクルと関連している。左から右へマウスピース２６８から離れる流れは、吸入器を使用する対象者の呼気サイクルと関連している。
【００８１】
流量センサ１２４は、流路１０４と動作可能に連結されており、流路１０４を通る流体を検出するように構成されている。エアゾールキャニスタ内容物放出機構２７０、および、活性剤貯蔵部２１２と刺激剤貯蔵部２１６の両方と動作可能に連結されたプッシュロッドアクチュエータ２５６が図示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。したがって、いくつかの実施形態において、制御ユニット１０８は、活性剤貯蔵部２１２および刺激剤貯蔵部２１６の一方または両方からの少なくとも部分的放出を促すように構成されてもよい。また、制御ユニット１０８は、流量センサ１２４と動作可能に連結されている。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。いくつかの実施形態において、制御ユニット１０８は、活性剤貯蔵部２１２からの少なくとも部分的放出を促し、続いて、刺激剤貯蔵部２１６からの少なくとも部分的放出を促すように構成されてもよい。いくつかの実施形態において、制御ユニット１０８は、刺激剤貯蔵部２１６からの少なくとも部分的放出を促し、続いて、活性剤貯蔵部２１２からの少なくとも部分的放出を促すように構成されてもよい。いくつかの実施形態において、制御ユニット１０８は、刺激剤貯蔵部２１６および活性剤貯蔵部２１２からの少なくとも部分的放出をほぼ同時に促すように構成されてもよい。いくつかの実施形態において、流量センサ１２４は、吸入器を使用する対象者の呼気に含まれる活性剤２１４の分量を検出するように構成されてもよい。したがって、いくつかの実施形態において、制御ユニット１０８は、当該制御ユニット１０８へ送信されてきたそのような情報を用い、所定の服用量に達するために要される、対象者への活性剤２１４の投与量を計算してもよい。次に、制御ユニット１０８は、エアゾールキャニスタ内容物放出機構２７０の動作を制御し、所定の服用量に達するための追加分の活性剤２１４を投与させてもよい。
【００８２】
図６にさらに示されたように、システム６００は、動作インジケータ１１６を備えている。いくつかの実施形態において、動作インジケータ１１６は、流量センサ１２４と動作可能に連結されていてもよい。したがって、いくつかの実施形態において、動作インジケータ１１６は、対象者による吸入器の使用と対応付けられた一つまたは複数の呼吸パラメータに関する一つまたは複数の値を表示すように構成されてもよい。このような呼吸パラメータの例としては、吸気動作、呼気動作、息こらえ動作などに関するパラメータが挙げられるが、これらに限られない。図６の動作インジケータ１１６は、図６Ａに表示されている強いレベルの呼吸動作に比べ、弱いレベルの呼吸動作を示している。いくつかの実施形態において、流量センサ１２４は、エアゾールキャニスタ内容物放出機構２７０と動作可能に連結され、エアゾールキャニスタ内容物放出機構２７０は、測定された一つまたは複数の呼吸パラメータが、当該一つまたは複数の呼吸パラメータと対応付けられた一つまたは複数の閾値を満たすか超える場合に、活性剤貯蔵部２１２および刺激剤貯蔵部２１６の一方または両方からの内容物の少なくとも部分的放出を促すよう、プッシュロッドアクチュエータ２５６を作動させてもよい。図中、光学センサ１２６は、流路１０４と動作可能に連結されている。いくつかの実施形態において、光学センサ１２６は、流路１０４を通る活性剤２１４および刺激剤２１８の両方の分量を算定するように構成されてもよい。したがって、いくつかの実施形態において、光学センサ１２６は、制御ユニット１０８と動作可能に連結され、制御ユニット１０８は、吸入器を使用する対象者へ運ばれる活性剤２１４の分量を算定してから、対象者へ運ばれる活性剤２１４について、所定の服用量レベルに達するために必要な追加量を決定してもよい。次に、制御ユニット１０８は、エアゾールキャニスタ内容物放出機構２７０の動作を制御し、エアゾールキャニスタ内容物放出機構２７０は、所定の服用量レベルに達するための分量の活性剤２１４が対象者へ運ばれるように、活性剤貯蔵部２１２からの少なくとも部分的放出を促してもよい。
【００８３】
図６Ａは、システム６００の部分側面断面図である。システム６００は、活性剤貯蔵部２１２から活性剤２１４を少なくとも部分的に放出するように作動する吸入器の一実施形態として示されている。システム６００は、流路１０４が内部に配設された筐体１０２を備えている。また、図中、筐体１０２内部には、流路１０４と流体連通する二つのポート１０６が配設されている。図中、活性剤貯蔵部２１２が一方のポート１０６と動作可能に連結されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、活性剤貯蔵部２１２と動作可能に連結された制御バルブ２５８は、塗り潰していない円で示されたように開放状態にあり、刺激剤貯蔵部２１６と動作可能に連結された制御バルブ２５８は、塗り潰した円で示されたように閉鎖状態にある。流路１０４を通る流れは、右から左へ流路１０４を通ってマウスピース２６８に向かう方向のある流れを示す矢印で図示されている。また、当該流れは、吸入器を使用する対象者の吸気サイクルを示している。流量センサ１２４は、流路１０４と動作可能に連結されており、流路１０４を通る流体を検出するように構成されている。エアゾールキャニスタ内容物放出機構２７０、および、活性剤貯蔵部２１２と刺激剤貯蔵部２１６の両方と動作可能に連結されたプッシュロッドアクチュエータ２５６が図示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。したがって、いくつかの実施形態において、制御ユニット１０８は、活性剤貯蔵部２１２および刺激剤貯蔵部２１６の一方または両方からの少なくとも部分的放出を促すように構成されてもよい。また、制御ユニット１０８は、流量センサ１２４と動作可能に連結されている。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。
【００８４】
上述したように、いくつかの実施形態において、吸入器は、動作可能に連結された動作インジケータ１１６を備えてもよい。図６Ａの動作インジケータ１１６は、図６に表示された呼吸動作に比べ、強いレベルの呼吸動作を表示している。いくつかの実施形態において、制御ユニット１０８は、エアゾールキャニスタ内容物放出機構２７０の動作を制御するように構成され、エアゾールキャニスタ内容物放出機構２７０は、測定された一つまたは複数の呼吸パラメータが、当該一つまたは複数の呼吸パラメータと対応付けられた一つまたは複数の閾値を満たすか超える場合に、活性剤貯蔵部２１２および刺激剤貯蔵部２１６の一方または両方からの内容物の少なくとも部分的放出を促すよう、プッシュロッドアクチュエータ２５６を作動させてもよい。したがって、図６Ａに示されたように、活性剤貯蔵部２１２と動作可能に連結されたプッシュロッドアクチュエータ２５６は、強いレベルの呼吸動作に応じて活性剤貯蔵部２１２から活性剤２１４を少なくとも部分的に放出させるように作動している。図中、光学センサ１２６が流路１０４と動作可能に連結されている。いくつかの実施形態において、光学センサ１２６は、流路１０４を通る活性剤２１４および刺激剤１１８の一方または両方の分量を特定するように構成されてもよい。したがって、いくつかの実施形態において、光学センサ１２６は、制御ユニット１０８と動作可能に連結され、制御ユニット１０８は、吸入器を使用する対象者へ運ばれた活性剤２１４の分量を特定してから、対象者へ運ばれる活性剤２１４について、所定の服用量レベルに達するために必要な追加量を決定してもよい。次に、制御ユニット１０８は、エアゾールキャニスタ内容物放出機構２７０の動作を制御し、エアゾールキャニスタ内容物放出機構２７０は、所定の服用量レベルに達するための分量の活性剤２１４が対象者へ運ばれるように、活性剤貯蔵部２１２からの少なくとも部分的放出を促してもよい。
【００８５】
図６Ｂは、システム６００の部分側面断面図である。システム６００は、刺激剤貯蔵部２１６から刺激剤２１８を少なくとも部分的に放出するように作動する吸入器の一実施形態として示されている。システム６００は、流路１０４が内部に配設された筐体１０２を備えている。また、図中、筐体１０２内部には、流路１０４と流体連通する二つのポート１０６が配設されている。図中、活性剤貯蔵部２１２が一方のポート１０６と動作可能に連結されている。また、図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からそれぞれのポート１０６内まで延伸したバルブステムとを備えたエアゾールキャニスタとして構成されている。活性剤貯蔵部２１２は制御バルブ２５８を備えている。刺激剤貯蔵部２１６も制御バルブ２５８を備えている。図中、活性剤貯蔵部２１２と動作可能に連結された制御バルブ２５８は、塗り潰した円で示されたように閉鎖状態にあり、刺激剤貯蔵部２１６と動作可能に連結された制御バルブ２５８は、塗り潰していない円で示されたように開放状態にある。流路１０４を通る流れは、右から左へ流路１０４を通ってマウスピース２６８に向かう方向のある流れを示す矢印で図示されている。また、当該流れは、吸入器を使用する対象者の吸気サイクルを示している。
【００８６】
流量センサ１２４は、流路１０４と動作可能に連結されており、流路１０４を通る流体を検出するように構成されている。エアゾールキャニスタ内容物放出機構２７０、および、活性剤貯蔵部２１２と刺激剤貯蔵部２１６の両方と動作可能に連結されたプッシュロッドアクチュエータ２５６が図示されている。また、エアゾールキャニスタ内容物放出機構２７０は、制御ユニット１０８と動作可能に連結されている。制御ユニット１０８は、エアゾールキャニスタ内容物放出機構２７０の動作を命令するように構成され、エアゾールキャニスタ内容物放出機構２７０は、当該命令に基づき、活性剤貯蔵部２１２および刺激剤貯蔵部２１６の両方からの少なくとも部分的放出を促すよう各プッシュロッドアクチュエータ２５６を制御する。したがって、いくつかの実施形態において、制御ユニット１０８は、活性剤貯蔵部２１２および刺激剤貯蔵部２１６の一方または両方からの少なくとも部分的放出を促すように構成されてもよい。また、制御ユニット１０８は、流量センサ１２４と動作可能に連結されている。したがって、いくつかの実施形態において、制御ユニット１０８は、活性剤貯蔵部２１２および刺激剤貯蔵部２１６の一方または両方からの少なくとも部分的放出を促すように構成されてもよい。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。
【００８７】
上述したのと同様に、いくつかの実施形態において、吸入器は、動作可能に連結された動作インジケータ１１６を備えてもよい。図６Ｂの動作インジケータ１１６は、図６に示されている呼吸動作に比べ、強いレベルの呼吸動作を表示している。いくつかの実施形態において、制御ユニット１０８は、呼吸動作について測定された一つまたは複数のパラメータが閾値を満たすか超える場合に、刺激剤貯蔵部２１６からの刺激剤２１８の放出を促すよう、エアゾールキャニスタ内容物放出機構２７０の動作を制御するように構成されてもよい。したがって、図６Ｂにおいて、刺激剤貯蔵部２１６と動作可能に連結されたプッシュロッドアクチュエータ２５６は、強いレベルの呼吸動作に応じて刺激剤貯蔵部２１６から刺激剤２１８を少なくとも部分的に放出させるように作動している。図中、光学センサ１２６が流路１０４と動作可能に連結されている。いくつかの実施形態において、光学センサ１２６は、流路１０４を通る活性剤２１４および刺激剤１１８の一方または両方の分量を特定するように構成されてもよい。したがって、いくつかの実施形態において、光学センサ１２６は、制御ユニット１０８と動作可能に連結され、制御ユニット１０８は、吸入器を使用する対象者へ運ばれる刺激剤２１８の分量を測定し、続いて、対象者へ運ばれる刺激剤２１８について、所定の投与レベルに達するために必要な追加量を決定してもよい。次に、制御ユニット１０８は、エアゾールキャニスタ内容物放出機構２７０の動作を制御し、所定の服用量レベルに達するよう、一つまたは複数の刺激剤貯蔵部２１６から対象者へ運ばれる一種類または複数種類の刺激剤２１８の少なくとも部分的放出を促してもよい。
【００８８】
図７は、システム７００の部分側面断面図である。システム７００は、吸入器の一実施形態として構成されている。システム７００は、流路１０４が内部に配設された筐体１０２を備えている。また、図中、筐体１０２内部には、流路１０４と流体連通する二つのポート１０６が配設されている。図中、活性剤貯蔵部２１２は、一方のポート１０６と並んで配置されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２は、搬送駆動装置付きのコンベヤーを備え、当該搬送駆動装置は、粉末状の活性剤２１４を充填した複数のブリスターパックを含んだブリスターストリップを前進させるように構成されている。活性剤貯蔵部２１２の上記コンベヤーは、ブリスターパックを前進させてブリスターパック穿刺機構２７２を横切らせるように構成されている。図中、ブリスターパック穿刺機構２７２は、ブリスターパックを穿刺するとともに当該ブリスターパック内に格納されている粉末状の活性剤２１４をポート１０６経由で流路１０４内へ進ませるように構成されたプッシュロッドアクチュエータ２５６を備えている。刺激剤貯蔵部２１６は、キャニスタ本体と当該キャニスタ本体からポート１０６内まで延伸したバルブステムとを備えたエアゾールキャニスタとして構成されている。また、刺激剤貯蔵部２１６は制御バルブ２５８を備えている。図中、制御バルブ２５８は、塗り潰した円で示されたように閉鎖状態にある。刺激剤貯蔵部２１６と動作可能に連結されたエアゾールキャニスタ内容物放出機構２７０は、刺激剤貯蔵部２１６からの刺激剤２１８の少なくとも部分的放出を促すように構成されたプッシュロッドアクチュエータ２５６を備えている。流路１０４を通る流れは、流路１０４を通る方向のある流れを示す２本の矢印で図示されている。右から左へマウスピース２６８に向かう流れは、吸入器を使用する対象者の吸気サイクルと関連している。左から右へマウスピース２６８から離れる流れは、吸入器を使用する対象者の呼気サイクルと関連している。流量センサ１２４は、流路１０４と動作可能に連結されており、流路１０４を通る流体を検出するように構成されている。
【００８９】
エアゾールキャニスタ内容物放出機構２７０は、制御ユニット１０８と動作可能に連結されている。ブリスターパック穿刺機構２７２は、制御ユニット１０８と動作可能に連結されている。制御ユニット１０８は、エアゾールキャニスタ内容物放出機構２７０の動作を命令するように構成されている。制御ユニット１０８は、ブリスターパック穿刺機構２７２の動作を命令するように構成されている。したがって、いくつかの実施形態において、制御ユニット１０８は、活性剤貯蔵部２１２および刺激剤貯蔵部２１６の一方または両方からの少なくとも部分的放出を促すように構成されてもよい。また、制御ユニット１０８は、流量センサ１２４と動作可能に連結されている。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。いくつかの実施形態において、制御ユニット１０８は、活性剤貯蔵部２１２からの少なくとも部分的放出を促し、続いて、刺激剤貯蔵部２１６からの少なくとも部分的放出を促すように構成されてもよい。いくつかの実施形態において、制御ユニット１０８は、刺激剤貯蔵部２１６からの少なくとも部分的放出を促し、続いて、活性剤貯蔵部２１２からの少なくとも部分的放出を促すように構成されてもよい。いくつかの実施形態において、制御ユニット１０８は、刺激剤貯蔵部２１６および活性剤貯蔵部２１２の両方からの少なくとも部分的放出をほぼ同時に促すように構成されてもよい。いくつかの実施形態において、流量センサ１２４は、吸入器を使用する対象者の呼気に含まれる活性剤２１４の分量を検出するように構成されてもよい。したがって、いくつかの実施形態において、制御ユニット１０８は、当該制御ユニット１０８へ送信されてきたそのような情報を用い、所定の服用量に達するために要される、対象者への活性剤２１４の投与量を計算してもよい。次に、制御ユニット１０８は、ブリスターパック穿刺機構２７２の動作を制御し、所定の服用量に達するのに必要な追加量の活性剤２１４を投与させてもよい。
【００９０】
図７Ａは、システム７００の部分側面断面図である。システム７００は、活性剤貯蔵部２１２から活性剤２１４を少なくとも部分的に放出するように作動する吸入器の一実施形態として構成されている。システム７００は、流路１０４が内部に配設された筐体１０２を備えている。また、図中、筐体１０２内部には、流路１０４と流体連通する二つのポート１０６が配設されている。図中、活性剤貯蔵部２１２が一方のポート１０６と並んで配置されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２は、搬送駆動装置付きのコンベヤーを備え、当該搬送駆動装置は、粉末状の活性剤２１４を充填した複数のブリスターパックを含んだブリスターストリップを前進させるように構成されている。活性剤貯蔵部２１２の上記コンベヤーは、ブリスターパックを前進させてブリスターパック穿刺機構２７２を横切らせるように構成されている。図中、ブリスターパック穿刺機構２７２は、ブリスターパックを穿刺するとともに該ブリスターパック内に格納されている粉末状の活性剤２１４をポート１０６経由で流路１０４内へ進ませるように構成されたプッシュロッドアクチュエータ２５６を有する。
【００９１】
いくつかの実施形態において、刺激剤貯蔵部２１６は、キャニスタ本体と当該キャニスタ本体からポート１０６内まで延伸したバルブステムとを備えたエアゾールキャニスタとして構成されている。また、刺激剤貯蔵部２１６は制御バルブ２５８を備えている。図中、制御バルブ２５８は、塗り潰した円で示されたように閉鎖状態にある。刺激剤貯蔵部２１６と動作可能に連結されたエアゾールキャニスタ内容物放出機構２７０は、刺激剤貯蔵部２１６からの刺激剤２１８の少なくとも部分的放出を促すように構成されたプッシュロッドアクチュエータ２５６を備えている。流路１０４を通る流れは、右から左へマウスピース２６８に向かう流れを示す矢印で図示されている。この流れは、吸入器を使用する対象者の吸気サイクルと関連している。流量センサ１２４は、流路１０４と動作可能に連結されており、流路１０４を通る流体を検出するように構成されている。ブリスターパック穿刺機構２７２およびエアゾールキャニスタ内容物放出機構２７０は、何れも制御ユニット１０８と動作可能に連結されている。したがって、いくつかの実施形態において、制御ユニット１０８は、活性剤貯蔵部２１２からの活性剤２１４の少なくとも部分的放出を促すよう、ブリスターパック穿刺機構２７２の動作を命令してもよい。いくつかの実施形態において、制御ユニット１０８は、刺激剤貯蔵部２１６からの刺激剤２１８の少なくとも部分的放出を促すよう、エアゾールキャニスタ放出機構２７０の動作を命令してもよい。
【００９２】
また、制御ユニット１０８は、流量センサ１２４と動作可能に連結されている。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。いくつかの実施形態において、制御ユニット１０８は、活性剤貯蔵部２１２からの少なくとも部分的放出を促し、続いて、刺激剤貯蔵部２１６からの少なくとも部分的放出を促すように構成されてもよい。いくつかの実施形態において、制御ユニット１０８は、刺激剤貯蔵部２１６からの少なくとも部分的放出を促し、続いて、活性剤貯蔵部２１２からの少なくとも部分的放出を促すように構成されてもよい。いくつかの実施形態において、制御ユニット１０８は、刺激剤貯蔵部２１６および活性剤貯蔵部２１２の両方からの少なくとも部分的放出をほぼ同時に促すように構成されてもよい。いくつかの実施形態において、流量センサ１２４は、吸入器を使用する対象者の呼気に含まれる活性剤２１４の分量を検出するように構成されてもよい。したがって、いくつかの実施形態において、制御ユニット１０８は、該制御ユニット１０８へ送信されてきたそのような情報を用い、所定の服用量に達するために要される、対象者への活性剤２１４の投与量を計算してもよい。次に、制御ユニット１０８は、ブリスターパック穿刺機構２７２の動作を制御し、所定の服用量に達するのに必要な追加量の活性剤２１４を投与させてもよい。
【００９３】
図７Ｂはシステム７００の部分側面断面図である。システム７００は、刺激剤貯蔵部２１６から刺激剤２１８を少なくとも部分的に放出するように作動する吸入器の一実施形態として構成されている。システム７００は、流路１０４が内部に配設された筐体１０２を備えている。また、図中、筐体１０２内部には、流路１０４と流体連通する二つのポート１０６が配設されている。図中、活性剤貯蔵部２１２が一方のポート１０６と並んで配置されている。図中、刺激剤貯蔵部２１６が他方のポート１０６と動作可能に連結されている。図中、活性剤貯蔵部２１２および刺激剤貯蔵部２１６は、貯蔵部支持体１９２内部で保持されている。活性剤貯蔵部２１２は、搬送駆動装置付きのコンベヤーを備え、当該搬送駆動装置は、粉末状の活性剤２１４を充填した複数のブリスターパックを含んだブリスターストリップを前進させるように構成されている。活性剤貯蔵部２１２の上記コンベヤーは、ブリスターパックを前進させてブリスターパック穿刺機構２７２を横切らせるように構成されている。図中、ブリスターパック穿刺機構２７２は、ブリスターパックを穿刺するとともに当該ブリスターパック内に格納されている粉末状の活性剤２１４をポート１０６経由で流路１０４内へ進ませるように構成されたプッシュロッドアクチュエータ２５６を備えている。
【００９４】
いくつかの実施形態において、刺激剤貯蔵部２１６は、キャニスタ本体と当該キャニスタ本体からポート１０６内まで延伸したバルブステムとを備えたエアゾールキャニスタとして構成されている。また、刺激剤貯蔵部２１６は制御バルブ２５８を備えている。刺激剤貯蔵部２１６と動作可能に連結されたエアゾールキャニスタ内容物放出機構２７０は、刺激剤貯蔵部２１６からの刺激剤２１８の少なくとも部分的放出を促すように構成されたプッシュロッドアクチュエータ２５６を備えている。図中、制御バルブ２５８は、塗り潰していない円で示されたように開放状態にあり、刺激剤２１８をポート１０６経由で流路１０４内へ少なくとも部分的に放出するように促す。流路１０４を通る流れは、右から左へマウスピース２６８に向かう流れを示す矢印で図示されている。この流れは、吸入器を使用する対象者の吸気サイクルと関連している。流量センサ１２４は、流路１０４と動作可能に連結されており、流路１０４を通る流体を検出するように構成されている。ブリスターパック穿刺機構２７２およびエアゾールキャニスタ内容物放出機構２７０はそれぞれ、制御ユニット１０８と動作可能に連結されている。したがって、いくつかの実施形態において、制御ユニット１０８は、活性剤貯蔵部２１２からの活性剤２１４の少なくとも部分的放出を促すよう、ブリスターパック穿刺機構２７２の動作を命令してもよい。いくつかの実施形態において、制御ユニット１０８は、刺激剤貯蔵部２１６からの刺激剤２１８の少なくとも部分的放出を促すよう、エアゾールキャニスタ放出機構２７０の動作を命令してもよい。また、制御ユニット１０８は、流量センサ１２４と動作可能に連結されている。したがって、いくつかの実施形態において、制御ユニット１０８は、活性剤貯蔵部２１２および刺激剤貯蔵部２１６の一方または両方からの少なくとも部分的放出を促すように構成されてもよい。いくつかの実施形態において、制御ユニット１０８は、吸気サイクル中、活性剤貯蔵部２１２および刺激剤貯蔵部２１６の一方または両方からの少なくとも部分的放出を促すように構成されてもよい。いくつかの実施形態において、制御ユニット１０８は、呼気サイクル中、活性剤貯蔵部２１２および刺激剤貯蔵部２１６の一方または両方からの少なくとも部分的放出を停止させるように構成されてもよい。いくつかの実施形態において、制御ユニット１０８は、活性剤貯蔵部２１２からの少なくとも部分的放出を促し、続いて、刺激剤貯蔵部２１６からの少なくとも部分的放出を促すように構成されてもよい。いくつかの実施形態において、制御ユニット１０８は、刺激剤貯蔵部２１６からの少なくとも部分的放出を促し、続いて、活性剤貯蔵部２１２からの少なくとも部分的放出を促すように構成されてもよい。いくつかの実施形態において、制御ユニット１０８は、刺激剤貯蔵部２１６および活性剤貯蔵部２１２の両方からの少なくとも部分的放出をほぼ同時に促すように構成されてもよい。いくつかの実施形態において、流量センサ１２４は、吸入器を使用する対象者の呼気に含まれる刺激剤２１８の分量を検出するように構成されてもよい。したがって、いくつかの実施形態において、制御ユニット１０８は、該制御ユニット１０８へ送信されてきたそのような情報を用い、所定の服用量に達するために要される、対象者への刺激剤２１８の投与量を計算してもよい。次に、制御ユニット１０８は、エアゾールキャニスタ放出機構２７０の動作を制御し、所定の服用量に達するのに必要な追加量の刺激剤２１８を投与させてもよい。
【００９５】
図８は、システム８００の部分側面断面図である。システム８００は、活性剤貯蔵部２１２から活性剤２１４を少なくとも部分的に放出するよう作動する吸入器の一実施形態として構成されている。システム８００は、流路１０４が内部に配設された筐体１０２を備えている。また、図中、筐体１０２内部には、流路１０４と流体連通する二つのポート１０６が配設されている。図中、活性剤貯蔵部２１２は、一方のポート１０６と並んで配置されている。図中、刺激剤貯蔵部２１６は、もう一つのポート１０６と動作可能に連結している。図中、活性剤貯蔵部２１２および刺激剤貯蔵部２１６は、貯蔵部支持体１９２内部で保持されている。活性剤貯蔵部２１２は、搬送駆動装置付きのコンベヤーを備え、当該搬送駆動装置は、粉末状の活性剤２１４が充填された複数のブリスターパックを含むブリスターストリップを前進させるよう構成されている。活性剤貯蔵部２１２の上記コンベヤーは、ブリスターパックを前進させてブリスターパック穿刺機構２７２を横切らせるよう構成されている。図中、ブリスターパック穿刺機構２７２は作動したプッシュロッドアクチュエータ２５６を備え、当該作動したプッシュロッドアクチュエータ２５６は、ブリスターパックを穿刺し、当該ブリスターパック内部の粉末状の活性剤２１４をポート１０６経由で流路１０４内へと進ませている。刺激剤貯蔵部２１６は、キャニスタ本体と当該キャニスタ本体からポート１０６内へ延伸するバルブステムとを備えたエアゾールキャニスタとして構成されている。刺激剤貯蔵部２１６は制御バルブ２５８を備えている。図中、制御バルブ２５８は、塗り潰した円で示されているように、閉鎖状態にある。エアゾールキャニスタ内容物放出機構２７０が、刺激剤貯蔵部２１６と動作可能に連結されており、プッシュロッドアクチュエータ２５６を備えている。プッシュロッドアクチュエータ２５６は、刺激剤貯蔵部２１６からの刺激剤２１８の少なくとも部分的な放出を促すよう構成されている。流路１０４を通る流れは、右から左へマウスピース２６８へと向かう流れを示す矢印によって図示されている。この流れは、吸入器を使用する対象者の吸気サイクルと関連している。流量センサ１２４は流路１０４と動作可能に連結されており、流路１０４を通る流れを検知するよう構成されている。ブリスターパック穿刺機構２７２とエアゾールキャニスタ内容物放出機構２７０はそれぞれ、制御ユニット１０８と動作可能に連結されている。したがって、いくつかの実施形態において、制御ユニット１０８は、ブリスターパック穿刺機構２７２の動作を命じて、活性剤貯蔵部２１２からの活性剤２１４の少なくとも部分的な放出を促してよい。いくつかの実施形態において、制御ユニット１０８は、エアゾールキャニスタ放出機構２７０の動作を命じて、刺激剤貯蔵部２１６からの刺激剤２１８の少なくとも部分的な放出を促してよい。制御ユニット１０８は、流量センサ１２４と動作可能に連結されている。いくつかの実施形態において、制御ユニット１０８は、吸気サイクル中、活性剤貯蔵部２１２と刺激剤貯蔵部２１６の一つまたは両方からの少なくとも部分的な放出を促すよう構成されてよい。いくつかの実施形態において、制御ユニット１０８は、呼気サイクル中、活性剤貯蔵部２１２と刺激剤貯蔵部２１６の一つまたは両方からの少なくとも部分的な放出を停止するよう構成されてよい。いくつかの実施形態において、制御ユニット１０８は、活性剤貯蔵部２１２からの少なくとも部分的な放出を促し、続いて、刺激剤貯蔵部２１６からの少なくとも部分的な放出を促すよう構成されてよい。いくつかの実施形態において、制御ユニット１０８は、刺激剤貯蔵部２１６からの少なくとも部分的な放出を促し、続いて、活性剤貯蔵部２１２からの少なくとも部分的な放出を促すよう構成されてよい。いくつかの実施形態において、制御ユニット１０８は、刺激剤貯蔵部２１６および活性剤貯蔵部２１２両方からの少なくとも部分的な放出をほぼ同時に促すよう構成されてよい。いくつかの実施形態において、流量センサ１２４は、吸入器を使用する対象者の呼気に含まれる活性剤２１４の量を検知するよう構成されてよい。したがって、いくつかの実施形態において、そのような情報が制御ユニット１０８に送られ、制御ユニット１０８が当該情報を用いて、所定の服用量に達するために対象者に投与する必要がある活性剤２１４の量を計算してよい。続いて、制御ユニット１０８は、ブリスターパック穿刺機構２７２の動作を制御して、上記所定の服用量に達するのに必要な追加量の活性剤２１４を投与してよい。
【００９６】
いくつかの実施形態において、吸入器は、動作可能に連結された動作インジケータ１１６を備えてよい。図８中の動作インジケータ１１６は、強いレベルの呼吸動作を示している。いくつかの実施形態において、制御ユニット１０８は、呼吸動作と関連する１つ以上の算定パラメータが閾値を満たすか超える場合に、ブリスターパック穿刺機構２７２の動作を制御して、活性剤貯蔵部２１２からの活性剤２１４の放出を促してよい。したがって、図８において、ブリスターパック穿刺機構２７２は、強いレベルの呼吸動作に応じて、ブリスターパックに穿刺して、粉末状の活性剤２１４をポート１０６経由で流路１０４へと進ませるよう作動しているものとして示されている。図中、光学センサ１２６は、流路１０４と動作可能に連結されている。いくつかの実施形態において、光学センサ１２６は、流路１０４を通って流れる活性剤２１４および刺激剤２１８のいずれかまたは両方の量を測定するよう構成されてよい。したがって、いくつかの実施形態において、光学センサ１２６が制御ユニット１０８に動作可能に連結され、当該制御ユニット１０８が、吸入器を使用する対象者へ投与される活性剤２１４の量を測定し、続いて、所定の投与レベルに達するために上記対象者に投与されるべき活性剤２１４の追加量を決定するよう構成されてよい。続いて、制御ユニット１０８は、ブリスターパック穿刺機構２７２を制御して、１つ以上の活性剤貯蔵部２１２からの少なくとも部分的な放出を促し、活性剤２１４を上記対象者に投与して上記所定の服用量に達するようにしてよい。
【００９７】
図８Ａは、システム８００の部分側面断面図である。システム８００は、刺激剤貯蔵部２１６から刺激剤２１８を少なくとも部分的に放出するよう作動する吸入器の一実施形態として構成されている。システム８００は、流路１０４が内部に配設された筐体１０２を備えている。また、図中、筐体１０２内部には、流路１０４と流体連通する二つのポート１０６が配設されている。図中、活性剤貯蔵部２１２は、一方のポート１０６と並んで配置されている。刺激剤貯蔵部２１６は、もう一方のポート１０６と動作可能に連結している。図中、活性剤貯蔵部２１２および刺激剤貯蔵部２１６は、貯蔵部支持体１９２内部で保持されている。活性剤貯蔵部２１２は、搬送駆動装置付きのコンベヤーを備え、当該搬送駆動装置は、粉末状の活性剤２１４が充填された複数のブリスターパックを含むブリスターストリップを前進させるよう構成されている。活性剤貯蔵部２１２のコンベヤーは、ブリスターパックを前進させてブリスターパック穿刺機構２７２を横切らせるよう構成されている。図中、ブリスターパック穿刺機構２７２はプッシュロッドアクチュエータ２５６を備えている。刺激剤貯蔵部２１６は、キャニスタ本体と当該キャニスタ本体からポート１０６内へ延伸するバルブステムとを備えたエアゾールキャニスタとして構成されている。刺激剤貯蔵部２１６は制御バルブ２５８を備えている。図中、制御バルブ２５８は、塗り潰されていない円で示されているように、開放状態にあり、刺激剤２１８をポート１０６経由で流路１０４へ放出することを促す。流路１０４を通る流れは、右から左へマウスピース２６８へと向かう流れを示す矢印によって図示されている。この流れは、吸入器を使用する対象者の吸気サイクルと関連している。流量センサ１２４は流路１０４と動作可能に連結されており、流路１０４を通る流れを検知するよう構成されている。エアゾールキャニスタ内容物放出機構２７０は、刺激剤貯蔵部２１６と動作可能に連結されている。ブリスターパック穿刺機構２７２とエアゾールキャニスタ内容物放出機構２７０はそれぞれ、制御ユニット１０８と動作可能に連結されている。
【００９８】
したがって、いくつかの実施形態において、制御ユニット１０８は、ブリスターパック穿刺機構２７２の動作を命じて、活性剤貯蔵部２１２からの活性剤２１４の少なくとも部分的な放出を促してよい。いくつかの実施形態において、制御ユニット１０８は、エアゾールキャニスタ放出機構２７０の動作を命じて、刺激剤貯蔵部２１６からの刺激剤２１８の少なくとも部分的な放出を促してよい。制御ユニット１０８は、流量センサ１２４と動作可能に連結されている。いくつかの実施形態において、制御ユニット１０８は、吸気サイクル中、活性剤貯蔵部２１２と刺激剤貯蔵部２１６の一つまたは両方からの少なくとも部分的な放出を促すよう構成されてよい。いくつかの実施形態において、制御ユニット１０８は、呼気サイクル中、活性剤貯蔵部２１２と刺激剤貯蔵部２１６の一つまたは両方からの少なくとも部分的な放出を停止するよう構成されてよい。いくつかの実施形態において、制御ユニット１０８は、活性剤貯蔵部２１２からの少なくとも部分的な放出を促し、続いて、刺激剤貯蔵部２１６からの少なくとも部分的な放出を促すよう構成されてよい。いくつかの実施形態において、制御ユニット１０８は、刺激剤貯蔵部２１６からの少なくとも部分的な放出を促し、続いて、活性剤貯蔵部２１２からの少なくとも部分的な放出を促すよう構成されてよい。いくつかの実施形態において、制御ユニット１０８は、刺激剤貯蔵部２１６および活性剤貯蔵部２１２両方からの少なくとも部分的な放出をほぼ同時に促すよう構成されてよい。
【００９９】
いくつかの実施形態において、流量センサ１２４は、吸入器を使用する対象者の呼気に含まれる活性剤２１４の量を検知するよう構成されてよい。したがって、いくつかの実施形態において、そのような情報が制御ユニット１０８に送られ、制御ユニット１０８が当該情報を用いて、所定の服用量に達するために対象者に投与する必要がある活性剤２１４の量を計算してよい。続いて、制御ユニット１０８は、ブリスターパック穿刺機構２７２の動作を制御して、追加量の活性剤２１４を投与し、上記所定の服用量に達するようにしてよい。
【０１００】
いくつかの実施形態において、吸入器は、動作可能に連結された動作インジケータ１１６を備えてよい。図８Ａ中の動作インジケータ１１６は、強いレベルの呼吸動作を示している。いくつかの実施形態において、制御ユニット１０８は、呼吸動作と関連する１つ以上の測定パラメータが閾値を満たすか超える場合に、エアゾールキャニスタ内容物放出機構２７０の動作を制御して、刺激剤貯蔵部２１６からの刺激剤２１８の放出を促してよい。したがって、図８Ａにおいて、刺激剤貯蔵部２１６に動作可能に連結されているプッシュロッドアクチュエータ２５６は、強いレベルの呼吸動作に応じて、刺激剤貯蔵部２１６のキャニスタ本体をバルブステムに対して押し付けて刺激剤２１８をポート１０６経由で流路１０４へ少なくとも部分的に放出することを促すよう作動している。図中、光学センサ１２６は、流路１０４と動作可能に連結されている。いくつかの実施形態において、光学センサ１２６は、流路１０４を通って流れる活性剤２１４および刺激剤２１８のいずれかまたは両方の量を測定するよう構成されてよい。したがって、いくつかの実施形態において、光学センサ１２６が制御ユニット１０８に動作可能に連結され、当該制御ユニット１０８が、吸入器を使用する対象者へ投与される刺激剤２１８の量を測定し、続いて、所定の投与レベルに達するために上記対象者に投与されるべき刺激剤２１８の追加量を決定するよう構成されてよい。続いて、制御ユニット１０８は、エアゾールキャニスタ内容物放出機構２７０の動作を制御して、１つ以上の刺激剤貯蔵部２１６からの少なくとも部分的な放出を促し、刺激剤２１８を上記対象者に投与して上記所定の服用量に達するようにしてよい。
【０１０１】
図９は、システム９００の部分側面断面図である。システム９００は、吸入器の一実施形態として構成されている。システム９００は、流路１０４が内部に配設された筐体１０２を備えている。また、図中、筐体１０２内部には、流路１０４と流体連通する一つのポート１０６が配設されている。図中、活性剤貯蔵部２１２は、ポート１０６と動作可能に連結している。図中、刺激剤貯蔵部２１６は、ポート１０６と動作可能に連結している。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からポート１０６内へ延伸するバルブステムとを備えたエアゾールキャニスタとして構成されている。活性剤貯蔵部２１２は制御バルブ２５８を備えている。刺激剤貯蔵部２１６も制御バルブ２５８を備えている。図中、上記制御バルブ２５８はどちらも、塗り潰された円で示されているように、閉鎖状態にある。活性剤貯蔵部２１２と刺激剤貯蔵部２１６はどちらも、エアゾールキャニスタ内容物放出機構２７０と動作可能に連結されている。エアゾールキャニスタ内容物放出機構２７０は、二つのプッシュロッドアクチュエータ２５６を備えている。一方のプッシュロッドアクチュエータ２５６は活性剤貯蔵部２１２と動作可能に連結され、他方のプッシュロッドアクチュエータ２５６は刺激剤貯蔵部２１６と動作可能に連結されている。
【０１０２】
流路１０４を通る流れは、流路１０４を通る方向のある流れを示す二本の矢印によって示される。右から左へマウスピース２６８に向かう流れは、吸入器を使用する対象者の吸気サイクルと関連している。左から右へマウスピース２６８から離れる流れは、吸入器を使用する対象者の呼気サイクルと関連している。流量センサ１２４は流路１０４と動作可能に連結されており、流路１０４を通る流れを検知するよう構成されている。エアゾールキャニスタ内容物放出機構２７０は、制御ユニット１０８と動作可能に連結されている。上記制御ユニット１０８は、上記プッシュロッドアクチュエータ２５６それぞれの動作を命じて、活性剤貯蔵部２１２および刺激剤貯蔵部２１６それぞれからの少なくとも部分的な放出を促すよう構成されている。制御ユニット１０８は、流量センサ１２４と動作可能に連結されている。いくつかの実施形態において、制御ユニット１０８は、吸気サイクル中、活性剤貯蔵部２１２と刺激剤貯蔵部２１６の一つまたは両方からの少なくとも部分的な放出を促すよう構成されてよい。いくつかの実施形態において、制御ユニット１０８は、呼気サイクル中、活性剤貯蔵部２１２と刺激剤貯蔵部２１６の一つまたは両方からの少なくとも部分的な放出を停止するよう構成されてよい。いくつかの実施形態において、制御ユニット１０８は、活性剤貯蔵部２１２からの少なくとも部分的な放出を促し、続いて、刺激剤貯蔵部２１６からの少なくとも部分的な放出を促すよう構成されてよい。いくつかの実施形態において、制御ユニット１０８は、刺激剤貯蔵部２１６からの少なくとも部分的な放出を促し、続いて、活性剤貯蔵部２１２からの少なくとも部分的な放出を促すよう構成されてよい。いくつかの実施形態において、制御ユニット１０８は、刺激剤貯蔵部２１６および活性剤貯蔵部２１２両方からの少なくとも部分的な放出をほぼ同時に促すよう構成されてよい。
【０１０３】
図９Ａは、システム９００の部分側面断面図である。システム９００は、活性剤貯蔵部２１２から活性剤２１４を少なくとも部分的に放出するよう作動する吸入器の一実施形態として構成されている。システム９００は、流路１０４が内部に配設された筐体１０２を備えている。また、図中、筐体１０２内部には、流路１０４と流体連通する一つのポート１０６が配設されている。図中、活性剤貯蔵部２１２は、ポート１０６と動作可能に連結している。図中、刺激剤貯蔵部２１６は、ポート１０６と動作可能に連結している。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からポート１０６内へ延伸するバルブステムとを備えたエアゾールキャニスタとして構成されている。活性剤貯蔵部２１２は制御バルブ２５８を備えている。刺激剤貯蔵部２１６も制御バルブ２５８を備えている。図中、活性剤貯蔵部２１２と動作可能に連結されている制御バルブ２５８は、塗り潰されていない円で示されているように、開放状態にあり、活性剤２１４を活性剤貯蔵部２１２から流路１０４へ放出することを促す。図中、刺激剤貯蔵部２１６に動作可能に連結されている制御バルブ２５８は、塗り潰された円で示されているように、閉鎖状態にある。
【０１０４】
活性剤貯蔵部２１２と刺激剤貯蔵部２１６はどちらも、エアゾールキャニスタ内容物放出機構２７０と動作可能に連結されている。エアゾールキャニスタ内容物放出機構２７０は、二つのプッシュロッドアクチュエータ２５６を備えている。一方のプッシュロッドアクチュエータ２５６は活性剤貯蔵部２１２と動作可能に連結され、他方のプッシュロッドアクチュエータ２５６は刺激剤貯蔵部２１６と動作可能に連結されている。流路１０４を通る流れは、流路１０４を通って右から左へと向かう流れを示す矢印によって図示されている。右から左へマウスピース２６８に向かう流れは、吸入器を使用する対象者の吸気サイクルと関連している。流量センサ１２４は流路１０４と動作可能に連結されており、流路１０４を通る流れを検知するよう構成されている。エアゾールキャニスタ内容物放出機構２７０は、制御ユニット１０８と動作可能に連結されている。上記制御ユニット１０８は、上記プッシュロッドアクチュエータ２５６それぞれの動作を命じて、活性剤貯蔵部２１２および刺激剤貯蔵部２１６それぞれからの少なくとも部分的な放出を促すよう構成されている。制御ユニット１０８は、流量センサ１２４と動作可能に連結されている。したがって、いくつかの実施形態において、制御ユニット１０８は、活性剤貯蔵部２１２と刺激剤貯蔵部２１６の一つまたは両方からの少なくとも部分的な放出を促すよう構成されてよい。いくつかの実施形態において、制御ユニット１０８は、吸気サイクル中、活性剤貯蔵部２１２と刺激剤貯蔵部２１６の一つまたは両方からの少なくとも部分的な放出を促すよう構成されてよい。いくつかの実施形態において、制御ユニット１０８は、呼気サイクル中、活性剤貯蔵部２１２と刺激剤貯蔵部２１６の一つまたは両方からの少なくとも部分的な放出を停止するよう構成されてよい。
【０１０５】
図９Ｂは、システム９００の部分側面断面図である。システム９００は、刺激剤貯蔵部２１６から刺激剤２１８を少なくとも部分的に放出するよう作動する吸入器の一実施形態として構成されている。システム９００は、流路１０４が内部に配設された筐体１０２を備えている。また、図中、筐体１０２内部には、流路１０４と流体連通する一つのポート１０６が配設されている。図中、活性剤貯蔵部２１２は、ポート１０６と動作可能に連結している。図中、刺激剤貯蔵部２１６は、ポート１０６と動作可能に連結している。図中、活性剤貯蔵部２１２および刺激剤貯蔵部２１６は、貯蔵部支持体１９２内部で保持されている。活性剤貯蔵部２１２および刺激剤貯蔵部２１６はどちらも、キャニスタ本体と当該キャニスタ本体からポート１０６内へ延伸するバルブステムとを備えたエアゾールキャニスタとして構成されている。活性剤貯蔵部２１２は制御バルブ２５８を備えている。刺激剤貯蔵部２１６も制御バルブ２５８を備えている。図中、刺激剤貯蔵部２１６と動作可能に連結されている制御バルブ２５８は、塗り潰されていない円で示されているように、開放状態にあり、刺激剤２１８を刺激剤貯蔵部２１６から流路１０４へ放出することを促す。図中、活性剤貯蔵部２１２に動作可能に連結されている制御バルブ２５８は、塗り潰された円で示されているように、閉鎖状態にある。活性剤貯蔵部２１２と刺激剤貯蔵部２１６はどちらも、エアゾールキャニスタ内容物放出機構２７０と動作可能に連結されている。エアゾールキャニスタ内容物放出機構２７０は、二つのプッシュロッドアクチュエータ２５６を備えている。一方のプッシュロッドアクチュエータ２５６は活性剤貯蔵部２１２と動作可能に連結され、他方のプッシュロッドアクチュエータ２５６は刺激剤貯蔵部２１６と動作可能に連結されている。
【０１０６】
流路１０４を通る流れは、流路１０４を通って右から左へと向かう流れを示す矢印によって図示されている。右から左へマウスピース２６８に向かう流れは、吸入器を使用する対象者の吸気サイクルと関連している。流量センサ１２４は流路１０４と動作可能に連結されており、流路１０４を通る流れを検知するよう構成されている。エアゾールキャニスタ内容物放出機構２７０は、制御ユニット１０８と動作可能に連結されている。上記制御ユニット１０８は、上記プッシュロッドアクチュエータ２５６それぞれの動作を命じて、活性剤貯蔵部２１２および刺激剤貯蔵部２１６それぞれからの少なくとも部分的な放出を促すよう構成されている。制御ユニット１０８は、流量センサ１２４と動作可能に連結されている。したがって、いくつかの実施形態において、制御ユニット１０８は、活性剤貯蔵部２１２と刺激剤貯蔵部２１６の一つまたは両方からの少なくとも部分的な放出を促すよう構成されてよい。いくつかの実施形態において、制御ユニット１０８は、吸気サイクル中、活性剤貯蔵部２１２と刺激剤貯蔵部２１６の一つまたは両方からの少なくとも部分的な放出を促すよう構成されてよい。いくつかの実施形態において、制御ユニット１０８は、呼気サイクル中、活性剤貯蔵部２１２と刺激剤貯蔵部２１６の一つまたは両方からの少なくとも部分的な放出を停止するよう構成されてよい。
【０１０７】
図１０は、オペレーションフロー１０００を示す。上記オペレーションフロー１０００は、対象者による吸入器の使用と関連する１つ以上のパラメータの算定を含むオペレーション１０１０と、対象者による吸入器の使用と関連する１つ以上のパラメータの算定に応じて、少なくとも１種の活性剤２１４を対象者に投与することを含むオペレーション１０２０と、上記少なくとも１種の活性剤２１４を投与することと連携して、少なくとも１種の刺激剤２１８を対象者に投与することを含むオペレーション１０３０とを含む。
【０１０８】
図１０、および上記方法を実施する際に使用されるオペレーションの種々の例を含む以下の説明において、上記複数の例の一つまたはそれらの組み合わせについて、および／または、他の例および状況について、考察および説明が行われる。しかしながら、複数の他の環境および状況においても、および／または、上記図面の改変された変形例においても、上記オペレーションが実施されることが理解されるべきである。また、種々のオペレーションは説明した順に提示されるが、上記種々のオペレーションの説明とは異なる別の順序で実行されてもよいし、上記種々のオペレーションは互いに同時に実行されてよいことも理解されるべきである。
【０１０９】
オペレーション１０１０は、対象者による吸入器の使用と関連する１つ以上のパラメータを算定することを含む。いくつかの実施形態において、システム１００を用いて、対象者による吸入器の使用と関連する１つ以上のパラメータを算定してよい。いくつかの実施形態において、システム１００の要素を用いて、対象者による吸入器の使用と関連する１つ以上のパラメータを算定してよい。例えば、いくつかの実施形態において、センサ１１４を用いて、対象者による吸入器の使用と関連する１つ以上のパラメータを算定してよい。いくつかの実施形態において、制御ユニット１０８を用いて、対象者による吸入器の使用と関連する１つ以上のパラメータを算定してよい。いくつかの実施形態において、制御ユニット１０８を用いて、対象者による吸入器の使用と関連する１つ以上のパラメータを算定してよい。いくつかの実施形態において、動作インジケータ１１６を用いて、対象者による吸入器の使用と関連する１つ以上のパラメータを算定してよい。いくつかの実施形態において、服用量カウンタ１１８を用いて、対象者による吸入器の使用と関連する１つ以上のパラメータを算定してよい。いくつかの実施形態において、ユーザインターフェース１１０を用いて、対象者による吸入器の使用と関連する１つ以上のパラメータを算定してよい。吸入器の使用と関連するさまざまなパラメータを算定してよい。そのようなパラメータの例としては、吸気、呼気、息こらえ、対象者への活性剤２１４の投与、対象者へ投与された活性剤２１４の体積、対象者に活性剤２１４が投与された時間、対象者への刺激剤２１８の投与、対象者へ投与された刺激剤２１８の体積、対象者に刺激剤２１８が投与された時間などが挙げられるが、これらに限られない。
【０１１０】
オペレーション１０２０は、吸入器の使用と関連する１つ以上のパラメータを算定することに応じて少なくとも１種の活性剤２１４を対象者に投与することを含む。いくつかの実施形態において、システム１００を用いて、吸入器の使用と関連する１つ以上のパラメータを算定することに応じて少なくとも１種の活性剤２１４を対象者に投与してよい。いくつかの実施形態において、システム１００の要素を用いて、吸入器の使用と関連する１つ以上のパラメータを算定することに応じて少なくとも１種の活性剤２１４を対象者に投与してよい。例えば、いくつかの実施形態において、アクチュエータ１２０を作動させて、活性剤貯蔵部２１２からの活性剤２１４の少なくとも部分的な放出を促してよい。いくつかの実施形態において、ブリスターパック穿刺機構２７２を作動させて、活性剤貯蔵部２１２からの活性剤２１４の少なくとも部分的な放出を促してよい。いくつかの実施形態において、エアゾールキャニスタ内容物放出機構２７０を作動させて、活性剤貯蔵部２１２からの活性剤２１４の少なくとも部分的な放出を促してよい。いくつかの実施形態において、制御ユニット１０８と動作可能に連結されたアクチュエータ１２０を作動させて、活性剤貯蔵部２１２からの活性剤２１４の少なくとも部分的な放出を促してよい。いくつかの実施形態において、制御ユニット１０８が、１つ以上の呼吸パラメータと関連する情報を、動作可能に連結されたセンサ１１４から受け取り、続いて、動作可能に連結された１つ以上のアクチュエータ１２０を作動させて、活性剤貯蔵部２１２からの活性剤２１４の少なくとも部分的な放出を促してもよい。いくつかの実施形態において、ユーザインターフェース１１０を用いて、動作可能に連結されたアクチュエータ１２０に命じて、活性剤貯蔵部２１２からの活性剤２１４の少なくとも部分的な放出を促してよい。いくつかの実施形態において、動作インジケータ１１６を用いて、動作可能に連結されたアクチュエータ１２０に命じて、活性剤貯蔵部２１２からの活性剤２１４の少なくとも部分的な放出を促してよい。したがって、システム１００内に含まれている要素のさまざまな組み合わせを用いて、少なくとも１種の活性剤２１４を対象者に投与してよい。
【０１１１】
オペレーション１０３０は、少なくとも１種の活性剤２１４を投与することに連携して、少なくとも１種の刺激剤２１８を対象者に投与することを含む。いくつかの実施形態において、システム１００を用いて、少なくとも１種の活性剤２１４を投与することに連携して、少なくとも１種の刺激剤２１８を対象者に投与してよい。いくつかの実施形態において、システム１００の要素を用いて、少なくとも１種の活性剤２１４を投与することに連携して、少なくとも１種の刺激剤２１８を対象者に投与してよい。例えば、いくつかの実施形態において、アクチュエータ１２０を作動させて、少なくとも１種の刺激剤２１８を対象者に投与してよい。いくつかの実施形態において、ブリスターパック穿刺機構２７２を作動させて、刺激剤貯蔵部２１６からの刺激剤２１８の少なくとも部分的な放出を促してよい。いくつかの実施形態において、エアゾールキャニスタ内容物放出機構２７０を作動させて、刺激剤貯蔵部２１６からの刺激剤２１８の少なくとも部分的な放出を促してよい。いくつかの実施形態において、制御ユニット１０８と動作可能に連結されたアクチュエータ１２０を作動させて、少なくとも１種の刺激剤２１８を対象者に投与してよい。いくつかの実施形態において、制御ユニット１０８が、１つ以上の呼吸パラメータと関連する情報を、動作可能に連結されたセンサ１１４から受け取り、続いて、動作可能に連結された１つ以上のアクチュエータ１２０を作動させて、少なくとも１種の刺激剤２１８を対象者に投与してよい。いくつかの実施形態において、ユーザインターフェース１１０を用いて、動作可能に連結されたアクチュエータ１２０に命じて、少なくとも１種の刺激剤２１８を対象者に投与してよい。いくつかの実施形態において、動作インジケータ１１６を用いて、動作可能に連結されたアクチュエータ１２０に命じて、少なくとも１種の刺激剤２１８を対象者に投与してよい。したがって、システム１００内に含まれている要素のさまざまな組み合わせを用いて、少なくとも１種の刺激剤２１８を対象者に投与してよい。
【０１１２】
いくつかの実施形態において、オペレーション１０１０は、呼吸と関連する１つ以上のパラメータを算定することを含む（不図示）。いくつかの実施形態において、システム１００を用いて、呼吸と関連する１つ以上のパラメータを算定してよい。例えば、いくつかの実施形態において、１つ以上のセンサ１１４を、呼吸と関連する１つ以上のパラメータを算定するよう構成してよい。いくつかの実施形態において、１つ以上の制御ユニット１０８を、呼吸と関連する１つ以上のパラメータを算定するよう構成してよい。吸入器を使用する対象者の呼吸と関連するさまざまなパラメータを算定してよい。そのようなパラメータの例としては、吸気サイクルと関連した時間、呼気サイクルと関連した時間、息こらえサイクルと関連した時間、流路１０４を通る吸気の流れの体積、流路１０４を通る呼気の流れの体積、流路１０４における流速などが挙げられるが、これらに限られない。
【０１１３】
いくつかの実施形態において、オペレーション１０１０は、吸気と関連する１つ以上のパラメータを算定することを含む（不図示）。いくつかの実施形態において、システム１００を用いて、吸気と関連する１つ以上のパラメータを算定してよい。例えば、いくつかの実施形態において、１つ以上のセンサ１１４を、吸気と関連する１つ以上のパラメータを算定するよう構成してよい。いくつかの実施形態において、１つ以上の制御ユニット１０８を、吸気と関連する１つ以上のパラメータを算定するよう構成してよい。吸入器を使用する対象者の吸気と関連するさまざまなパラメータを算定してよい。そのようなパラメータの例としては、吸気サイクルと関連した時間、流路１０４を通る吸気の流れの体積、吸気サイクル中の流路１０４における流速などが挙げられるが、これらに限られない。
【０１１４】
いくつかの実施形態において、オペレーション１０１０は、呼気と関連する１つ以上のパラメータを算定することを含む（不図示）。いくつかの実施形態において、システム１００を用いて、呼気と関連する１つ以上のパラメータを算定してよい。例えば、いくつかの実施形態において、１つ以上のセンサ１１４を、呼気と関連する１つ以上のパラメータを算定するよう構成してよい。いくつかの実施形態において、１つ以上の制御ユニット１０８を、呼気と関連する１つ以上のパラメータを算定するよう構成してよい。吸入器を使用する対象者の呼気と関連するさまざまなパラメータを算定してよい。そのようなパラメータの例としては、（１）呼気サイクルと関連した時間、（２）流路１０４における呼気の流量、（３）呼気サイクル中の流路１０４における流速、などが挙げられるが、これらに限られない。
【０１１５】
いくつかの実施形態において、オペレーション１０１０は、息こらえと関連する１つ以上のパラメータを算定することを含む（不図示）。いくつかの実施形態において、システム１００を用いて、息こらえと関連する１つ以上のパラメータを算定してよい。例えば、いくつかの実施形態において、１つ以上のセンサ１１４を、息こらえと関連する１つ以上のパラメータを算定するよう構成してよい。いくつかの実施形態において、１つ以上の制御ユニット１０８を、息こらえと関連する１つ以上のパラメータを算定するよう構成してよい。吸入器を使用する対象者の息こらえと関連するさまざまなパラメータを算定してよい。そのようなパラメータの例としては、（１）息こらえサイクルと関連した時間、（２）流路１０４を通して吸気され息こらえサイクルのあいだ保持されていた流量、（３）息こらえサイクルの前の吸気サイクル中の流路１０４における流速、などが挙げられるが、これらに限られない。
【０１１６】
いくつかの実施形態において、オペレーション１０１０は、吸入器を流れる気体の１つ以上の体積を算定することを含む（不図示）。いくつかの実施形態において、システム１００を用いて、吸入器を流れる気体の１つ以上の体積を算定してよい。例えば、いくつかの実施形態において、１つ以上のセンサ１１４は、吸入器内に配設された１つ以上の流路１０４を流れる気体の１つ以上の体積を算定する体積センサ１２８として構成されてよい。
【０１１７】
いくつかの実施形態において、オペレーション１０１０は、吸入器を流れる気体の速度を算定することを含む（不図示）。いくつかの実施形態において、システム１００を用いて、吸入器を流れる気体の速度を算定してよい。いくつかの実施形態において、１つ以上のセンサ１１４は、吸入器内に配設された１つ以上の流路を流れる気体の速度を算定するよう構成されてよい。例えば、いくつかの実施形態において、速度計１３８を用いて、吸入器内に配設された１つ以上の流路１０４を流れる気体の速度を算定してよい。
【０１１８】
いくつかの実施形態において、オペレーション１０１０は、対象者によって吸入器に加えられる負圧（例えば、周囲の大気圧に対する真空度または吸引力）の量を算定することを含む（不図示）。いくつかの実施形態において、システム１００を用いて、吸入器を使用する対象者が当該吸入器に加える負圧の量を算定してよい。いくつかの実施形態において、１つ以上のセンサ１１４は、吸入器を使用する対象者が当該吸入器に加える負圧の量を測定するよう構成されてもよい。例えば、いくつかの実施形態において、真空センサ１３２を用いて、吸入器を使用する対象者が当該吸入器に加える負圧の量を算定してよい。
【０１１９】
いくつかの実施形態において、オペレーション１０１０は、対象者と吸入器のあいだの物理的接触の質を算定することを含んでよい（不図示）。いくつかの実施形態において、システム１００を用いて、対象者と、当該対象者の用いる吸入器とのあいだの物理的接触の質を算定してよい。いくつかの実施形態において、１つ以上のセンサ１１４は、対象者と、当該対象者の用いる吸入器とのあいだの物理的接触の質を算定するよう構成されてよい。例えば、いくつかの実施形態において、圧力センサ１３０（例えば、歪みセンサおよび／または圧迫センサ）は、対象者の用いる吸入器のマウスピースに加えられる力の量を測定するよう構成されてよい。
【０１２０】
いくつかの実施形態において、オペレーション１０１０は、吸入器を通しての吸気サイクル、息こらえサイクル、呼気サイクルのいずれかと関連する時間を算定することを含んでよい（不図示）。いくつかの実施形態において、システム１００を用いて、吸入器内部に配設された１つ以上の流路１０４を通しての吸気サイクル、息こらえサイクル、呼気サイクルのいずれかと関連する時間を算定してよい。いくつかの実施形態において、１つ以上のセンサ１１４は、吸入器内部に配設された１つ以上の流路１０４を通しての吸気サイクル、息こらえサイクル、呼気サイクルのいずれかと関連する時間を算定するよう構成されてよい。例えば、いくつかの実施形態において、タイマー１３４を用いて、吸入器内部に配設された１つ以上の流路１０４を通しての吸気サイクル、息こらえサイクル、呼気サイクルのいずれかと関連する時間を算定してよい。
【０１２１】
いくつかの実施形態において、オペレーション１０１０は、呼吸パラメータと関連する少なくとも一つの値が閾値を満たすか超えるかどうか評価することを含む（不図示）。いくつかの実施形態において、システム１００を用いて、呼吸パラメータと関連する少なくとも一つの値が閾値を満たすか超えるかどうか評価してよい。いくつかの実施形態において、１つ以上のセンサ１１４および１つ以上の制御ユニット１０８は、呼吸パラメータと関連する少なくとも一つの値が閾値を満たすか超えるかどうか評価するよう構成されてよい。例えば、いくつかの実施形態において、センサ１１４は、少なくとも一つの呼吸パラメータと関連する少なくとも一つの値を算定し、続いて、当該値を含む１つ以上の信号を制御ユニット１０８に送り、当該制御ユニット１０８が、当該値が閾値を満たすか超えるかどうか判定するようにする、流量センサ１２４として構成されてよい。さまざまな呼吸パラメータを評価して、当該呼吸パラメータが関連する閾値を満たすか超えるかどうか判定してよい。そのような呼吸パラメータの例としては、（１）吸入器内に配設された１つ以上の流路における流量、（２）吸入器内に配設された１つ以上の流路における流速、などが挙げられるが、それらに限られない。
【０１２２】
いくつかの実施形態において、オペレーション１０１０は、吸気パラメータと関連する少なくとも一つの値が閾値を満たすか超えるかどうか評価することを含む（不図示）。いくつかの実施形態において、システム１００を用いて、吸気パラメータと関連する少なくとも一つの値が閾値を満たすか超えるかどうか評価してよい。いくつかの実施形態において、１つ以上のセンサ１１４および１つ以上の制御ユニット１０８は、吸気パラメータと関連する少なくとも一つの値が閾値を満たすか超えるかどうか評価するよう構成されてよい。例えば、いくつかの実施形態において、センサ１１４は、少なくとも一つの吸気パラメータと関連する少なくとも一つの値を算定し、続いて、当該値を含む１つ以上の信号を制御ユニット１０８に送り、当該制御ユニット１０８が、当該値が閾値を満たすか超えるかどうか判定するようにする、流量センサ１２４として構成されてよい。さまざまな吸気パラメータを評価して、当該吸気パラメータが関連する閾値を満たすか超えるかどうか判定してよい。そのような吸気パラメータの例としては、（１）吸気サイクル中の、吸入器内に配設された１つ以上の流路における流量、（２）吸気サイクル中の、吸入器内に配設された１つ以上の流路における流速、などが挙げられるが、それらに限られない。
【０１２３】
いくつかの実施形態において、オペレーション１０１０は、呼気パラメータと関連する少なくとも一つの値が閾値を満たすか超えるかどうか評価することを含む（不図示）。いくつかの実施形態において、システム１００を用いて、呼気パラメータと関連する少なくとも一つの値が閾値を満たすか超えるかどうか評価してよい。いくつかの実施形態において、１つ以上のセンサ１１４および１つ以上の制御ユニット１０８は、呼気パラメータと関連する少なくとも一つの値が閾値を満たすか超えるかどうか評価するよう構成されてよい。例えば、いくつかの実施形態において、センサ１１４は、少なくとも一つの呼気パラメータと関連する少なくとも一つの値を算定し、続いて、当該値を含む１つ以上の信号を制御ユニット１０８に送り、当該制御ユニット１０８が、当該値が閾値を満たすか超えるかどうか判定するようにする、流量センサ１２４として構成されてよい。さまざまな呼気パラメータを評価して、当該呼気パラメータが関連する閾値を満たすか超えるかどうか判定してよい。そのような呼気パラメータの例としては、（１）呼気サイクル中の、吸入器内に配設された１つ以上の流路における流量、（２）呼気サイクル中の、吸入器内に配設された１つ以上の流路における流速、などが挙げられるが、それらに限られない。
【０１２４】
いくつかの実施形態において、オペレーション１０１０は、息こらえパラメータと関連する少なくとも一つの値が閾値を満たすか超えるかどうか評価することを含む（不図示）。いくつかの実施形態において、システム１００を用いて、息こらえパラメータと関連する少なくとも一つの値が閾値を満たすか超えるかどうか評価してよい。いくつかの実施形態において、１つ以上のセンサ１１４および１つ以上の制御ユニット１０８は、息こらえパラメータと関連する少なくとも一つの値が閾値を満たすか超えるかどうか評価するよう構成されてよい。例えば、いくつかの実施形態において、タイマー１３４を用いて、吸入器を使用する対象者の息こらえサイクルと関連する時間の長さを測定し、続いて、当該情報を含む１つ以上の信号を制御ユニット１０８に送り、当該制御ユニット１０８が、当該息こらえ値が閾値を満たすか超えるかどうか判定するようにしてよい。いくつかの実施形態において、センサ１１４は、吸入器内に配設された１つ以上の流路を通り、吸入器を使用する対象者の息こらえサイクル中に保持されている流れの体積を算定し、続いて、当該情報を含む１つ以上の信号を制御ユニット１０８に送り、当該制御ユニット１０８が前記息こらえ値が閾値を満たすか上回るかどうか評価するようにする、流量センサ１２４として構成されてもよい。
【０１２５】
いくつかの実施形態において、オペレーション１０１０は、１つ以上の吸気パラメータと関連する１つ以上の値を算定し、上記１つ以上の吸気パラメータと関連する１つ以上の算定値に応じて効果的に投与される少なくとも１種の活性剤２１４の量を推定することを含む（不図示）。いくつかの実施形態において、システム１００を用いて、１つ以上の吸気パラメータと関連する１つ以上の値を算定し、上記１つ以上の吸気パラメータと関連する１つ以上の算定値に応じて効果的に投与される少なくとも１種の活性剤２１４の量を推定してよい。さまざまな吸気パラメータと関連するパラメータを算定してよい。そのようなパラメータの例としては、（１）吸入器を使用する対象者の吸気サイクル中の、１つ以上の流路１０４における流量、（２）吸入器を使用する対象者の吸気サイクル中の、１つ以上の流路１０４における流速、（３）吸入器を使用する対象者の吸気の頻度、（４）吸入器を使用する対象者の吸気の時間、（５）１つ以上の流路１０４を流れる活性剤２１４の量、などが挙げられるが、これらに限られない。いくつかの実施形態において、センサ１１４を用いて、吸気パラメータと関連する１つ以上の値を測定してよい。センサ１１４は、続いて、上記１つ以上の値を含む１つ以上の信号を制御ユニット１０８に送り、当該制御ユニット１０８が上記１つ以上の値を用いて、投与される少なくとも１種の活性剤２１４の量を推定してよい。いくつかの実施形態において、制御ユニット１０８は、対象者に関する情報を、吸気パラメータと関連する１つ以上の算定値とともに用いてよい。例えば、いくつかの実施形態において、制御ユニット１０８は、対象者が吸気した流れの総体積を、算定した吸気値および吸気サイクル中に流路１０４を流れた活性剤２１４の量とともに用いて、上記対象者に効果的に投与された活性剤２１４の量を推定してよい。
【０１２６】
いくつかの実施形態において、オペレーション１０１０は、１つ以上の息こらえパラメータと関連する１つ以上の値を算定し、上記１つ以上の息こらえパラメータと関連する１つ以上の算定値に応じて効果的に投与される少なくとも１種の活性剤２１４の量を推定することを含む（不図示）。いくつかの実施形態において、システム１００を用いて、１つ以上の息こらえパラメータと関連する１つ以上の値を算定し、上記１つ以上の息こらえパラメータと関連する１つ以上の算定値に応じて効果的に投与される少なくとも１種の活性剤２１４の量を推定してよい。さまざまな息こらえパラメータと関連するパラメータを算定してよい。そのようなパラメータの例としては、（１）息こらえサイクル中に保持された流量、（２）息こらえサイクルの時間、（３）息こらえサイクルの前の吸気中に１つ以上の流路を流れる活性剤２１４の量、などが挙げられるが、これらに限られない。いくつかの実施形態において、センサ１１４を用いて、息こらえサイクルと関連する１つ以上の値を算定してよい。センサ１１４は、続いて、上記１つ以上の値を含む１つ以上の信号を制御ユニット１０８に送り、制御ユニット１０８が上記１つ以上の値を用いて、投与される少なくとも１種の活性剤２１４の量を推定してよい。いくつかの実施形態において、制御ユニット１０８は、対象者に関する情報を、息こらえサイクルと関連する１つ以上の算定値とともに用いてよい。例えば、いくつかの実施形態において、制御ユニット１０８は、対象者と関連する身体パラメータ（例えば、総肺活量）を、決定された息こらえ値および吸気サイクル中に流路１０４を流れた活性剤２１４の量とともに用いて、上記対象者に効果的に投与された活性剤２１４の量を推定してよい。
【０１２７】
いくつかの実施形態において、オペレーション１０１０は、１つ以上の吸気パラメータと関連する１つ以上の値を算定し、上記１つ以上の吸気パラメータと関連する１つ以上の算定値に応じて効果的に投与される少なくとも１種の刺激剤２１８の量を推定することを含む（不図示）。いくつかの実施形態において、システム１００を用いて、１つ以上の吸気パラメータと関連する１つ以上の値を算定し、上記１つ以上の吸気パラメータと関連する１つ以上の算定値に応じて効果的に投与される少なくとも１種の刺激剤２１８の量を推定してよい。さまざまな吸気パラメータを算定してよい。そのようなパラメータの例としては、（１）吸気サイクル中の、１つ以上の流路１０４における流量、（２）吸気サイクル中の、１つ以上の流路１０４における流速、（３）１つ以上の流路１０４を流れる刺激剤２１８の量、などが挙げられるが、これらに限られない。いくつかの実施形態において、センサ１１４を用いて、吸気パラメータと関連する１つ以上の値を算定してよい。センサ１１４は、続いて、上記１つ以上の値を含む１つ以上の信号を制御ユニット１０８に送り、当該制御ユニット１０８が上記１つ以上の値を用いて、投与される少なくとも１種の刺激剤２１８の量を推定してよい。いくつかの実施形態において、制御ユニット１０８は、対象者に関する情報を、吸気パラメータと関連する１つ以上の算定値とともに用いてよい。例えば、いくつかの実施形態において、制御ユニット１０８は、対象者と関連する身体パラメータ（例えば、総肺活量）を、吸気パラメータに関する算定値および吸気サイクル中に流路１０４を流れた刺激剤２１８の量とともに用いて、上記対象者に効果的に投与された刺激剤２１８の量を推定してよい。
【０１２８】
いくつかの実施形態において、オペレーション１０１０は、１つ以上の息こらえパラメータと関連する１つ以上の値を算定し、上記１つ以上の息こらえパラメータと関連する１つ以上の算定値に応じて効果的に投与される少なくとも１種の刺激剤２１８の量を推定することを含む（不図示）。いくつかの実施形態において、システム１００を用いて、１つ以上の息こらえパラメータと関連する１つ以上の値を算定し、上記１つ以上の息こらえパラメータと関連する１つ以上の算定値に応じて効果的に投与される少なくとも１種の刺激剤２１８の量を推定してよい。さまざまな息こらえパラメータを算定してよい。そのようなパラメータの例としては、（１）息こらえサイクル中に保持された１つ以上の流路１０４における流量、（２）息こらえサイクルと関連する時間、（３）息こらえサイクルの前の吸気サイクル中に１つ以上の流路１０４を流れる刺激剤２１８の量、などが挙げられるが、これらに限られない。いくつかの実施形態において、センサ１１４を用いて、息こらえパラメータと関連する１つ以上の値を算定してよい。センサ１１４は、続いて、上記１つ以上の値を含む１つ以上の信号を制御ユニット１０８に送り、当該制御ユニット１０８が上記１つ以上の値を用いて、投与される少なくとも１種の刺激剤２１８の量を推定してよい。いくつかの実施形態において、制御ユニット１０８は、対象者に関する情報を、息こらえパラメータと関連する１つ以上の算定値とともに用いてよい。例えば、いくつかの実施形態において、制御ユニット１０８は、対象者と関連する身体パラメータ（例えば、総肺活量）を、息こらえパラメータに関する算定値および吸気サイクル中に流路１０４を流れた刺激剤２１８の量とともに用いて、上記対象者に効果的に投与される刺激剤２１８の量を推定してよい。いくつかの実施形態において、制御ユニット１０８は、刺激剤２１８と関連する吸収率を用いて、対象者に投与される刺激剤２１８の量を推定してよい。
【０１２９】
いくつかの実施形態において、オペレーション１０２０は、吸入器の使用に関する１つ以上のパラメータに関する少なくとも１つの数値が閾値を満たすか超えた場合に、少なくとも１つの活性剤２１４を対象者に投与する工程を含む（図示せず）。いくつかの実施形態において、システム１００は、吸入器の使用に関する１つ以上のパラメータに関する少なくとも１つの数値が閾値を満たすか超えた場合に、少なくとも１つの活性剤２１４を対象者に投与するために使用されてもよい。例えば、いくつかの実施形態において、制御ユニット１０８は、対象者による吸気サイクル中、吸入器内に配置された１つ以上の流路１０４を通る流れの速さに関する１つ以上の算定された数値を含む１つ以上の信号を、センサ１１４から受け取ってもよい。制御ユニット１０８は、上記１つ以上の算定された数値を、吸気サイクル中の流れの速度に関する１つ以上の閾値と比較し、上記１つ以上の算定された数値が上記１つ以上の閾値を満たすか超えた場合に、１つ以上のアクチュエータ１２０を作動させ、それによって、１つ以上の活性剤貯蔵部２１２からの１つ以上の活性剤２１４の少なくとも部分的な放出を促し、吸入器を使用する対象者に１つ以上の活性剤２１４を投与してよい。
【０１３０】
いくつかの実施形態において、オペレーション１０２０は、呼吸パラメータに関する少なくとも１つの数値の算定に応じて、少なくとも１つの活性剤２１４を対象者に投与する工程を含む（図示せず）。いくつかの実施形態において、システム１００は、呼吸パラメータに関する少なくとも１つの数値の算定に応じて、少なくとも１つの活性剤２１４を対象者に投与するために使用されてもよい。例えば、いくつかの実施形態において、制御ユニット１０８は、対象者によって用いられる吸入器内に配置された１つ以上の流路１０４における流量に関する１つ以上の算定された数値を含む１つ以上の信号を、センサ１１４から受け取ってもよい。制御ユニット１０８は、その後、算定された数値を用いて、算定された流れの体積に基づいて、活性剤貯蔵部２１２から放出される活性剤２１４の量を決定してよい。いくつかの実施形態において、制御ユニット１０８は、吸入器を使用する対象者の吸気サイクルに関する期間に関する情報を受け取ってもよい。制御ユニット１０８は、その後、アクチュエータ１２０に命令して、吸気サイクルの早期段階のあいだに活性剤貯蔵部２１２からの少なくとも部分的な放出を促してもよい。
【０１３１】
いくつかの実施形態において、オペレーション１０２０は、呼吸パラメータに関する少なくとも１つの数値が閾値を満たすか超えた場合に、少なくとも１つの活性剤２１４を対象者に投与する工程を含む（図示せず）。いくつかの実施形態において、システム１００は、呼吸パラメータに関する少なくとも１つの数値が閾値を満たすか超えた場合に、少なくとも１つの活性剤２１４を対象者に投与するために使用されてもよい。例えば、いくつかの実施形態において、制御ユニット１０８は、吸気サイクルのあいだに対象者によって用いられる吸入器内に配置された１つ以上の流路１０４を通る流れの速さに関する１つ以上の算定された数値を含む１つ以上の信号を、１つ以上のセンサ１１４から受け取ってもよい。制御ユニット１０８は、上記１つ以上の算定された数値を流れの速さに関する１つ以上の閾値と比較し、流れの速さに関する上記１つ以上の算定された数値が閾値を満たすか超えた場合に、１つ以上のアクチュエータ１２０を作動させ、それによって、１つ以上の活性剤貯蔵部２１２からの１つ以上の活性剤２１４の少なくとも部分的な放出を促して、吸入器を使用する対象者に１つ以上の活性剤２１４を投与してよい。いくつかの実施形態において、制御ユニット１０８は、吸気サイクルのあいだに対象者によって用いられる吸入器内に配置された１つ以上の流路１０４における流量に関する１つ以上の算定された数値を含む１つ以上の信号を、センサ１１４から受け取ってもよい。制御ユニット１０８は、上記１つ以上の算定された数値を吸気サイクルの間の流れの体積に関する１つ以上の閾値と比較してもよい。制御ユニット１０８は、その後、吸気サイクルのあいだに対象者によって用いられる吸入器内に配置された１つ以上の流路１０４を通る流れの速さに関する１つ以上の算定された数値を含む１つ以上の信号を、センサ１１４から受け取ってもよい。制御ユニット１０８は、その後、上記１つ以上の算定された数値を吸気サイクルの間の流れの速さに関する１つ以上の閾値と比較してもよい。それから、制御ユニット１０８は、流れの体積および流れの速さに関する１つ以上の測定値がそれぞれ流れの体積および流れの速さに関する閾値を満たすか超えた場合に、１つ以上のアクチュエータ１２０を作動させ、それによって、１つ以上の活性剤貯蔵部２１２からの１つ以上の活性剤２１４の少なくとも部分的な放出を促し、吸入器を使用する対象者に１つ以上の製剤２１４を投与してよい。
【０１３２】
いくつかの実施形態において、オペレーション１０２０は、吸気パラメータに関する少なくとも１つの数値が閾値を満たすか超えた場合に、少なくとも１つの活性剤２１４を対象者に投与する工程を含む（図示せず）。いくつかの実施形態において、システム１００は、吸気パラメータに関する少なくとも１つの数値が閾値を満たすか超えた場合に、少なくとも１つの活性剤２１４を対象者に投与するために使用されてもよい。例えば、いくつかの実施形態において、制御ユニット１０８は、吸気サイクル中、対象者によって用いられる吸入器内に配置された１つ以上の流路１０４を通る流れの速さに関する１つ以上の算定された数値を含む１つ以上の信号を、センサ１１４から受け取ってもよい。制御ユニット１０８は、上記１つ以上の算定された数値を流れの速さに関する１つ以上の閾値と比較し、流れの速さに関する上記１つ以上の算定された数値が上記閾値を満たすか超えた場合に、１つ以上のアクチュエータ１２０を作動させ、それによって、１つ以上の活性剤貯蔵部２１２からの１つ以上の活性剤２１４の少なくとも部分的な放出を促し、吸入器を使用する対象者に１つ以上の活性剤２１４を投与してよい。
【０１３３】
いくつかの実施形態において、オペレーション１０２０は、息こらえパラメータに関する少なくとも１つの数値が閾値を満たすか超えた場合に、少なくとも１つの活性剤２１４を対象者に投与する工程を含む（図示せず）。いくつかの実施形態において、システム１００は、息こらえパラメータに関する少なくとも１つの数値が閾値を満たすか超えた場合に、少なくとも１つの活性剤２１４を対象者に投与するために使用されてもよい。例えば、いくつかの実施形態において、制御ユニット１０８は、吸入器を使用する対象者による息こらえ期間に関する１つ以上の算定された時間値を含む１つ以上の信号を受け取ってもよい。制御ユニット１０８は、上記１つ以上の算定された時間値を息こらえ期間に関する１つ以上の時間閾値と比較し、息こらえ期間に関する上記１つ以上の算定された時間値が上記１つ以上の閾値を満たすか超えた場合に、１つ以上のアクチュエータ１２０を作動させ、それによって、１つ以上の活性剤貯蔵部２１２からの１つ以上の活性剤２１４の少なくとも部分的な放出を促し、吸入器を使用する対象者に１つ以上の活性剤２１４を投与してよい。いくつかの実施形態において、制御ユニット１０８は、息こらえ期間のあいだに吸入器を使用する対象者によって保持された流れの体積に関する１つ以上の算定された数値を含む１つ以上の信号を、センサ１１４から受け取ってもよい。制御ユニット１０８は、保持した流れの体積に関する１つ以上の算定された数値を流れの体積に関する１つ以上の閾値と比較してもよい。制御ユニット１０８は、息こらえ期間のあいだに対象者によって保持された流れの体積に関する１つ以上の算定された数値が１つ以上の閾値を満たすか超えた場合に、１つ以上のアクチュエータ１２０を作動させ、それによって、１つ以上の活性剤貯蔵部２１２からの１つ以上の活性剤２１４の少なくとも部分的な放出を促し、吸入器を使用する対象者に１つ以上の活性剤２１４を投与してよい。
【０１３４】
いくつかの実施形態において、オペレーション１０２０は、呼気パラメータに関する少なくとも１つの数値が閾値を満たすか超えた場合に、少なくとも１つの活性剤２１４を対象者に投与する工程を含む（図示せず）。いくつかの実施形態において、システム１００は、呼気パラメータに関する少なくとも１つの数値が閾値を満たすか超えた場合に、少なくとも１つの活性剤２１４を対象者に投与するために使用されてもよい。例えば、いくつかの実施形態において、制御ユニット１０８は、呼気サイクル中、対象者によって用いられる吸入器内に配置された１つ以上の流路１０４における流量に関する１つ以上の算定された数値を含む１つ以上の信号を、センサ１１４から受け取ってもよい。制御ユニット１０８は、上記１つ以上の算定された数値を流れの体積に関する１つ以上の閾値と比較し、流れの体積に関する上記１つ以上の算定された数値が上記１つ以上の閾値を満たすか超えた場合に、１つ以上のアクチュエータ１２０を作動させ、それによって、１つ以上の活性剤貯蔵部２１２からの１つ以上の活性剤２１４の少なくとも部分的な放出を促し、吸入器を使用する対象者に１つ以上の活性剤２１４を投与してよい。いくつかの実施形態において、制御ユニット１０８は、呼気された流れの体積が閾値を満たすか超えた呼気サイクルに続く吸気サイクルの開始時に、１つ以上のアクチュエータ１２０を作動させ、それによって、１つ以上の活性剤貯蔵部２１２からの少なくとも部分的な放出を促してよい。
【０１３５】
いくつかの実施形態において、オペレーション１０２０は、呼気パラメータに関する少なくとも１つの数値が閾値を満たすか超えた場合と、吸気パラメータに関する少なくとも１つの数値が閾値を満たすか超えた場合とに、少なくとも１つの活性剤２１４を対象者に投与する工程を含む（図示せず）。いくつかの実施形態において、システム１００は、呼気パラメータに関する少なくとも１つの数値が閾値を満たすか超えた場合と、吸気パラメータに関する少なくとも１つの数値が閾値を満たすか超えた場合とに、少なくとも１つの活性剤２１４を対象者に投与するために使用されてもよい。例えば、いくつかの実施形態において、制御ユニット１０８は、呼気サイクル中、対象者によって用いられる吸入器内に配置された１つ以上の流路１０４における流量に関する１つ以上の算定された数値を含む１つ以上の信号を、センサ１１４から受け取ってもよい。制御ユニット１０８は、上記１つ以上の算定された数値を流れの体積に関する１つ以上の閾値と比較してもよい。それから、制御ユニット１０８は、吸気サイクル中、対象者によって用いられる吸入器内に配置された１つ以上の流路１０４を通る流れの速さに関する１つ以上の算定された数値を含む１つ以上の信号を受け取って、上記１つ以上の算定された数値を流れの速さに関する１つ以上の閾値と比較してもよい。そして、制御ユニット１０８は、吸気サイクル中の流れの速さが閾値を満たすか超え、かつ、呼気された流れの体積が閾値を満たすか超えた場合に、アクチュエータ１２０を作動させ、それによって、吸気サイクル中に１つ以上の活性剤貯蔵部２１２からの少なくとも部分的な放出を促し、吸入器を使用する対象者に１つ以上の活性剤２１４を投与してよい。
【０１３６】
いくつかの実施形態において、オペレーション１０３０は、少なくとも１つの活性剤２１４を投与した後に、少なくとも１つの刺激剤２１８を投与する工程を含む（図示せず）。いくつかの実施形態において、システム１００は、少なくとも１つの活性剤２１４を投与した後に、少なくとも１つの刺激剤２１８を投与するために使用されてもよい。いくつかの実施形態において、制御ユニット１０８は、１つ以上のアクチュエータ１２０に命令して、１つ以上の活性剤貯蔵部２１２からの少なくとも部分的な放出を促し、それによって吸入器を使用する対象者に１つ以上の活性剤２１４を投与し、続いて、１つ以上のアクチュエータ１２０に命令して、１つ以上の刺激剤貯蔵部２１６からの少なくとも部分的な放出を促し、それによって上記対象者に１つ以上の刺激剤２１８を投与してよい。
【０１３７】
いくつかの実施形態において、オペレーション１０３０は、少なくとも１つの活性剤２１４を投与するのと実質的に同時に、少なくとも１つの刺激剤２１８を投与する工程を含む（図示せず）。いくつかの実施形態において、システム１００は、少なくとも１つの活性剤２１４を投与するのと実質的に同時に、少なくとも１つの刺激剤２１８を投与するために使用されてもよい。いくつかの実施形態において、制御ユニット１０８は、１つ以上のアクチュエータ１２０に命令して、１つ以上の活性剤貯蔵部２１２からの少なくとも部分的な放出を促し、それによって吸入器を使用する対象者に１つ以上の活性剤２１４を投与することと、１つ以上のアクチュエータ１２０に命令して、１つ以上の刺激剤貯蔵部２１６からの少なくとも部分的な放出を促し、それによって上記対象者に１つ以上の刺激剤２１８を投与することを、実質的に同時に行ってもよい。
【０１３８】
いくつかの実施形態において、オペレーション１０３０は、少なくとも１つの活性剤２１４を投与する前に、少なくとも１つの刺激剤２１８を投与する工程を含む（図示せず）。いくつかの実施形態において、システム１００は、少なくとも１つの活性剤２１４を投与する前に、少なくとも１つの刺激剤２１８を投与するために使用されてもよい。いくつかの実施形態において、制御ユニット１０８は、１つ以上のアクチュエータ１２０に命令して、１つ以上の刺激剤貯蔵部２１６からの少なくとも部分的な放出を促し、それによって吸入器を使用する対象者に１つ以上の刺激剤２１８を投与し、その後、１つ以上のアクチュエータ１２０に命令して、１つ以上の活性剤貯蔵部２１２からの少なくとも部分的な放出を促し、それによって上記対象者に１つ以上の活性剤２１４を後の時期に投与してよい。
【０１３９】
いくつかの実施形態において、オペレーション１０３０は、カフェインを投与する工程を含む（図示せず）。いくつかの実施形態において、システム１００は、１つ以上のアクチュエータ１２０に命令して、１つ以上の刺激剤貯蔵部２１６からの少なくとも部分的な放出を促し、それによって吸入器を使用する対象者にカフェインを投与してよい。
【０１４０】
いくつかの実施形態において、オペレーション１０３０は、ニコチンを投与する工程を含む（図示せず）。いくつかの実施形態において、システム１００は、ニコチンを投与するために使用されてもよい。いくつかの実施形態において、制御ユニット１０８は、１つ以上のアクチュエータ１２０に命令して、１つ以上の刺激剤貯蔵部２１６からの少なくとも部分的な放出を促し、それによって吸入器を使用する対象者にニコチンを投与してよい。
【０１４１】
いくつかの実施形態において、オペレーション１０３０は、香料を投与する工程を含む（図示せず）。いくつかの実施形態において、システム１００は、香料を投与するために使用されてもよい。いくつかの実施形態において、制御ユニット１０８は、１つ以上のアクチュエータ１２０に命令して、１つ以上の刺激剤貯蔵部２１６からの少なくとも部分的な放出を促し、それによって吸入器を使用する対象者に香料を投与してよい。さまざまな種類の香料を投与してもよい。香料の例は、オレンジ香料、レモン香料、チェリー香料などが挙げられるが、これらに限られない。
【０１４２】
いくつかの実施形態において、オペレーション１０３０は、メントールを投与する工程を含む（図示せず）。いくつかの実施形態において、システム１００は、メントールを投与するために使用されてもよい。いくつかの実施形態において、制御ユニット１０８は、１つ以上のアクチュエータ１２０に命令して、１つ以上の刺激剤貯蔵部２１６からの少なくとも部分的な放出を促し、それによって吸入器を使用する対象者にメントールを投与してよい。
【０１４３】
いくつかの実施形態において、オペレーション１０３０は、対象者に投与された少なくとも１つの活性剤２１４の量に基づいた量の少なくとも１つの刺激剤２１８を投与する工程を含む（図示せず）。いくつかの実施形態において、システム１００は、対象者に投与された少なくとも１つの活性剤２１４の量に基づいた量の少なくとも１つの刺激剤２１８を投与するために使用されてもよい。いくつかの実施形態において、光学センサ１２６は、対象者によって用いられる吸入器内に配置された１つ以上の流路１０４を通って流れる１つ以上の活性剤２１４の量を算定するために使用されてもよい。いくつかの実施形態において、位相ドップラー干渉計１３６は、対象者によって用いられる吸入器内に配置された１つ以上の流路１０４を通って流れる１つ以上の活性剤２１４の量を算定するために使用されてもよい。いくつかの実施形態において、超音波流量計１４０は、対象者によって用いられる吸入器内に配置された１つ以上の流路１０４を通って流れる１つ以上の活性剤２１４の量を算定するために使用されてもよい。いくつかの実施形態において、センサ１１４は、１つ以上の活性剤２１４の量に関する１つ以上の算定された数値を含む１つ以上の信号を、吸入器を使用する対象者に投与された１つ以上の活性剤２１４の量を特定するための１つ以上の算定された数値を用いる制御ユニット１０８に、送信してもよい。制御ユニット１０８は、その後、１つ以上のアクチュエータ１２０に命令して、１つ以上の刺激剤貯蔵部２１６からの少なくとも部分的な放出を促し、それによって、吸入器を使用する対象者に、１つ以上の刺激剤２１８を、対象者に投与された１つ以上の活性剤２１４の量に関連する量だけ、投与してよい。いくつかの実施形態において、刺激剤２１８の量は、対象者に投与された１つ以上の活性剤２１４の量に比例してもよい。
【０１４４】
いくつかの実施形態において、オペレーション１０３０は、吸入器の使用に関する１つ以上のパラメータの算定に応じて、少なくとも１つの刺激剤２１８を投与する工程を含む（図示せず）。いくつかの実施形態において、システム１００は、吸入器の使用に関する１つ以上のパラメータの算定に応じて、少なくとも１つの刺激剤２１８を投与するために使用されてもよい。刺激剤２１８は、さまざまな種類のパラメータの算定に応じて、投与されてもよい。このようなパラメータの例としては、（１）吸入器による吸気に関するパラメータ、（２）吸入器による呼気に関するパラメータ、（３）吸入器を使用するあいだの息こらえに関するパラメータ、（４）吸入器を使用する対象者への１つ以上の活性剤２１４の投与に関するパラメータ、（５）吸入器を使用する対象者への１つ以上の刺激剤２１８の投与に関するパラメータ、などが挙げられるが、これらに限られない。いくつかの実施形態において、センサ１１４は、吸入器の使用によって対象者に投与される１つ以上の活性剤２１４の量を算定するように構成されていてもよい。センサ１１４は、対象者に投与される１つ以上の活性剤２１４の量に関する１つ以上の算定された数値を含む１つ以上の信号を、制御ユニット１０８に送信してもよい。制御ユニット１０８は、１つ以上の算定された数値が、吸入器を使用する対象者に投与されるべき１つ以上の活性剤２１４の、あらかじめ選択された服用量を満たすか超えるかどうかを特定してもよい。１つ以上の算定された数値が、あらかじめ選択された服用量を満たすか超える場合に、制御ユニット１０８は、アクチュエータ１２０に命令して、１つ以上の刺激剤貯蔵部２１６からの少なくとも部分的な放出を促し、それによって吸入器を使用する対象者に１つ以上の刺激剤２１８を投与してよい。いくつかの実施形態において、センサ１１４は、対象者の口と吸入器とのあいだの物理的接触の質に関する１つ以上の数値を算定するように構成されていてもよい。センサ１１４は、物理的接触の質に関する１つ以上の算定された数値を含む１つ以上の信号を、制御ユニット１０８に送信してもよい。制御ユニット１０８は、１つ以上の算定された数値が、あらかじめ選択された値を満たすか超えるかどうかを特定してもよい。１つ以上の算定された数値が、あらかじめ選択された値を満たすか超える場合に、制御ユニット１０８は、アクチュエータ１２０に命令して、１つ以上の刺激剤貯蔵部２１６からの少なくとも部分的な放出を促し、それによって吸入器を使用する対象者に１つ以上の刺激剤２１８を投与してよい。
【０１４５】
いくつかの実施形態において、オペレーション１０３０は、吸入器の使用に関する呼吸パラメータに関する少なくとも１つの数値の算定に応じて、少なくとも１つの刺激剤２１８を投与する工程を含む（図示せず）。いくつかの実施形態において、システム１００は、吸入器の使用に関する呼吸パラメータに関する少なくとも１つの数値の算定に応じて、少なくとも１つの刺激剤２１８を投与するために使用されてもよい。刺激剤２１８は、対象者による呼吸動作に関連するさまざまなパラメータの算定に応じて投与されてよい。このようなパラメータの例として、（１）吸気サイクル中の、吸入器内に配置された１つ以上の流路における流速、（２）呼気サイクル中の、吸入器内に配置された１つ以上の流路における流速、（３）吸気サイクル中の、吸入器内に配置された１つ以上の流路における流量、（４）呼気サイクル中の、吸入器内に配置された１つ以上の流路における流量、などが挙げられるが、これらに限られない。いくつかの実施形態において、刺激剤２１８は、吸入器を使用する対象者の動作に応じて、吸入器を使用する対象者に投与されてもよい。例えば、いくつかの実施形態において、流路センサ１２４は、吸入器内に配置された１つ以上の流路１０４における流量を測定し、流れの体積に関する１つ以上の算定された数値を含む１つ以上の信号を、制御ユニット１０８に送信してもよい。制御ユニット１０８は、流れの体積に関する１つ以上の算定された数値が、吸入器における流量に関する閾値を満たすか超えるかどうかを判定してもよい。１つ以上の算定された数値が閾値を満たすか超える場合に、制御ユニット１０８は、アクチュエータ１２０に命令して、１つ以上の刺激剤貯蔵部２１６からの少なくとも部分的な放出を促し、それによって吸入器を使用する対象者に１つ以上の刺激剤２１８を投与してよい。
【０１４６】
いくつかの実施形態において、オペレーション１０３０は、吸入器の使用に関する吸気パラメータに関する少なくとも１つの数値の算定に応じて、少なくとも１つの刺激剤２１８を投与する工程を含む（図示せず）。いくつかの実施形態において、システム１００は、吸入器の使用に関する吸気パラメータに関する少なくとも１つの数値の算定に応じて、少なくとも１つの刺激剤２１８を投与するために使用されてもよい。刺激剤２１８は、対象者の吸気動作に関連するさまざまなパラメータの算定に応じて投与されてよい。このようなパラメータの例としては、（１）吸気サイクル中の、吸入器内に配置された１つ以上の流路における流速、（２）吸気サイクル中の、吸入器内に配置された１つ以上の流路における流量、などが挙げられるが、これらに限られない。いくつかの実施形態において、流路センサ１２４は、吸入器を使用する対象者による吸気サイクル中、吸入器内に配置された１つ以上の流路１０４における流量を算定し、算定された流れの体積に関する１つ以上の数値を含む１つ以上の信号を、制御ユニット１０８に送信してもよい。制御ユニット１０８は、測定された流れの体積に関する１つ以上の算定された数値が、吸入器における流量に関する閾値を満たすか超えるかどうかを判定してもよい。算定された流れが閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１４７】
いくつかの実施形態において、オペレーション１０３０は、吸入器の使用に関する息こらえパラメータに関する少なくとも１つの数値の算定に応じて、刺激剤２１８を投与する工程を含む（図示せず）。いくつかの実施形態において、システム１００は、吸入器の使用に関する息こらえパラメータに関する少なくとも１つの数値の算定に応じて、少なくとも１つの刺激剤２１８を投与するために使用されてもよい。刺激剤２１８は、吸入器を使用する対象者による息こらえ動作に関連するさまざまなパラメータの算定に応じて投与されてもよい。このようなパラメータの例として、（１）息こらえサイクル中に保持される流量、（２）息こらえサイクルの長さ、などが挙げられるが、これらに限られない。いくつかの実施形態において、流路センサ１２４は、吸入器を使用する対象者による息こらえサイクルのあいだに保持される流れの体積を算定し、算定された流れの体積に関する１つ以上の数値を含む１つ以上の信号を、制御ユニット１０８に送信してもよい。制御ユニット１０８は、流れの体積に関する１つ以上の数値が、吸入器における流量に関する閾値を満たすか超えるかどうかを判定してもよい。１つ以上の算定された数値が閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。いくつかの実施形態において、タイマー１３４は、吸入器を使用する対象者による息こらえサイクルの時間を算定し、算定された時間に関する１つ以上の数値を含む１つ以上の信号を、制御ユニット１０８に送信してもよい。制御ユニット１０８は、息こらえサイクルの時間に関する１つ以上の算定された数値が、時間に関する閾値を満たすか超えるかどうかを判定してもよい。１つ以上の算定された時間値が、閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１４８】
いくつかの実施形態において、オペレーション１０３０は、吸入器の使用に関する呼気パラメータに関する少なくとも１つの数値の算定に応じて、少なくとも１つの刺激剤２１８を投与する工程を含む（図示せず）。いくつかの実施形態において、システム１００は、吸入器の使用に関する呼気パラメータに関する少なくとも１つの数値の算定に応じて、少なくとも１つの刺激剤２１８を投与するために使用されてもよい。刺激剤２１８は、対象者の呼気動作に関連するさまざまなパラメータの算定に応じて投与されてもよい。このようなパラメータの例として、（１）呼気サイクル中の、吸入器内に配置された１つ以上の流路１０４における流速、（２）呼気サイクル中の、吸入器内に配置された１つ以上の流路１０４における流量、などが挙げられるが、これらに限られない。いくつかの実施形態において、流路センサ１２４は、吸入器を使用する対象者による呼気サイクル中、吸入器内に配置された１つ以上の流路１０４における流量を算定し、算定された流れの体積に関する１つ以上の数値を含む１つ以上の信号を、制御ユニット１０８に送信してもよい。制御ユニット１０８は、流れの体積に関する１つ以上の算定された数値が、吸入器における流量に関する閾値を満たすか超えるかどうかを判定してもよい。もし、算定された数値が、閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１４９】
いくつかの実施形態において、オペレーション１０３０は、吸入器の使用に関する１つ以上のパラメータに関する少なくとも１つの数値が、閾値を満たすか超える場合に、少なくとも１つの刺激剤２１８を対象者に投与する工程を含む（図示せず）。いくつかの実施形態において、システム１００は、吸入器の使用に関する１つ以上のパラメータに関する少なくとも１つの数値が、閾値を満たすか超える場合に、少なくとも１つの刺激剤２１８を対象者に投与するために使用されてもよい。吸入器の使用に関するさまざまなパラメータが算定されてもよい。いくつかの実施形態において、このようなパラメータの例として、吸気サイクル、息こらえサイクル、または呼気サイクル中の、吸入器内に配置された１つ以上の流路１０４を通る流れの速さが挙げられるが、これらに限られない。いくつかの実施形態において、このようなパラメータの例として、吸気サイクル、息こらえサイクル、または呼気サイクル中の、吸入器内に配置された１つ以上の流路１０４における流量が挙げられるが、これらに限られない。いくつかの実施形態において、このようなパラメータは、対象者の口と吸入器との間の物理的接触の質に関するものでもよい。したがって、いくつかの実施形態において、センサ１１４は、吸入器の使用に関する１つ以上のパラメータに関する１つ以上の数値を算定してもよい。センサ１１４は、１つ以上の算定された数値を含む１つ以上の信号を、制御ユニット１０８に送信してよい。制御ユニット１０８は、１つ以上の算定された数値が、１つ以上のパラメータに関する閾値を満たすか超えるかどうかを特定する。１つ以上の算定された数値が閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１５０】
いくつかの実施形態において、オペレーション１０３０は、呼吸パラメータに関する少なくとも１つの数値が閾値を満たすか超える場合に、少なくとも１つの刺激剤を対象者に投与する工程を含む（図示せず）。いくつかの実施形態において、システム１００は、呼吸パラメータに関する少なくとも１つの数値が、閾値を満たすか超える場合に、少なくとも１つの刺激剤を対象者に投与するために使用されてもよい。さまざまな呼吸パラメータが算定されてもよい。いくつかの実施形態において、このようなパラメータの例として、吸気サイクル、息こらえサイクル、または呼気サイクル中の、吸入器内に配置された１つ以上の流路１０４を通る流れの速さが挙げられるが、これらに限られない。いくつかの実施形態において、このようなパラメータの例として、吸気サイクル、息こらえサイクル、または呼気サイクル中の、吸入器内に配置された１つ以上の流路１０４における流量が挙げられるが、これらに限られない。したがって、いくつかの実施形態において、センサ１１４は、１つ以上の呼吸パラメータに関する１つ以上の数値を算定し、１つ以上の算定された数値を含む１つ以上の信号を、制御ユニット１０８に送信してもよい。制御ユニット１０８は、１つ以上の算定された数値が、１つ以上の呼吸パラメータに関する１つ以上の閾値を満たすか超えるかどうかを判定してもよい。１つ以上の算定された数値が１つ以上の閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１５１】
いくつかの実施形態において、オペレーション１０３０は、吸気パラメータに関する少なくとも１つの数値が閾値を満たすか超える場合に、少なくとも１つの刺激剤を対象者に投与する工程を含む（図示せず）。いくつかの実施形態において、システム１００は、吸気パラメータに関する少なくとも１つの数値が閾値を満たすか超える場合に、少なくとも１つの刺激剤を対象者に投与するために使用されてもよい。いくつかの実施形態において、このような吸気パラメータの例として、（１）吸気サイクル中の、吸入器内に配置された１つ以上の流路１０４における流速、（２）吸気サイクル中の、吸入器内に配置された１つ以上の流路１０４における流量、（３）吸気サイクルに関する期間、（４）吸気サイクル中に活性剤貯蔵部２１２から放出される活性剤２１４の量、などが挙げられるが、これらに限られない。したがって、いくつかの実施形態において、センサ１１４は、１つ以上の吸気パラメータに関する１つ以上の数値を算定し、１つ以上の算定された数値を含む１つ以上の信号を、制御ユニット１０８に送信してもよい。制御ユニット１０８は、１つ以上の算定された数値が、１つ以上の吸気パラメータに関する１つ以上の閾値を満たすか超えるかどうかを判定してもよい。１つ以上の算定された数値が、１つ以上の閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１５２】
いくつかの実施形態において、オペレーション１０３０は、息こらえパラメータに関する少なくとも１つの数値が閾値を満たすか超える場合に、少なくとも１つの刺激剤を対象者に投与する工程を含む（図示せず）。いくつかの実施形態において、システム１００は、息こらえパラメータに関する少なくとも１つの数値が閾値を満たすか超える場合に、少なくとも１つの刺激剤を対象者に投与するために使用されてもよい。さまざまな息こらえパラメータが算定されてもよい。いくつかの実施形態において、このような息こらえパラメータの例として、（１）息こらえサイクル中に保持された流量、（２）息こらえサイクルに関する期間、（３）息こらえサイクルに先行する吸気サイクル中に対象者に投与される活性剤２１４の量、などが挙げられるが、これらに限られない。したがって、いくつかの実施形態において、センサ１１４は、１つ以上の息こらえパラメータに関する１つ以上の数値を算定し、１つ以上の算定された数値を含む１つ以上の信号を、制御ユニット１０８に送信してもよい。制御ユニット１０８は、１つ以上の算定された数値が、１つ以上の息こらえパラメータに関する１つ以上の閾値を満たすか超えるかどうかを判定してもよい。１つ以上の算定された数値が、１つ以上の閾値を満たすか超える場合に、制御ユニット１０８は、アクチュエータに命令して、１つ以上の刺激剤貯蔵部２１６からの少なくとも部分的な放出を促し、それによって吸入器を使用する対象者に１つ以上の刺激剤２１８を投与してよい。
【０１５３】
いくつかの実施形態において、オペレーション１０３０は、呼気パラメータと関連する少なくとも１つの値が閾値を満たすか超える場合に、上記少なくとも１種の刺激剤を対象者に投与する工程を含む（不図示）。いくつかの実施形態において、システム１００は、呼気パラメータと関連する少なくとも１つの値が閾値を満たすか超える場合に、上記少なくとも１種の刺激剤を対象者に投与するために使用されてよい。さまざまな呼気パラメータを算定してよい。いくつかの実施形態において、そのような呼気パラメータの例として、（１）呼気サイクル中の、吸入器内に配設された１つ以上の流路における流量、（２）呼気サイクルと関連する期間、などが挙げられるが、これらに限られない。それゆえ、いくつかの実施形態において、センサ１１４は、１つ以上の呼気パラメータと関連する１つ以上の値を算定し、上記１つ以上の算定値を含む１つ以上の信号１１２を制御ユニット１０８に送信してよい。制御ユニット１０８は、上記１つ以上の算定値が１つ以上の呼気パラメータと関連する１つ以上の閾値を満たすか超えるかを決定してよい。上記１つ以上の算定値が１つ以上の閾値を満たすか超える場合、制御ユニット１０８は、吸入器を使用する対象者に対して１種以上の刺激剤２１８を投与するために、１つ以上の刺激剤貯蔵部２１６からの少なくとも部分的な放出を促すよう１つ以上のアクチュエータ１２０に命令してよい。
【０１５４】
いくつかの実施形態において、オペレーション１０３０は、呼気パラメータと関連する少なくとも１つの値が閾値を満たすか超える場合、かつ、吸気パラメータと関連する少なくとも１つの値が閾値を満たすか超える場合、上記少なくとも１種の刺激剤を対象者に投与する工程を含む（不図示）。いくつかの実施形態において、システム１００は、呼気パラメータと関連する少なくとも１つの値が閾値を満たすか超える場合、かつ、吸気パラメータと関連する少なくとも１つの値が閾値を満たすか超える場合、上記少なくとも１種の刺激剤を対象者に投与するために使用されてよい。さまざまな呼気パラメータを算定してよい。そのような呼気パラメータの例として、（１）吸入器を使用する対象者による呼気サイクル中の、吸入器内に配設された１つ以上の流路における流速、（２）吸入器を使用する対象者による呼気サイクル中の、吸入器内に配設された１つ以上の流路における流量、（３）吸入器を使用する対象者による呼気サイクルと関連する期間、などが挙げられるが、これらに限られない。さまざまな吸気パラメータを算定してよい。そのような吸気パラメータの例として、（１）吸入器を使用する対象者による吸気サイクル中の、吸入器内に配設された１つ以上の流路における流速、（２）吸入器を使用する対象者による吸気サイクル中の、吸入器内に配設された１つ以上の流路における流量、（３）吸入器を使用する対象者による吸気サイクルと関連する期間、などが挙げられるが、これらに限られない。このように、いくつかの実施形態において、センサ１１４は、１つ以上の呼気パラメータと関連する１つ以上の値を算定し、上記１つ以上の算定値を含む１つ以上の信号１１２を制御ユニット１０８に送信してよい。制御ユニット１０８は、上記１つ以上の算定値が１つ以上の呼気パラメータと関連する１つ以上の閾値を満たすか超えるかを決定してよい。センサ１１４は、１つ以上の吸気パラメータと関連する１つ以上の値を算定し、上記１つ以上の算定値を含む１つ以上の信号１１２を制御ユニット１０８に送信してよい。制御ユニット１０８は、上記１つ以上の算定値が上記１つ以上の吸気パラメータと関連する１つ以上の閾値を満たすか超えるかを決めてよい。上記１つ以上の呼気パラメータおよび上記１つ以上の吸気パラメータと関連する上記１つ以上の算定値が１つ以上の閾値を満たすか超える場合、制御ユニット１０８は、吸入器を使用する対象者に対して１種以上の刺激剤２１８を投与するために、１つ以上の刺激剤貯蔵部２１６からの少なくとも部分的な放出を促すよう１つ以上のアクチュエータ１２０に命令してよい。
【０１５５】
図１１は、オペレーション１１１０、オペレーション１１２０、オペレーション１１３０、およびオペレーション１１４０を含むオペレーションフロー１１００を示す。オペレーション１１１０は、対象者による吸入器の使用と関連する１つ以上のパラメータを算定する工程を含む。オペレーション１１２０は、対象者による吸入器の使用と関連する上記１つ以上のパラメータの算定に応じて、少なくとも１種の活性剤２１４を対象者に投与する工程を含む。オペレーション１１３０は、上記少なくとも１種の活性剤２１４の投与と連携して、少なくとも１種の刺激剤２１８を対象者に投与する工程を含む。オペレーション１１４０は、１つ以上の呼吸パラメータと関連する算定値と上記１つ以上の呼吸パラメータと関連する１つ以上のレベルとの比較を表示する工程を含む。オペレーション１１１０、１１２０、および１１３０は、図１０を参照して先述したオペレーション１０１０、１０２０、および１０３０に対応する。
【０１５６】
図１１、および上記方法を実施する際に使用されるオペレーションの種々の例を含む以下の説明において、上記複数の例の一つまたはそれらの組み合わせについて、および／または、他の例および状況について、考察および説明が行われる。しかしながら、複数の他の環境および状況においても、および／または、上記図面の改変された変形例においても、上記オペレーションが実施されることが理解されるべきである。また、種々のオペレーションは例示された順に提示されるが、上記種々のオペレーションの説明とは異なる別の順序で実行されてもよいし、上記種々のオペレーションは互いに同時に実行されてよいことも理解されるべきである。
【０１５７】
オペレーション１１４０は、１つ以上の呼吸パラメータと関連する算定値と上記１つ以上の呼吸パラメータと関連する１つ以上のレベルとの比較を表示する工程を含む。いくつかの実施形態において、システム１００は、１つ以上の呼吸パラメータと関連する算定値と上記１つ以上の呼吸パラメータと関連する１つ以上のレベルとの比較を表示してよい。いくつかの実施形態において、１つ以上の動作インジケータ１１６は、１つ以上の呼吸パラメータと関連する算定値と上記１つ以上の呼吸パラメータと関連する１つ以上のレベルとの比較を表示してよい。動作インジケータ１１６は、複数の算定値と１つ以上の呼吸パラメータと関連する複数のレベルとの比較を表示してよい。動作インジケータ１１６は、複数の形式で比較を表示してよい。例えば、いくつかの実施形態において、動作インジケータ１１６は、複数の形式で比較を表示してよい。いくつかの実施形態において、動作インジケータ１１６は、比色形式で比較を表示してよい。いくつかの実施形態において、動作インジケータ１１６は、音声形式で比較を表示してよい。呼吸パラメータの例として、（１）吸入器内に配設された１つ以上の流路１０４での流量、（２）吸入器内に配設された１つ以上の流路１０４での流速、（３）吸入器内に配設された１つ以上の流路１０４での流れと関連する期間、などが挙げられるが、これらに限られない。いくつかの実施形態において、動作インジケータ１１６は、対象者の口と吸入器と関連するマウスピース２６８との物理的接触の質を表示してよい。いくつかの実施形態において、流量センサ１２４は、対象者が使用する吸入器内に配設された１つ以上の流路１０４での吸気サイクルにおける流速と関連する値を算定するために使用されてよい。流量センサ１２４は、上記算定値を含む１つ以上の信号１１２を動作インジケータ１１６に送信してよい。動作インジケータ１１６は、上記算定値と、１つ以上の流路１０４における吸気サイクルでの流量と関連する１つ以上のレベルとの比較を表示する。いくつかの実施形態において、流量センサ１２４は、１つ以上の流路１０４における流量と関連する算定値を含む１つ以上の信号１１２を制御ユニット１０８に送信してよい。制御ユニット１０８は、その情報を処理し、続いて、１つ以上の信号１１２を動作インジケータ１１６に送信する。動作インジケータ１１６は、上記算定値と１つ以上の流路１０４における流量と関連する１つ以上のレベルとの比較を表示する。いくつかの実施形態において、１つ以上の呼吸パラメータと関連するそのようなレベルは、閾値レベルであってよい。例えば、いくつかの実施形態において、そのようなレベルは、吸入器内に配設された１つ以上の流路１０４における所望の流量レベルと関連する上限流量レベルおよび／または下限流量レベルを意味してよい。
【０１５８】
いくつかの実施形態において、オペレーション１１４０は、１つ以上の呼吸パラメータと関連する上記算定値と上記１つ以上の呼吸パラメータと関連するレベル範囲との比較を表示する工程と、上記１つ以上の呼吸パラメータと関連する閾値レベルの範囲内にある上記１つ以上の呼吸パラメータの値を達成するよう対象者に指示する工程を含む（不図示）。いくつかの実施形態において、システム１００を用いて、１つ以上の呼吸パラメータと関連する算定値と上記１つ以上の呼吸パラメータと関連するレベル範囲との比較を表示し、上記１つ以上の呼吸パラメータと関連する閾値レベルの範囲内にある上記１つ以上のパラメータの値を達成するよう対象者に対して指示してよい。さまざまな呼吸パラメータに関する値を算定し、上記呼吸パラメータと関連する範囲と比較してよい。そのような呼吸パラメータの例として、（１）吸入器内に配設された１つ以上の流路１０４における流速、（２）吸入器内に配設された１つ以上の流路１０４における流量、（３）吸入器内に配設された１つ以上の流路１０４における流れの時間、（４）吸入器内に配設された１つ以上の流路１０４を流れる活性剤２１４の量、（５）吸入器内に配設された１つ以上の流路１０４を流れる刺激剤２１８の量、などが挙げられるが、これらに限られない。例えば、いくつかの実施形態において、流量センサ１２４を用いて、対象者が吸入器を使用する際、吸入器内に配設された１つ以上の流路１０４における流量と関連する１つ以上の値を算定してよい。流量センサ１２４は、上記１つ以上の算定値を含む１つ以上の信号１１２を動作インジケータ１１６に送信してよい。動作インジケータ１１６は、上記１つ以上の算定値を、流量と関連する１つ以上のパラメータと関連するレベルの範囲との比較で表示する。いくつかの実施形態において、速度計１３８は、対象者が使用する吸入器内に配設された１つ以上の流路１０４における吸気サイクルおよび呼気サイクルでの流速と関連する１つ以上の値を決定するように構成されてよい。速度計１３８は、上記１つ以上の算定値を含む１つ以上の信号１１２を動作インジケータ１１６に送信してよい。動作インジケータ１１６は、上記１つ以上の算定値を、流速と関連する１つ以上のレベル範囲との比較で表示する。いくつかの実施形態において、動作インジケータ１１６は、上記１つ以上の呼吸パラメータと関連するレベル範囲内にある１つ以上の呼吸パラメータと関連する１つ以上の値を達成するよう対象者に指示してよい。例えば、いくつかの実施形態において、動作インジケータ１１６は、吸入器内に配設された１つ以上の流路１０４における流量を増加するよう対象者に対して指示してよい。いくつかの実施形態において、動作インジケータ１１６は、吸入器内に配設された１つ以上の流路１０４における流量を下げるよう対象者に対して指示してよい。いくつかの実施形態において、動作インジケータ１１６は、吸入器内に配設された１つ以上の流路１０４における現在の流量を維持するよう対象者に対して指示してよい。いくつかの実施形態において、動作インジケータ１１６は、吸入器内に配設された１つ以上の流路１０４における呼気サイクルでの流量を増加するよう対象者に指示してよい。いくつかの実施形態において、動作インジケータ１１６は、吸入器内に配設された１つ以上の流路１０４における呼気サイクルでの流量を下げるよう対象者に指示してよい。いくつかの実施形態において、動作インジケータ１１６は、吸入器内に配設された１つ以上の流路１０４における呼気サイクルでの現在の流量を維持するよう対象者に指示してよい。いくつかの実施形態において、動作インジケータ１１６は、吸入器の使用中に息こらえサイクルの期間を増加するよう対象者に対して指示してよい。いくつかの実施形態において、動作インジケータ１１６は、吸入器の使用中に息こらえサイクルの期間を減らすよう対象者に対して指示してよい。いくつかの実施形態において、動作インジケータ１１６は、吸入器の使用中に現在の息こらえサイクルの期間を維持するよう対象者に対して指示してよい。このように、いくつかの実施形態において、動作インジケータ１１６は、さまざまな呼吸パラメータに関して対象者に対して指示するために使用されてよい。いくつかの実施形態において、制御ユニット１０８は、１つ以上の呼吸パラメータと関連する１つ以上の値を算定するように構成されている１つ以上のセンサ１１４に動作可能に接続されてよい。制御ユニット１０８は、１つ以上の呼吸パラメータと関連する上記１つ以上の算定値を含む１つ以上の信号１１２を１つ以上のセンサ１１４から受信し、続いて、１つ以上の動作インジケータ１１６に命令して、上記１つ以上の算定値と上記１つ以上の呼吸パラメータと関連する１つ以上のレベル範囲との比較を表示させてよい。いくつかの実施形態において、制御ユニット１０８は、１つ以上の呼吸パラメータと関連する１つ以上の算定値を含む１つ以上の信号１１２を１つ以上のセンサ１１４から受信し、続いて、１つ以上の動作インジケータ１１６に命令して、上記１つ以上の呼吸パラメータと関連するレベル範囲内にある上記１つ以上の呼吸パラメータの値を達成するように対象者に対して指示させてよい。
【０１５９】
いくつかの実施形態において、オペレーション１１４０は、１つ以上の吸気パラメータと関連する上記算定値と上記１つ以上の吸気パラメータと関連するレベル範囲との比較を表示する工程と、上記１つ以上の吸気パラメータと関連する閾値レベルの範囲内にある上記１つ以上の吸気パラメータの値を達成するよう対象者に指示する工程を含む（不図示）。いくつかの実施形態において、システム１００は、１つ以上の吸気パラメータと関連する算定値と上記１つ以上の吸気パラメータと関連するレベル範囲との比較を表示し、上記１つ以上の吸気パラメータと関連する閾値レベルの範囲内にある上記１つ以上の吸気パラメータの値を達成するよう対象者に対して指示するために使用されてよい。複数の吸気パラメータと関連する値を算定し、上記吸気パラメータと関連するレベル範囲と比較してよい。そのような吸気パラメータの例として、（１）吸気サイクル中の、吸入器内に配設された１つ以上の流路１０４における流速、（２）吸気サイクル中の、吸入器内に配設された１つ以上の流路１０４における流量、（３）吸気サイクル中の、吸入器内に配設された１つ以上の流路１０４における流れの時間、（４）吸気サイクル中の、吸入器内に配設された１つ以上の流路１０４における活性剤２１４の量、（５）吸気サイクル中の、吸入器内に配設された１つ以上の流路１０４を流れる刺激剤２１８の量、などが挙げられるが、これらに限られない。例えば、いくつかの実施形態において、流量センサ１２４を用いて、吸気サイクルにおける、吸入器内に配設された１つ以上の流路１０４における流量と関連する１つ以上の値を算定してよい。流量センサ１２４は、上記１つ以上の算定値を含む１つ以上の信号１１２を動作インジケータ１１６に送信してよい。動作インジケータ１１６は、上記１つ以上の算定値と１つ以上の吸気パラメータと関連するレベル範囲との比較を表示する。いくつかの実施形態において、速度計１３８を用いて、吸入器内に配設された１つ以上の流路１０４における吸気サイクルでの流速と関連する１つ以上の値を算定してよい。速度計１３８は、上記１つ以上の算定値を含む１つ以上の信号１１２を動作インジケータ１１６に送信してよい。動作インジケータ１１６は、上記１つ以上の算定値を上記１つ以上の吸気パラメータと関連する１つ以上のレベル範囲との比較で表示する。動作インジケータ１１６は、複数の形式で比較を表示してよい。いくつかの実施形態において、動作インジケータ１１６は、上記１つ以上の吸気パラメータと関連するレベル範囲内にある１つ以上の吸気パラメータと関連する１つ以上の値を達成するよう対象者に対して指示してよい。例えば、いくつかの実施形態において、動作インジケータ１１６は、吸入器における流速を増加するよう対象者に対して指示してよい。いくつかの実施形態において、動作インジケータ１１６は、吸入器における流速を下げるよう対象者に対して指示してよい。いくつかの実施形態において、動作インジケータ１１６は、吸入器における流速を維持するよう対象者に対して指示してよい。いくつかの実施形態において、動作インジケータ１１６は、吸入器を使用する対象者に対して、吸入器を介した吸気サイクル期間を増加するよう指示してよい。いくつかの実施形態において、動作インジケータ１１６は、吸入器を使用する対象者に対して、吸入器を介した吸気サイクル期間を短縮するよう指示してよい。いくつかの実施形態において、動作インジケータ１１６は、吸入器を使用する対象者に対して、吸入器を介した吸気サイクル期間を維持するよう指示してよい。このように、いくつかの実施形態において、動作インジケータ１１６は、複数の吸気パラメータに関して対象者に指示するために使用されてよい。いくつかの実施形態において、制御ユニット１０８は、１つ以上の吸気パラメータと関連する１つ以上の値を算定するように構成されている１つ以上のセンサ１１４に動作可能に接続されてよい。制御ユニット１０８は、１つ以上の吸気パラメータと関連する算定値を含む１つ以上の信号１１２を１つ以上のセンサ１１４から受信し、続いて、１つ以上の動作インジケータ１１６に命令して、上記１つ以上の算定値と上記１つ以上の吸気パラメータと関連する１つ以上のレベル範囲との比較を表示させてよい。いくつかの実施形態において、制御ユニット１０８は、１つ以上の吸気パラメータと関連する算定値を含む１つ以上の信号を１つ以上のセンサ１１４から受信し、続いて、１つ以上の動作インジケータ１１６に命令して、上記１つ以上の吸気パラメータと関連するレベル範囲内にある上記１つ以上の吸気パラメータの値を達成するように対象者に対して指示させてよい。
【０１６０】
いくつかの実施形態において、オペレーション１１４０は、１つ以上の息こらえパラメータと関連する上記算定値と上記１つ以上の息こらえパラメータと関連するレベル範囲との比較を表示する工程と、上記１つ以上の息こらえパラメータと関連する閾値レベルの範囲内にある上記１つ以上の息こらえパラメータの値を達成するよう対象者に指示する工程を含む（不図示）。いくつかの実施形態において、システム１００を用いて、１つ以上の息こらえパラメータと関連する算定値と上記１つ以上の息こらえパラメータと関連するレベル範囲との比較を表示し、上記１つ以上の息こらえパラメータと関連する上記閾値レベルの範囲内にある上記１つ以上の息こらえパラメータの値を達成するよう対象者に対して指示してよい。さまざまな息こらえパラメータと関連する値を算定し、上記息こらえパラメータと関連するレベル範囲と比較してよい。そのような息こらえパラメータの例として、（１）息こらえサイクルと関連する期間、（２）息こらえサイクルと関連する吸気量、（３）息こらえサイクル中に吸気され保持された活性剤２１４の量、（４）息こらえサイクル中に吸気され保持された刺激剤２１８の量、などが挙げられるが、これらに限られない。例えば、いくつかの実施形態において、流量センサ１２４を用いて、息こらえサイクル中に保持された流量と関連する１つ以上の値を算定してよい。いくつかの実施形態において、タイマー１３４を用いて、息こらえサイクルと関連する期間と関連する１つ以上の値を算定してよい。いくつかの実施形態において、センサ１１４は、１つ以上の算定値を含む１つ以上の信号１１２を動作インジケータ１１６に送信してよい。動作インジケータ１１６は、上記１つ以上の算定値を１つ以上の息こらえパラメータと関連するレベル範囲との比較で表示する。動作インジケータ１１６は、複数の形式で比較を表示してよい。いくつかの実施形態において、動作インジケータ１１６は、上記１つ以上の息こらえパラメータと関連するレベル範囲内にある１つ以上の息こらえパラメータと関連する１つ以上の値を達成するよう対象者に対して指示してよい。例えば、いくつかの実施形態において、動作インジケータ１１６は、息こらえサイクル中に保持された流量を増加するよう対象者に対して指示してよい。いくつかの実施形態において、動作インジケータ１１６は、息こらえサイクル中に保持された流量を下げるよう対象者に対して指示してよい。いくつかの実施形態において、動作インジケータ１１６は、息こらえサイクルの期間を増加するよう対象者に対して指示してよい。いくつかの実施形態において、動作インジケータ１１６は、息こらえサイクルの期間を短くするよう対象者に対して指示してよい。このように、いくつかの実施形態において、動作インジケータ１１６は、複数の息こらえパラメータに関して対象者に対して指示するために使用されてよい。いくつかの実施形態において、制御ユニット１０８は、１つ以上の息こらえパラメータと関連する１つ以上の値を算定するように構成されている１つ以上のセンサ１１４に動作可能に接続されてよい。制御ユニット１０８は、１つ以上の息こらえパラメータに関する算定値を含む１つ以上の信号１１２を１つ以上のセンサ１１４から受信し、続いて、１つ以上の動作インジケータ１１６に命令して、上記１つ以上の算定値と上記１つ以上の息こらえパラメータと関連する１つ以上のレベル範囲との比較を表示させてよい。いくつかの実施形態において、制御ユニット１０８は、１つ以上の息こらえパラメータと関連する１つ以上の算定値を含む１つ以上の信号１１２を１つ以上のセンサ１１４から受信し、続いて、１つ以上の動作インジケータ１１６に命令して、上記１つ以上の息こらえパラメータと関連する上記レベル範囲内にある上記１つ以上の息こらえパラメータの値を達成するように対象者に対して指示させてよい。
【０１６１】
いくつかの実施形態において、オペレーション１１４０は、１つ以上の呼気パラメータと関連する算定値と上記１つ以上の呼気パラメータと関連するレベル範囲との比較を表示する工程と、上記１つ以上の呼気パラメータと関連する閾値レベルの範囲内にある上記１つ以上の呼気パラメータの値を達成するよう対象者に指示する工程を含む（不図示）。いくつかの実施形態において、システム１００を用いて、１つ以上の呼気パラメータと関連する算定値と上記１つ以上の呼気パラメータと関連するレベル範囲との比較を表示し、上記１つ以上の呼気パラメータと関連する閾値レベルの範囲内にある上記１つ以上の呼気パラメータの値を達成するよう対象者に対して指示してよい。さまざまな呼気パラメータと関連する値を算定し、上記呼気パラメータと関連するレベル範囲と比較してよい。そのような呼気パラメータの例として、（１）呼気サイクル中の、吸入器内に配設された１つ以上の流路１０４における流速、（２）呼気サイクル中の、吸入器内に配設された１つ以上の流路１０４における流量、（３）呼気サイクル中の、吸入器内に配設された１つ以上の流路１０４における流れの時間、（４）呼気サイクル中の、吸入器内に配設された１つ以上の流路１０４における活性剤２１４の量、（５）呼気サイクル中の、吸入器内に配設された１つ以上の流路１０４を流れる刺激剤２１８の量、などが挙げられるが、これらに限られない。例えば、いくつかの実施形態において、流量センサ１２４を用いて、吸入器内に配設された１つ以上の流路１０４における呼気サイクルでの流量と関連する１つ以上の値を算定してよい。流量センサ１２４は、上記１つ以上の算定値を含む１つ以上の信号１１２を動作インジケータ１１６に送信してよい。動作インジケータ１１６は、上記１つ以上の算定値と１つ以上の呼気パラメータと関連するレベル範囲との比較を表示する。いくつかの実施形態において、速度計１３８を用いて、吸入器内に配設された１つ以上の流路１０４における呼気サイクルでの流速と関連する１つ以上の値を算定してよい。速度計１３８は、上記１つ以上の算定値を含む１つ以上の信号１１２を動作インジケータ１１６に送信してよい。動作インジケータ１１６は、上記１つ以上の算定値を、上記１つ以上の呼気パラメータと関連する１つ以上のレベル範囲との比較で表示する。動作インジケータ１１６は、複数の形式で比較を表示してよい。いくつかの実施形態において、動作インジケータ１１６は、上記１つ以上の呼気パラメータと関連するレベル範囲内にある１つ以上の呼気パラメータと関連する１つ以上の値を達成するよう対象者に対して指示してよい。例えば、いくつかの実施形態において、動作インジケータ１１６は、吸入器における流速を増加するよう対象者に対して指示してよい。いくつかの実施形態において、動作インジケータ１１６は、吸入器における流速を下げるよう対象者に対して指示してよい。いくつかの実施形態において、動作インジケータ１１６は、吸入器における流速を維持するよう対象者に対して指示してよい。いくつかの実施形態において、動作インジケータ１１６は、吸入器を使用する対象者に対して、吸入器を介した呼気サイクル期間を増加するよう指示してよい。いくつかの実施形態において、動作インジケータ１１６は、対象者に対して、吸入器を介した呼気サイクル期間を減少するよう指示してよい。いくつかの実施形態において、動作インジケータ１１６は、対象者に対して、吸入器を介した呼気サイクル期間を維持するよう指示してよい。このように、いくつかの実施形態において、動作インジケータ１１６は、複数の呼気パラメータに関して対象者に対して指示するために使用されてよい。いくつかの実施形態において、制御ユニット１０８は、１つ以上の呼気パラメータと関連する１つ以上の値を算定するように構成されている１つ以上のセンサ１１４に動作可能に接続されてよい。制御ユニット１０８は、１つ以上の呼気パラメータと関連する算定値を含む１つ以上の信号１１２を１つ以上のセンサ１１４から受信し、続いて、１つ以上の動作インジケータ１１６に命令して、上記１つ以上の算定値と上記１つ以上の呼気パラメータと関連する１つ以上のレベル範囲との比較を表示させてよい。いくつかの実施形態において、制御ユニット１０８は、１つ以上の呼気パラメータと関連する算定値を含む１つ以上の信号を１つ以上のセンサ１１４から受信し、続いて、１つ以上の動作インジケータ１１６に命令して、上記１つ以上の呼気パラメータと関連する上記レベル範囲内にある上記１つ以上の呼気パラメータの値を得るように対象者に対して指示させてよい。
【０１６２】
いくつかの実施形態において、オペレーション１１４０は、１つ以上の呼気パラメータと関連する算定値と上記１つ以上の呼気パラメータと関連するレベル範囲との比較を表示する工程と、上記１つ以上の呼気パラメータと関連する閾値レベルの範囲内にある上記１つ以上の呼気パラメータの値を達成するよう対象者に指示する工程と、１つ以上の吸気パラメータと関連する算定値と上記１つ以上の吸気パラメータと関連するレベル範囲との比較を表示する工程と、上記１つ以上の吸気パラメータと関連する上記閾値のレベル範囲内にある上記１つ以上の吸気パラメータの値を達成するよう対象者に指示する工程と、を含む（不図示）。いくつかの実施形態において、システム１００を用いて、１つ以上の呼気パラメータと関連する算定値と上記１つ以上の呼気パラメータと関連するレベル範囲との比較を表示し、上記１つ以上の呼気パラメータと関連する閾値レベルの範囲内にある上記１つ以上の呼気パラメータの値を達成するよう対象者に対して指示し、続いて、１つ以上の吸気パラメータと関連する算定値と上記１つ以上の吸気パラメータと関連するレベル範囲との比較を表示し、上記１つ以上の吸気パラメータと関連する上記閾値のレベル範囲内にある上記１つ以上の吸気パラメータの値を達成するよう対象者に対して指示してよい。いくつかの実施形態において、動作インジケータ１１６は、上記１つ以上の呼気パラメータと関連するレベル範囲と１つ以上の算定された呼気パラメータとの比較を表示してよい。例えば、いくつかの実施形態において、動作インジケータ１１６は、１つ以上の呼気パラメータと関連する１つ以上の算定値を含む１つ以上の信号１１２を１つ以上のセンサ１１４から受信し、上記１つ以上の値を上記１つ以上の呼気パラメータと関連するレベル範囲との比較で表示してよい。いくつかの実施形態において、制御ユニット１０８は、１つ以上の呼気パラメータと関連する１つ以上の算定値を含む１つ以上の信号１１２を１つ以上のセンサ１１４から受信し、続いて、１つ以上の動作インジケータ１１６に命令して、１つ以上の呼気パラメータと関連する１つ以上の値を上記１つ以上の呼気パラメータと関連する１つ以上のレベルとの比較で表示させてよい。いくつかの実施形態において、動作インジケータ１１６は、上記１つ以上の呼気パラメータと関連するレベル範囲内にある１つ以上の吐気パラメータの値を達成するよう対象者に対して指示してよい。いくつかの実施形態において、制御ユニット１０８は、動作インジケータ１１６に命令して、上記１つ以上の呼気パラメータと関連するレベル範囲内にある１つ以上の呼気パラメータの値を達成するように対象者に対して指示させてよい。いくつかの実施形態において、動作インジケータ１１６は、１つ以上の算定された吸気パラメータと上記１つ以上の吸気パラメータと関連するレベル範囲との比較を表示してよい。例えば、いくつかの実施形態において、動作インジケータ１１６は、１つ以上の吸気パラメータと関連する１つ以上の算定値を含む１つ以上の信号１１２を１つ以上のセンサ１１４から受信し、上記１つ以上の値を上記１つ以上の吸気パラメータと関連するレベル範囲との比較で表示してよい。いくつかの実施形態において、制御ユニット１０８は、１つ以上の吸気パラメータと関連する１つ以上の算定値を含む１つ以上の信号１１２を１つ以上のセンサ１１４から受信し、続いて、１つ以上の動作インジケータ１１６に命令して、１つ以上の吸気パラメータと関連する上記１つ以上の値を上記１つ以上の吸気パラメータと関連する１つ以上のレベルとの比較で表示させてよい。いくつかの実施形態において、動作インジケータ１１６は、上記１つ以上の吸気パラメータと関連するレベル範囲にある１つ以上の吸気パラメータの値を達成するよう対象者に対して指示してよい。いくつかの実施形態において、制御ユニット１０８は、動作インジケータ１１６に命令して、上記１つ以上の吸気パラメータと関連するレベル範囲内にある１つ以上の吸気パラメータの値を達成するよう対象者に対して指示させてよい。
【０１６３】
図１２は、オペレーション１２１０、オペレーション１２２０、オペレーション１２３０、およびオペレーション１２４０を含むオペレーションフロー１２００を示す。オペレーション１２１０は、対象者による吸入器の使用と関連する１つ以上のパラメータを算定する工程を含む。オペレーション１２２０は、吸入器の使用と関連する上記１つ以上のパラメータの算定に応じて、少なくとも１種の活性剤２１４を対象者に投与する工程を含む。オペレーション１２３０は、上記少なくとも１種の活性剤２１４の投与と連携して、少なくとも１種の刺激剤２１８を対象者に投与する工程を含む。オペレーション１２４０は、１つ以上の呼吸パラメータと関連する１つ以上の値を達成するよう対象者に指示する工程を含む。オペレーション１２１０、１２２０、および１２３０は、図１０を参照して先述したオペレーション１０１０、１０２０、および１０３０に対応する。
【０１６４】
図１２、および上記方法を実施する際に使用されるオペレーションの種々の例を含む以下の説明において、上記複数の例の一つまたはそれらの組み合わせについて、および／または、他の例および状況について、考察および説明が行われる。しかしながら、複数の他の環境および状況においても、および／または、上記図面の改変された変形例においても、上記オペレーションが実施されることが理解されるべきである。また、種々のオペレーションは例示された順に提示されるが、上記種々のオペレーションの説明とは異なる別の順序で実行されてもよいし、上記種々のオペレーションは互いに同時に実行されてよいことも理解されるべきである。
【０１６５】
オペレーション１２４０は、１つ以上の呼吸パラメータと関連する１つ以上の値を達成するよう対象者に指示する工程を含む。いくつかの実施形態において、システム１００を用いて、１つ以上の呼吸パラメータと関連する１つ以上の値を達成するよう対象者に対して指示してよい。いくつかの実施形態において、動作インジケータ１１６は、１つ以上の呼吸パラメータと関連する１つ以上の値を達成するよう対象者に対して指示してよい。動作インジケータは、複数の種類の呼吸パラメータと関連する１つ以上の値を達成するよう対象者に対して指示してよい。そのような呼吸パラメータの例として、（１）吸入器内に配設された１つ以上の流路１０４における流量と関連するパラメータ、（２）１つ以上の活性剤貯蔵部２１２からの１種以上の活性剤２１４の放出、（３）１つ以上の刺激剤貯蔵部２１６からの１種以上の刺激剤２１８の放出、などが挙げられるが、これらに限られない。例えば、いくつかの実施形態において、動作インジケータ１１６は、吸入器内に配設された１つ以上の流路１０４における流量を増加するよう対象者に対して指示してよい。いくつかの実施形態において、動作インジケータ１１６は、吸入器内に配設された１つ以上の流路１０４における流量を下げるよう対象者に対して指示してよい。いくつかの実施形態において、動作インジケータ１１６は、吸入器内に配設された１つ以上の流路１０４における現在の流量を維持するよう対象者に対して指示してよい。いくつかの実施形態において、動作インジケータ１１６は、呼気サイクル中に、吸入器内に配設された１つ以上の流路１０４における流量を増加するよう対象者に対して指示してよい。いくつかの実施形態において、動作インジケータ１１６は、呼気サイクル中に、吸入器内に配設された１つ以上の流路１０４における流量を下げるよう対象者に対して指示してよい。いくつかの実施形態において、動作インジケータ１１６は、呼気サイクル中に、吸入器内に配設された１つ以上の流路１０４における現在の流量を維持するよう対象者に対して指示してよい。いくつかの実施形態において、動作インジケータ１１６は、吸入器の使用中に息こらえサイクルの期間を増加するよう対象者に対して指示してよい。いくつかの実施形態において、動作インジケータ１１６は、吸入器の使用中に息こらえサイクルの期間を減らすよう対象者に対して指示してよい。いくつかの実施形態において、動作インジケータ１１６は、吸入器の使用中に現在の息こらえサイクルの期間を維持するよう対象者に対して指示してよい。このように、いくつかの実施形態において、動作インジケータ１１６は、さまざまな呼吸パラメータに関して対象者に対して指示するのに使用されてよい。いくつかの実施形態において、制御ユニット１０８は、１つ以上の呼吸パラメータと関連する１つ以上の値を算定するように構成されている１つ以上のセンサ１１４に動作可能に接続されてよい。いくつかの実施形態において、制御ユニット１０８は、１つ以上の呼吸パラメータと関連する１つ以上の算定値を含む１つ以上の信号１１２を１つ以上のセンサ１１４から受信し、続いて、１つ以上の動作インジケータ１１６に命令して、１つ以上の呼吸パラメータに対して割り当てられた値を達成するよう対象者に対して指示させてよい。
【０１６６】
いくつかの実施形態において、オペレーション１２４０は、１つ以上の呼吸パラメータと関連する１つ以上の値を達成するよう対象者に指示する工程を含む（不図示）。その１つ以上の呼吸パラメータは、当該１つ以上の呼吸パラメータと関連する１つ以上の閾値を満たすか当該１つ以上の閾値を超える。いくつかの実施形態において、システム１００を用いて、１つ以上の呼吸パラメータと関連する１つ以上の値を達成するよう対象者に対して指示してよい。その１つ以上の呼吸パラメータは、当該１つ以上の呼吸パラメータと関連する１つ以上の閾値を満たすか当該１つ以上の閾値を超える。いくつかの実施形態において、動作インジケータ１１６は、１つ以上の呼吸パラメータと関連する１つ以上の値を達成するよう対象者に対して指示するように構成されてよい。その１つ以上の呼吸パラメータは、当該１つ以上の呼吸パラメータと関連する１つ以上の閾値を満たすか当該１つ以上の閾値を超える。例えば、いくつかの実施形態において、流量センサ１２４は、吸入器を使用する対象者の吸気サイクル中に、吸入器内に配設された１つ以上の流路１０４における流量と関連する値を算定してよい。流量センサ１２４は、算定値を含む１つ以上の信号１１２を動作インジケータ１１６に送信してよい。上記算定値が流量についての最小閾値を満足しない場合、動作インジケータ１１６は、吸気サイクル中に１つ以上の流路１０４における流量を増加するよう対象者に対して指示してよい。他の実施例において、タイマー１３４は、吸気サイクルに続く息こらえ期間を算定し、上記算定値を含む１つ以上の信号１１２を動作インジケータ１１６に送信してよい。算定された息こらえ値が息こらえ閾値以下の場合、動作インジケータ１１６は、吸気サイクル後に息こらえ期間を増加するよう対象者に対して指示してよい。動作インジケータ１１６は、対象者に対して複数の形式で指示を与えてよい。例えば、いくつかの実施形態において、動作インジケータ１１６は、音声指示を与えてよい。いくつかの実施形態において、動作インジケータ１１６は、視覚的指示を与えてよい。いくつかの実施形態において、動作インジケータ１１６は、触知できる指示を与えてよい。
【０１６７】
いくつかの実施形態において、オペレーション１２４０は、１つ以上の呼吸パラメータと関連する１つ以上の値を達成するよう対象者に指示する工程を含む（不図示）。その１つ以上の呼吸パラメータは、当該１つ以上の呼吸パラメータと関連する１つ以上のレベル範囲内にある。いくつかの実施形態において、システム１００は、１つ以上の呼吸パラメータと関連する１つ以上の値を達成するよう対象者に対して指示するために使用されてよい。その１つ以上の呼吸パラメータは、当該１つ以上の呼吸パラメータと関連する１つ以上のレベル範囲内にある。例えば、いくつかの実施形態において、流量センサ１２４は、対象者が吸入器を使用するあいだ、吸入器内に配設された１つ以上の流路１０４における流量と関連する値を算定してよい。流量センサ１２４は、上記算定値を含む１つ以上の信号１１２を動作インジケータ１１６に送信してよい。算定値が上記１つ以上の呼吸パラメータと関連する１つ以上のレベル範囲内にない場合、動作インジケータ１１６は、１つ以上のレベル範囲内にある１つ以上の呼吸パラメータを達成するよう対象者に対して指示してよい。他の実施例において、タイマー１３４は、対象者が吸入器を介して吸入する期間を算定してよい。タイマー１３４は、上記算定値を含む信号１１２を動作インジケータ１１６に送信してよい。上記算定された期間の値が１つ以上の範囲外にある場合、動作インジケータ１１６は、対象者に対して、吸入器を介して１つ以上の範囲内にある期間吸入するよう指示してよい。いくつかの実施形態において、センサ１１４は、対象者による吸入器の使用と関連する１つ以上の呼吸パラメータを算定し、続いて、その情報を含む１つ以上の信号１１２を制御ユニット１０８に送信してよい。続いて、制御ユニット１０８は、動作インジケータ１１６に命令して、１つ以上のレベル範囲内にある１つ以上のレベルを得るよう対象者に対して指示させてよい。
【０１６８】
いくつかの実施形態において、オペレーション１２４０は、１つ以上の吸気パラメータと関連する１つ以上の値を達成するよう対象者に指示する工程を含む（不図示）。その１つ以上の吸気パラメータは、当該１つ以上の吸気パラメータと関連する１つ以上のレベル範囲内にある。いくつかの実施形態において、システム１００を用いて、１つ以上の吸気パラメータと関連する１つ以上の値を達成するよう対象者に対して指示してよい。その１つ以上の吸気パラメータは、当該１つ以上の吸気パラメータと関連する１つ以上のレベル範囲内にある。例えば、いくつかの実施形態において、１つ以上の速度計１３８は、吸入器を使用する対象者の吸気サイクル中に、吸入器内に配設された１つ以上の流路１０４における流速と関連する１つ以上の値を算定してよい。１つ以上の速度計１３８は、１つ以上の値を含む１つ以上の信号１１２を動作インジケータ１１６に送信してよい。続いて、動作インジケータ１１６は、上記１つ以上の吸気パラメータと関連する１つ以上のレベル範囲内にある１つ以上の値を達成するよう対象者に対して指示してよい。そのような対象者に対する指示の例として、（１）吸入器を介した流量を増加させる指示、（２）吸入器を介した流量を減少させる指示、（３）吸入器を介した現在の流量を維持させる指示、などが挙げられるが、これらに限られない。
【０１６９】
いくつかの実施形態において、オペレーション１２４０は、１つ以上の息こらえパラメータと関連する１つ以上の値を達成するよう対象者に指示する工程を含む（不図示）。その息こらえパラメータは、当該１つ以上の息こらえパラメータと関連する１つ以上のレベル範囲内にある。いくつかの実施形態において、システム１００を用いて、１つ以上の息こらえパラメータと関連する１つ以上の値を達成するよう対象者に対して指示してよい。その息こらえパラメータは、当該１つ以上の息こらえパラメータと関連する１つ以上のレベル範囲内にある。さまざまな息こらえパラメータと関連する値を算定し、１つ以上の息こらえパラメータと関連する１つ以上の値を達成するよう対象者に対して指示するために用いてよい。その１つ以上の息こらえパラメータは、当該１つ以上の息こらえパラメータと関連する１つ以上のレベル範囲内にある。そのような息こらえパラメータの例として、（１）息こらえサイクルと関連する期間、（２）息こらえサイクルと関連する吸気量、（３）息こらえサイクル中に吸入し保持された調剤２１４の量、（４）息こらえサイクル中に吸入し保持された刺激剤２１８の量、などが挙げられるが、これらに限られない。いくつかの実施形態において、タイマー１３４は、息こらえサイクルと関連する１つ以上の期間を算定してよい。タイマー１３４は、１つ以上の算定値を含む１つ以上の信号１１２を動作インジケータ１１６に送信してよい。動作インジケータ１１６は、１つ以上の息こらえ期間と関連するレベル範囲内にある１つ以上の息こらえ期間と関連する１つ以上の値を達成するよう対象者に対して指示する。いくつかの実施形態において、動作インジケータ１１６は、息こらえサイクル中に吸入し保持される流量を増加するよう対象者に対して指示してよい。いくつかの実施形態において、動作インジケータ１１６は、息こらえサイクル中に吸入し保持される流量を減らすよう対象者に対して指示してよい。いくつかの実施形態において、センサ１１４は、算定値を含む１つ以上の信号１１２を制御ユニット１０８に送信してよい。制御ユニット１０８は、動作インジケータ１１６に命令して、１つ以上の息こらえパラメータと関連するレベル範囲内にある１つ以上の息こらえパラメータと関連する１つ以上の値を達成するよう対象者に対して指示させる。
【０１７０】
いくつかの実施形態において、オペレーション１２４０は、１つ以上の呼気パラメータと関連する１つ以上の値を達成するよう対象者に指示する工程を含む（不図示）。その１つ以上の呼気パラメータは、当該１つ以上の呼気パラメータと関連する１つ以上のレベル範囲内にある。いくつかの実施形態において、システム１００を用いて、１つ以上の呼気パラメータと関連する１つ以上の値を達成するよう対象者に対して指示してよい。その１つ以上の呼気パラメータは、当該１つ以上の呼気パラメータと関連する１つ以上のレベル範囲内にある。例えば、いくつかの実施形態において、１つ以上の速度計１３８は、吸入器を使用する対象者の呼気サイクル中の、吸入器内に配設された１つ以上の流路１０４における流速と関連する１つ以上の値を算定してよい。１つ以上の速度計１３８は、１つ以上の値を含む１つ以上の信号１１２を動作インジケータ１１６に送信してよい。動作インジケータ１１６は、１つ以上の呼気パラメータと関連する１つ以上の値を達成するよう対象者に対して指示する。その１つ以上の呼気パラメータは、当該１つ以上の呼気パラメータと関連する１つ以上のレベル範囲内にある。そのような対象者に対する指示の例として、（１）吸入器を介した流量を増加させる指示、（２）吸入器を介した流量を減少させる指示、（３）吸入器を介した現在の流量を維持させる指示、などが挙げられるが、これらに限られない。
【０１７１】
図１３は、オペレーション１３１０、オペレーション１３２０、オペレーション１３３０、およびオペレーション１３４０を含むオペレーションフロー１３００を示す。オペレーション１３１０は、対象者による吸入器の使用と関連する１つ以上のパラメータを算定する工程を含む。オペレーション１３２０は、対象者による吸入器の使用と関連する１つ以上のパラメータの算定に応じて、少なくとも１種の活性剤２１４を対象者に投与する工程を含む。オペレーション１３３０は、少なくとも１種の活性剤２１４の投与と連携して、少なくとも１種の刺激剤２１８を対象者に投与する工程を含む。オペレーション１３４０は、対象者と関連する１つ以上のパラメータと関連する情報を受け付ける工程を含む。オペレーション１３１０、１３２０、および１３３０は、図１０を参照して先述したオペレーション１０１０、１０２０、および１０３０に対応する。
【０１７２】
図１３、および上記方法を実施する際に使用されるオペレーションの種々の例を含む以下の説明において、上記複数の例の一つまたはそれらの組み合わせについて、および／または、他の例および状況について、考察および説明が行われる。しかしながら、複数の他の環境および状況においても、および／または、上記図面の改変された変形例においても、上記オペレーションが実施されることが理解されるべきである。また、種々のオペレーションは例示された順に提示されるが、上記種々のオペレーションの説明とは異なる別の順序で実行されてもよいし、上記種々のオペレーションは互いに同時に実行されてよいことも理解されるべきである。
【０１７３】
オペレーション１３４０は、対象者と関連する１つ以上のパラメータと関連する情報を受け付ける工程を含む。いくつかの実施形態において、システム１００を用いて、対象者と関連する１つ以上のパラメータと関連する情報を受け付けてよい。例えば、いくつかの実施形態において、ユーザインターフェース１１０は、対象者と関連する１つ以上のパラメータと関連する情報を受け付けてよい。いくつかの実施形態において、制御ユニット１０８は、対象者と関連する１つ以上のパラメータと関連する情報を受け付けてよい。いくつかの実施形態において、動作インジケータ１１６は、対象者と関連する１つ以上のパラメータと関連する情報を受け付けてよい。このように、システム１００の複数の要素が、対象者と関連する１つ以上のパラメータと関連する情報を受け付けてよい。対象者と関連する１つ以上のパラメータと関連するさまざまな種類の情報を受け付けてよい。そうした情報の例として、身長、体重、年齢、活動レベル、薬の使用、栄養補助食品の使用、心拍数、一回呼吸量、および対象者の薬服用量などが挙げられるが、これらに限られない。
【０１７４】
いくつかの実施形態において、オペレーション１３４０は、対象者と関連する１つ以上の身体パラメータと関連する情報を受け付ける工程を含む（不図示）。いくつかの実施形態において、システム１００を用いて、対象者と関連する１つ以上の身体パラメータと関連する情報を受け付けてよい。例えば、いくつかの実施形態において、ユーザインターフェース１１０を用いて、対象者と関連する１つ以上の身体パラメータと関連する情報を受け付けてよい。いくつかの実施形態において、制御ユニット１０８を用いて、対象者と関連する１つ以上の身体パラメータと関連する情報を受け付けてよい。いくつかの実施形態において、動作インジケータ１１６を用いて、対象者と関連する１つ以上の身体パラメータと関連する情報を受け付けてよい。したがって、システム１００の複数の要素を、対象者と関連する１つ以上の身体パラメータと関連する情報を受け付けるために用いてよい。対象者と関連する１つ以上の身体パラメータと関連するさまざまな種類の情報を受け付けてよい。そうした情報の例として、身長、体重、年齢、活動レベル、心拍数、および一回呼吸量などが挙げられるが、これらに限られない。
【０１７５】
いくつかの実施形態において、オペレーション１３４０は、対象者と関連する１つ以上のパラメータと関連する情報を受け付ける工程と、上記情報を１つ以上の呼吸パラメータと組み合わせて用いて、その対象者に特有の１つ以上の呼吸特性を判定する工程と、を含む（不図示）。いくつかの実施形態において、システム１００を用いて、対象者と関連する１つ以上のパラメータと関連する情報を受け付け、上記情報を１つ以上の呼吸パラメータと組み合わせて用いて、その対象者に特有の１つ以上の呼吸特性を判定してよい。いくつかの実施形態において、制御ユニット１０８を用いて、対象者と関連する１つ以上のパラメータと関連する情報を受け付け、上記情報を１つ以上の呼吸パラメータと組み合わせて用いて、その対象者に特有の１つ以上の呼吸特性を判定してよい。例えば、いくつかの実施形態において、制御ユニット１０８は、対象者と関連する総肺活量と関連する情報を受け付けてよい。また、制御ユニット１０８は、対象者が使用する吸入器と関連する１つ以上のセンサ１１４から、対象者の一回呼吸量と関連する１つ以上の算定値を含む１つ以上の信号１１２を受信してよい。続いて、制御ユニット１０８は、総肺活量および一回呼吸量を用いて、対象者に特有の残気量を計算してよい。それにより、対象者に特有のさまざまな呼吸特性を決定することができる。そのような対象者に特有の呼吸特性の例として、総肺活量、一回呼吸量、残気量、予備呼気量、予備吸入量、吸入容量、吸入肺活量、肺活量、機能的残気量、肺胞気体量、実肺活量、努力性肺活量、努力性呼気肺活量、強制呼気量、強制吸入量、最大呼気流量、および最大換気量などが挙げられるが、これらに限られない。
【０１７６】
いくつかの実施形態において、オペレーション１３４０は、対象者と関連する１つ以上のパラメータと関連する情報を受け付ける工程と、上記情報を１つ以上の投与パラメータと組み合わせて用いて、対象者に有効に投じられる活性剤２１４の量を算定する工程と、を含む（不図示）。いくつかの実施形態において、システム１００を用いて、対象者と関連する１つ以上のパラメータと関連する情報を受け付け、上記情報を１つ以上の投与パラメータと組み合わせて用いて、対象者に有効に投じられる活性剤２１４の量を算定してよい。例えば、いくつかの実施形態において、制御ユニット１０８は、対象者の総肺活量と関連する情報を受け付けてよい。また、制御ユニット１０８は、１つ以上のセンサ１１４から、対象者が使用する吸入器における１つ以上の流路１０４内を吸気サイクル中に流れた活性剤２１４の総体積および総量と関連する情報を含む１つ以上の信号を受信してもよい。続いて、制御ユニット１０８は、投与された活性剤２１４の吸入された体積および量に基づいて対象者に有効に投与された活性剤２１４の量を算定してよい。
【０１７７】
図１４は、オペレーション１４１０、オペレーション１４２０、オペレーション１４３０、およびオペレーション１４４０を含むオペレーションフロー１４００を示す。オペレーション１４１０は、対象者による吸入器の使用と関連する１つ以上のパラメータを算定する工程を含む。オペレーション１４２０は、吸入器の使用と関連する１つ以上のパラメータの算定に応じて、少なくとも１種の活性剤２１４を対象者に投与する工程を含む。オペレーション１４３０は、少なくとも１種の活性剤２１４の投与と連携して、少なくとも１種の刺激剤２１８を対象者に投与する工程を含む。オペレーション１４４０は、少なくとも１種の追加的な活性剤２１４を対象者に投与する工程を含む。オペレーション１４１０、１４２０、および１４３０は、図１０を参照して先述したオペレーション１０１０、１０２０、および１０３０に対応する。
【０１７８】
図１４、および上記方法を実施する際に使用されるオペレーションの種々の例を含む以下の説明において、上記複数の例の一つまたはそれらの組み合わせについて、および／または、他の例および状況について、考察および説明が行われる。しかしながら、複数の他の環境および状況においても、および／または、上記図面の改変された変形例においても、上記オペレーションが実施されることが理解されるべきである。また、種々のオペレーションは例示された順に提示されるが、上記種々のオペレーションの説明とは異なる別の順序で実行されてもよいし、上記種々のオペレーションは互いに同時に実行されてよいことも理解されるべきである。
【０１７９】
オペレーション１４４０は、少なくとも１種の追加的な活性剤２１４を対象者に投与する工程を含む。いくつかの実施形態において、システム１００を用いて、少なくとも１種の追加的な活性剤２１４を対象者に投与してよい。例えば、いくつかの実施形態において、制御ユニット１０８は、１つ以上のアクチュエータ１２０に命令して、１つ以上の活性剤貯蔵部２１２からの少なくとも１種の追加的な活性剤２１４の少なくとも部分的な放出を促してよい。さまざまな種類の活性剤２１４が投与されてよい。そのような活性剤２１４の例として、ステロイド、抗炎症薬、気管支拡張薬、ロイコトリエン修飾薬、長時間作用型β拮抗薬、1, 3-ジメチルキサンチン、短時間作用型β作動薬、[8-methyl-8-(1-methylethyl)-8-azoniabicyclo[3.2.1]oct-3-yl]3-hydroxy-2-phenyl-propanoate、抗体などが含まれる(例えば、以下参照。Remingtion: The Science and Practice of Pharmacy, Lippincott, Williams & Wilkins, 20th edition, Baltimore, MD., USA (2000),  Physicians' Desk Reference, Thomson PDR, 58th edition, Montvale, NJ (2004); Merck Index, Merck and Co., 13th edition., Whitehouse Station, NJ (2001);これらは、参照により本明細書に組み込まれる)が挙げられるが、これらに限られない。このように、さまざまな種類の活性剤２１４が対象者に投与されてよい。
【０１８０】
いくつかの実施形態において、オペレーション１４４０は、少なくとも１つの肺血管拡張神経薬を投与する工程を含む（不図示）。いくつかの実施形態において、システム１００を用いて、少なくとも１つの肺血管拡張神経薬を投与してよい。例えば、いくつかの実施形態において、制御ユニット１０８は、１つ以上のアクチュエータ１２０に命令して、１つ以上の活性剤貯蔵部２１２からの少なくとも１つの肺血管拡張神経薬の少なくとも部分的な放出を促してよい。肺血管拡張神経薬の例として、エンドセリン受容体アンタゴニスト（endothelin receptor antagonists）、ホスホジエステラーゼ5型（PDE-5）阻害剤（phosphodiesterase type 5 (PDE-5) inhibitors）、プロスタサイクリン誘導体（prostacyclin derivatives）、5-{（E）-（1S、5S、6R、7R）-7-ヒドロキシ-6[（E）-（3S、4RS）-3-ヒドロキシ-4-メチル-1-オクテン-6-イル]ビシクロ[3.3.0]オクタン-3-イリデン}ペンタン酸（5-{(E)-(1S,5S,6R,7R)-7-hydroxy-6[(E)-(3S,4RS)-3-hydroxy-4-methyl-1-octen-6-inyl]-bicyclo[3.3.0]octan-3-ylidene}pentanoic acid）が挙げられるが、これらに限られない。
【０１８１】
いくつかの実施形態において、オペレーション１４４０は、少なくとも１つの抗炎症薬を投与する工程を含む（不図示）。いくつかの実施形態において、システム１００を用いて、少なくとも１つの抗炎症薬を投与してよい。例えば、いくつかの実施形態において、制御ユニット１０８は、１つ以上のアクチュエータ１２０に命令して、１つ以上の活性剤貯蔵部２１２からの少なくとも１つの抗炎症薬の少なくとも部分的な放出を促してよい。抗炎症薬の例として、ジプロピオン酸ベクロメタゾン（beclomethasone dipropionate）、プロピオン酸フルチカゾン（fluticasione propionate）、フルニソリド（flunisolide）、ブデソニド（budesonide）、モメタゾン（mometasone）、シクレソニド（ciclesonide）、クロモリンナトリウム（cromolyn sodium）、およびネドクロミルナトリウム（nedocromil sodium）が挙げられるが、これらに限られない。 
【０１８２】
図１５は、オペレーション１５１０、オペレーション１５２０、オペレーション１５３０、およびオペレーション１５４０を含むオペレーションフロー１５００を示す。オペレーション１５１０は、対象者による吸入器の使用と関連する１つ以上のパラメータを算定する工程を含む。オペレーション１５２０は、吸入器の使用と関連する１つ以上のパラメータの算定に応じて、少なくとも１種の活性剤２１４を対象者に投与する工程を含む。オペレーション１５３０は、少なくとも１種の活性剤２１４の投与と連携して、少なくとも１種の刺激剤２１８を対象者に投与する工程を含む。オペレーション１５４０は、少なくとも１種の活性剤２１４を対象者に投与することと関連する１つ以上のパラメータを算定する工程を含む。オペレーション１５１０、１５２０、および１５３０は、図１０を参照して先述したオペレーション１０１０、１０２０、および１０３０に対応する。
【０１８３】
図１５、および上記方法を実施する際に使用されるオペレーションの種々の例を含む以下の説明において、上記複数の例の一つまたはそれらの組み合わせについて、および／または、他の例および状況について、考察および説明が行われる。しかしながら、複数の他の環境および状況においても、および／または、上記図面の改変された変形例においても、上記オペレーションが実施されることが理解されるべきである。また、種々のオペレーションは例示された順に提示されるが、上記種々のオペレーションの説明とは異なる別の順序で実行されてもよいし、上記種々のオペレーションは互いに同時に実行されてよいことも理解されるべきである。
【０１８４】
オペレーション１５４０は、対象者に対して少なくとも１種の活性剤２１４を投与することと関連する１つ以上のパラメータを算定する工程を含む。いくつかの実施形態において、システム１００を用いて、対象者に対して少なくとも１種の活性剤２１４を投与することと関連する１つ以上のパラメータを算定してよい。例えば、いくつかの実施形態において、光学センサ１２６を用いて、対象者が吸入器を使用するあいだの、吸入器内に配設された１つ以上の流路１０４における１種以上の活性剤２１４の流量を算定してよい。いくつかの実施形態において、速度計１３８を用いて、対象者が吸入器を使用するあいだの、吸入器内に配設された１つ以上の流路１０４における１種以上の活性剤２１４の流速を算定してよい。このように、１種以上の活性剤２１４を対象者に投与することと関連するさまざまなパラメータを決定してよい。
【０１８５】
いくつかの実施形態において、オペレーション１５４０は、少なくとも１種の活性剤２１４が対象者に対して投与された速度と関連した１つ以上のパラメータを算定する工程を含む（不図示）。いくつかの実施形態において、システム１００を用いて、少なくとも１種の活性剤２１４が対象者に対して投与された速度と関連した１つ以上のパラメータを算定してよい。例えば、いくつかの実施形態において、速度計１３８を用いて、対象者が吸入器を使用するあいだの、吸入器内に配設された１つ以上の流路１０４における１種以上の活性剤２１４の流速を算定してよい。
【０１８６】
いくつかの実施形態において、オペレーション１５４０は、少なくとも１種の活性剤２１４が対象者に投与された気体の体積と関連した１つ以上のパラメータを算定する工程を含む（不図示）。いくつかの実施形態において、システム１００を用いて、少なくとも１種の活性剤２１４が対象者に投与された気体の体積と関連した１つ以上のパラメータを算定してよい。例えば、いくつかの実施形態において、体積センサ１２８を用いて、対象者が吸入器を使用する際に吸入器内に配設された１つ以上の流路１０４に１種以上の活性剤２１４が流れる気体の体積を算定してよい。
【０１８７】
いくつかの実施形態において、オペレーション１５４０は、対象者に対して少なくとも１種の活性剤２１４を投与することと関連する期間を算定する工程を含む（不図示）。いくつかの実施形態において、システム１００を用いて、少なくとも１種の活性剤２１４を対象者に投与することと関連する期間を算定してよい。例えば、いくつかの実施形態において、タイマー１３４を用いて、対象者が吸入器を使用する際に吸入器内に配設された１つ以上の流路１０４において１種以上の活性剤２１４が投与される時間を算定してよい。
【０１８８】
いくつかの実施形態において、オペレーション１５４０は、対象者に対して投与された少なくとも１種の活性剤２１４の量を算定する工程を含む（不図示）。いくつかの実施形態において、システム１００を用いて、対象者に対して投与された少なくとも１種の活性剤２１４の量を算定してよい。いくつかの実施形態において、光学センサ１２６を用いて、対象者が使用する吸入器内に配設された１つ以上の流路１０４を流れる１種以上の活性剤２１４の量を算定してよい。いくつかの実施形態において、位相ドップラー干渉計１３６を用いて、対象者が使用する吸入器内に配設された１つ以上の流路１０４を流れる１種以上の活性剤２１４の量を算定してよい。いくつかの実施形態において、超音波流量計１４０を用いて、対象者が使用する吸入器内に配設された１つ以上の流路１０４を流れる１種以上の活性剤２１４の量を算定してよい。いくつかの実施形態において、センサ１１４は、１種以上の活性剤２１４の量と関連する１つ以上の算定値を含む１つ以上の信号１１２を制御ユニット１０８に送信してよい。制御ユニット１０８は、上記１つ以上の算定値を受信し、次に、吸入器を使用する対象者に投与された１種以上の活性剤２１４の量を決定する。
【０１８９】
いくつかの実施形態において、オペレーション１５４０は、対象者に対して投与された少なくとも１種の活性剤２１４の量を算定し、続いて、少なくとも１種の活性剤２１４があらかじめ選択された量だけ対象者に投与されるまで上記少なくとも１種の活性剤２１４の投与を繰り返す工程を含む（不図示）。いくつかの実施形態において、システム１００を用いて、対象者に対して投与された少なくとも１種の活性剤２１４の量を算定し、続いて、少なくとも１種の活性剤２１４があらかじめ選択された量だけ対象者に投与されるまで上記少なくとも１種の活性剤２１４の投与を繰り返してよい。いくつかの実施形態において、光学センサ１２６を用いて、対象者が使用する吸入器内に配設された１つ以上の流路１０４を流れる１種以上の活性剤２１４の量を算定してよい。いくつかの実施形態において、位相ドップラー干渉計１３６を用いて、対象者が使用する吸入器内に配設された１つ以上の流路１０６を流れる１種以上の活性剤２１４の量を算定してよい。いくつかの実施形態において、超音波流量計１４０を用いて、対象者が使用する吸入器内に配設された１つ以上の流路１０４を流れる１種以上の活性剤２１４の量を算定してよい。いくつかの実施形態において、センサ１１４は、１種以上の活性剤２１４の量と関連する１つ以上の算定値を含む１つ以上の信号１１２を制御ユニット１０８に送信してよい。制御ユニット１０８は、上記１つ以上の算定値を受信し、続いて、吸入器を使用する対象者に投与された１種以上の活性剤２１４の量を決定する。次に、制御ユニット１０８は、吸入器を使用する対象者に対して投与された１種以上の活性剤２１４の量を算定し、あらかじめ選択された量になるまで対象者に対して投与されるべき１種以上の活性剤２１４の追加量を決定してよい。そして、制御ユニット１０８は、１つ以上のアクチュエータ１２０に命令して、１種以上の活性剤２１４があらかじめ選択された量だけ対象者に投与されるまで、１つ以上の活性剤貯蔵部２１２からの１種以上の活性剤２１４の少なくとも部分的な放出を促してよい。
【０１９０】
図１６は、オペレーション１６１０、オペレーション１６２０、オペレーション１６３０、およびオペレーション１６４０を含むオペレーションフロー１６００を示す。オペレーション１６１０は、対象者による吸入器の使用と関連する１つ以上のパラメータを算定する工程を含む。オペレーション１６２０は、吸入器の使用と関連する１つ以上のパラメータの算定に応じて、少なくとも１種の活性剤２１４を対象者に投与する工程を含む。オペレーション１６３０は、少なくとも１種の活性剤２１４の投与と連携して、少なくとも１種の刺激剤２１８を対象者に投与する工程を含む。オペレーション１６４０は、少なくとも１種の刺激剤２１８を対象者に投与することと関連する１つ以上のパラメータを算定する工程を含む。オペレーション１６１０、１６２０、および１６３０は、図１０を参照して先述したオペレーション１０１０、１０２０、および１０３０に対応する。
【０１９１】
図１６、および上記方法を実施する際に使用されるオペレーションの種々の例を含む以下の説明において、上記複数の例の１つまたはそれらの組み合わせについて、および／または他の例および状況について、考察および説明が行われる。しかしながら、複数の他の環境および状況においても、および／または上記図面の改変された変形例においても、上記オペレーションが実施されることを理解すべきである。また、種々のオペレーションは順次説明されるが、上記種々のオペレーションの説明とは異なる別の順序で実行されてもよいし、上記種々のオペレーションは互いに同時に実行されてよいことも理解すべきである。
【０１９２】
オペレーション１６４０は、少なくとも１種の刺激剤２１８を対象者に投与することと関連する１つ以上のパラメータを算定する工程を含む。いくつかの実施形態において、システム１００を用いて、少なくとも１種の刺激剤２１８を対象者に投与することと関連する１つ以上のパラメータを算定してよい。例えば、いくつかの実施形態において、光学センサ１２６を用いて、対象者が吸入器を使用するあいだの、吸入器内に配設された１つ以上の流路１０４を流れる１種以上の刺激剤２１８の分量を算定してよい。いくつかの実施形態において、速度計１３８を用いて、対象者が吸入器を使用するあいだの、吸入器内に配設された１つ以上の流路１０４における１種以上の刺激剤２１８の流速を算定してよい。このように、１種以上の刺激剤２１８を対象者に投与することと関連するさまざまなパラメータが決定されてよい。
【０１９３】
いくつかの実施形態において、オペレーション１６４０は、少なくとも１種の刺激剤２１８が対象者に投与された速度と関連する１つ以上のパラメータを算定する工程を含む（不図示）。いくつかの実施形態において、システム１００を用いて、少なくとも１種の刺激剤２１８が対象者に投与された速度と関連する１つ以上のパラメータを算定してよい。例えば、いくつかの実施形態において、速度計１３８を用いて、対象者が吸入器を使用するあいだの、吸入器内に配設された１つ以上の流路１０４における１種以上の刺激剤２１８の流速を算定してよい。
【０１９４】
いくつかの実施形態において、オペレーション１６４０は、少なくとも１種の刺激剤２１８が対象者に投与された気体の体積と関連する１つ以上のパラメータを算定する工程を含む（不図示）。いくつかの実施形態において、システム１００を用いて、少なくとも１種の刺激剤２１８が対象者に投与された気体の体積と関連する１つ以上のパラメータを算定してよい。例えば、いくつかの実施形態において、体積センサ１２８を用いて、対象者が吸入器を使用する際に吸入器内に配設された１つ以上の流路１０４に１種以上の刺激剤２１８が流れた気体の体積を算定してよい。
【０１９５】
いくつかの実施形態において、オペレーション１６４０は、少なくとも１種の刺激剤２１８を対象者に投与することと関連する期間を算定する工程を含む（不図示）。いくつかの実施形態において、システム１００を用いて、少なくとも１種の刺激剤２１８を対象者に投与することと関連する期間を算定してよい。例えば、いくつかの実施形態において、タイマー１３４を用いて、対象者が吸入器を使用する際に吸入器内に配設された１つ以上の流路１０４において１種以上の刺激剤２１８が投与される時間を算定してよい。
【０１９６】
いくつかの実施形態において、オペレーション１６４０は、対象者に投与された少なくとも１種の刺激剤２１８の分量を算定する工程を含む（不図示）。いくつかの実施形態において、システム１００を用いて、対象者に投与された少なくとも１種の刺激剤２１８の分量を算定してよい。いくつかの実施形態において、光学センサ１２６を用いて、対象者が使用する吸入器内に配設された１つ以上の流路１０４を流れる１種以上の刺激剤２１８の分量を算定してよい。いくつかの実施形態において、位相ドップラー干渉計１３６を用いて、対象者が使用する吸入器内に配設された１つ以上の流路１０４を流れる１種以上の刺激剤２１８の分量を算定してよい。いくつかの実施形態において、超音波流量計１４０を用いて、対象者が使用する吸入器内に配設された１つ以上の流路１０４を流れる１種以上の刺激剤２１８の分量を算定してよい。いくつかの実施形態において、センサ１１４は、１種以上の刺激剤２１８の分量と関連する１つ以上の算定値を含む１つ以上の信号１１２を制御ユニット１０８に送信してよい。制御ユニット１０８は、上記１つ以上の算定値を受信し、次に、吸引器を使用する対象者に投与された１種以上の刺激剤２１８の分量を決定する。
【０１９７】
いくつかの実施形態において、オペレーション１６４０は、対象者に投与された少なくとも１種の刺激剤２１８の分量を算定し、続いて、少なくとも１種の活性剤２１４があらかじめ選択された分量だけ対象者に投与されるまで、上記少なくとも１種の刺激剤２１８の投与を繰り返す工程を含む（不図示）。いくつかの実施形態において、システム１００を用いて、対象者に投与された少なくとも１種の刺激剤２１８の分量を算定し、続いて、少なくとも１種の刺激剤２１８があらかじめ選択された分量だけ対象者に投与されるまで、上記少なくとも１種の刺激剤２１８の投与を繰り返してよい。いくつかの実施形態において、光学センサ１２６を用いて、対象者が使用する吸入器内に配設された１つ以上の流路１０４を流れる１種以上の刺激剤２１８の分量を算定してよい。いくつかの実施形態において、位相ドップラー干渉計１３６を用いて、対象者が使用する吸入器内に配設された１つ以上の流路１０６を流れる１種以上の刺激剤２１８の分量を算定してよい。いくつかの実施形態において、超音波流量計１４０を用いて、対象者が使用する吸入器内に配設された１つ以上の流路１０４を流れる１種以上の刺激剤２１８の分量を算定してよい。いくつかの実施形態において、センサ１１４は、１種以上の刺激剤２１８の分量と関連する１つ以上の算定値を含む１つ以上の信号１１２を制御ユニット１０８に送信してよい。制御ユニット１０８は、上記１つ以上の算定値を受信し、続いて、吸引器を使用する対象者に投与された１種以上の刺激剤２１８の分量を決定する。次に、制御ユニット１０８は、吸引器を使用する対象者に投与された１種以上の刺激剤２１８の分量を算定し、あらかじめ選択された分量になるまで対象者に投与されるべき１種以上の刺激剤２１８の追加量を決定してよい。そして、制御ユニット１０８は、１つ以上のアクチュエータ１２０に命令して、１種以上の刺激剤２１８があらかじめ選択された分量だけ対象者に投与されるまで、１つ以上の刺激剤貯蔵部２１６からの１種以上の刺激剤２１８の少なくとも部分的な放出を促してよい。
【０１９８】
図１７は、オペレーション１７１０、オペレーション１７２０、オペレーション１７３０、オペレーション１７４０、およびオペレーション１７５０を含むオペレーションフロー１７００を示す。オペレーション１７１０は、対象者による吸入器の使用と関連する１つ以上のパラメータを算定する工程を含む。オペレーション１７２０は、吸入器の使用と関連する１つ以上のパラメータの算定に応じて、少なくとも１種の活性剤２１４を対象者に投与する工程を含む。オペレーション１７３０は、少なくとも１種の活性剤２１４の投与と連携して、少なくとも１種の刺激剤２１８を対象者に投与する工程を含む。オペレーション１７４０は、少なくとも１種の活性剤２１４を対象者に投与することと関連する１つ以上のパラメータを算定する工程を含む。オペレーション１７５０は、少なくとも１種の活性剤２１４を対象者に投与することと関連する１つ以上のパラメータに応じて、少なくとも１種の活性剤２１４が運ばれた対象者の肺の領域における１つ以上の場所を予測する工程を含む。オペレーション１７１０、１７２０、および１７３０は、図１０を参照して先述したオペレーション１０１０、１０２０、および１０３０に対応する。オペレーション１７４０は、図１５を参照して先述したオペレーション１５４０に対応する。
【０１９９】
図１７、および上記方法を実施する際に使用されるオペレーションの種々の例を含む以下の説明において、上記複数の例の１つまたはそれらの組み合わせについて、および／または他の例および状況について、考察および説明が行われる。しかしながら、複数の他の環境および状況においても、および／または上記図面の改変された変形例においても、上記オペレーションが実施されることを理解すべきである。また、種々のオペレーションは順次説明されるが、上記種々のオペレーションの説明とは異なる別の順序で実行されてもよいし、上記種々のオペレーションは互いに同時に実行されてよいことも理解すべきである。
【０２００】
オペレーション１７５０は、少なくとも１種の活性剤２１４を対象者に投与することと関連する１つ以上のパラメータに応じて、少なくとも１種の活性剤２１４が運ばれた対象者の肺の領域における１つ以上の場所を予測する工程を含む。いくつかの実施形態において、システム１００を用いて、少なくとも１種の活性剤２１４を対象者に投与することと関連する１つ以上のパラメータに応じて、少なくとも１種の活性剤２１４が運ばれた対象者の肺の領域における１つ以上の場所を予測してよい。例えば、いくつかの実施形態において、流量センサ１２４を用いて、１種以上の活性剤２１４を投与するために吸引器を使用する対象者の吸気サイクル中に、吸入器内に配設された１つ以上の流路１０４における流量を測定してよい。流量センサ１２４は、吸入器における流量の算定値を含む１つ以上の信号を制御ユニット１０８に送信してよい。そして、制御ユニット１０８は、算定流量と吸引器を使用する対象者の総肺活量とを比較してよい。制御ユニット１０８は、続いて、算定流量と対象者の総肺活量との比較に基づいて、少なくとも１種の活性剤２１４が運ばれた対象者の肺の領域における１つ以上の場所を予測してよい。例えば、算定流量が対象者の総肺活量と同程度の場合、制御ユニット１０８は、活性剤２１４が肺深部組織に投与されたと予測してよい。一方、算定流量が対象者の総肺活量よりもはるかに少ない場合、制御ユニット１０８は、活性剤２１４が肺浅部組織に投与されたと予測してよい。
【０２０１】
いくつかの実施形態において、オペレーション１７５０は、対象者の肺の領域における１つ以上の場所に運ばれた少なくとも１種の活性剤２１４の分量を予測し、続いて、上記少なくとも１種の活性剤２１４があらかじめ選択された分量だけ対象者に投与されたと予測されるまで、上記少なくとも１種の活性剤２１４の投与を繰り返す工程を含む（不図示）。いくつかの実施形態において、システム１００を用いて、対象者の肺の領域における１つ以上の場所に運ばれた少なくとも１種の活性剤２１４の分量を予測し、続いて、上記少なくとも１種の活性剤２１４があらかじめ選択された分量だけ対象者に投与されたと予測されるまで、上記少なくとも１種の活性剤２１４の投与を繰り返してよい。例えば、いくつかの実施形態において、センサ１１４を用いて、１種以上の活性剤２１４を投与するために吸引器を使用する対象者の吸気サイクル中に、吸入器内に配設された１つ以上の流路１０４における流量および１種以上の活性剤２１４の分量を算定してよい。センサ１１４は、吸入器における流量および活性剤２１４の分量に対応する１つ以上の算定値を含む１つ以上の信号１１２を制御ユニット１０８に送信してよい。そして、制御ユニット１０８は、算定流量と吸引器を使用する対象者の総肺活量とを比較してよい。制御ユニット１０８は、続いて、算定流量と対象者の総肺活量との比較に基づいて、１種以上の活性剤２１４が運ばれた対象者の肺の領域における１つ以上の場所を予測してよい。また、制御ユニット１０８は、１種以上の活性剤２１４の算定量に基づいて、肺の領域における上記場所に運ばれた１種以上の活性剤２１４の分量を予測してよい。例えば、算定流量が対象者の総肺活量よりもはるかに少ない場合、制御ユニット１０８は、算定量の１種以上の活性剤２１４が肺浅部組織に投与されたと予測してよい。一方、算定流量が対象者の総肺活量と同程度の場合、制御ユニット１０８は、算定量の１種以上の活性剤２１４が肺の領域全体にわたって投与されたと予測してよい。そして、制御ユニット１０８は、対象者に投与される１種以上の活性剤２１４の追加量を決定するために、対象者に投与された１種以上の活性剤２１４の分量と対象者に投与されるべき１種以上の活性剤２１４のあらかじめ選択された分量とを比較してよい。制御ユニット１０８は、続いて、１つ以上のアクチュエータ１２０に命令して、１種以上の活性剤２１４があらかじめ選択された分量だけ対象者に投与されるまで、１種以上の活性剤２１４を対象者に投与するため、１つ以上の活性剤貯蔵部２１２からの少なくとも部分的な放出を促してよい。いくつかの実施形態において、制御ユニット１０８は、対象者の吸入器での吸気サイクルの選択された段階における、１つ以上の活性剤貯蔵部１２２からの少なくとも部分的な放出を促すよう１つ以上のアクチュエータ１２０に命令してよい。例えば、いくつかの実施形態において、制御ユニット１０８は、１種以上の活性剤２１４を肺の領域の肺深部組織に投与するため、吸気サイクルの初期段階において、１つ以上の活性剤貯蔵部２１２からの少なくとも部分的な放出を促すよう１つ以上のアクチュエータ１２０に命令してよい。いくつかの実施形態において、制御ユニット１０８は、１つ以上のアクチュエータ１２０に命令して、１種以上の活性剤２１４を肺の領域の肺浅部組織に投与するため、吸気サイクルの後期段階において、１つ以上の活性剤貯蔵部２１２からの少なくとも部分的な放出を促してよい。このように、いくつかの実施形態において、１種以上の活性剤２１４の分量および１種以上の活性剤２１４が投与される肺の領域における場所を制御してよい。
【０２０２】
図１８は、オペレーション１８１０、オペレーション１８２０、オペレーション１８３０、オペレーション１８４０、およびオペレーション１８５０を含むオペレーションフロー１８００を示す。オペレーション１８１０は、対象者による吸入器の使用と関連する１つ以上のパラメータを算定する工程を含む。オペレーション１８２０は、吸入器の使用と関連する１つ以上のパラメータの算定に応じて、少なくとも１種の活性剤２１４を対象者に投与する工程を含む。オペレーション１８３０は、少なくとも１種の活性剤２１４の投与と連携して、少なくとも１種の刺激剤２１８を対象者に投与する工程を含む。オペレーション１８４０は、少なくとも１種の活性剤２１４を対象者に投与することと関連する１つ以上のパラメータを算定する工程を含む。オペレーション１８５０は、少なくとも１種の活性剤２１４を対象者に投与することと関連する１つ以上のパラメータに応じて、少なくとも１種の活性剤２１４が運ばれた対象者の肺の領域における１つ以上の場所を予測する工程を含む。オペレーション１８１０、１８２０、および１８３０は、図１０を参照して先述したオペレーション１０１０、１０２０、および１０３０に対応する。オペレーション１８４０は、図１６を参照して先述したオペレーション１６４０に対応する。
【０２０３】
図１８、および上記方法を実施する際に使用されるオペレーションの種々の例を含む以下の説明において、上記複数の例の１つまたはそれらの組み合わせについて、および／または他の例および状況について、考察および説明が行われる。しかしながら、複数の他の環境および状況においても、および／または上記図面の改変された変形例においても、上記オペレーションが実施されることを理解すべきである。また、種々のオペレーションは順次説明されるが、上記種々のオペレーションの説明とは異なる別の順序で実行されてもよいし、上記種々のオペレーションは互いに同時に実行されてよいことも理解すべきである。
【０２０４】
オペレーション１８５０は、少なくとも１種の刺激剤２１８を対象者に投与することと関連する１つ以上のパラメータに応じて、少なくとも１種の刺激剤２１８が運ばれた対象者の肺の領域における１つ以上の場所を予測する工程を含む。いくつかの実施形態において、システム１００を用いて、少なくとも１種の刺激剤２１８を対象者に投与することと関連する１つ以上のパラメータに応じて、少なくとも１種の刺激剤２１８が運ばれた対象者の肺の領域における１つ以上の場所を予測するために使用されてよい。例えば、いくつかの実施形態において、流量センサ１２４を用いて、１種以上の刺激剤２１８を投与するために吸引器を使用する対象者の吸気サイクル中に、吸入器内に配設された１つ以上の流路１０４における流量を測定してよい。流量センサ１２４は、吸入器における流量の算定値を含む１つ以上の信号を制御ユニット１０８に送信してよい。そして、制御ユニット１０８は、算定流量と吸引器を使用する対象者の総肺活量とを比較してよい。制御ユニット１０８は、続いて、算定流量と対象者の総肺活量との比較に基づいて、少なくとも１種の刺激剤２１８が運ばれた対象者の肺の領域における１つ以上の場所を予測してよい。例えば、算定流量が対象者の総肺活量と同程度の場合、制御ユニット１０８は、刺激剤２１８が肺深部組織に投与されたと予測してよい。一方、算定流量が対象者の総肺活量よりもはるかに少ない場合、制御ユニット１０８は、刺激剤２１８が肺浅部組織に投与されたと予測してよい。
【０２０５】
いくつかの実施形態において、オペレーション１８５０は、対象者の肺の領域における１つ以上の場所に運ばれた少なくとも１種の刺激剤２１８の分量を予測し、続いて、上記少なくとも１種の刺激剤２１８があらかじめ選択された分量だけ対象者に投与されたと予測されるまで、上記少なくとも１種の刺激剤２１８の投与を繰り返す工程を含む（不図示）。いくつかの実施形態において、システム１００を用いて、対象者の肺の領域における１つ以上の場所に運ばれた少なくとも１種の刺激剤２１８の分量を予測し、続いて、上記少なくとも１種の刺激剤２１８があらかじめ選択された分量だけ対象者に投与されたと予測されるまで、上記少なくとも１種の刺激剤２１８の投与を繰り返してよい。例えば、いくつかの実施形態において、センサ１１４を用いて、１種以上の刺激剤２１８を投与するために吸引器を使用する対象者の吸気サイクル中に、吸入器内に配設された１つ以上の流路１０４における流量および１種以上の刺激剤２１８の分量を算定してよい。センサ１１４は、吸入器における流量および刺激剤２１８の分量に対応する１つ以上の算定値を含む１つ以上の信号１１２を制御ユニット１０８に送信してよい。そして、制御ユニット１０８は、算定流量と吸引器を使用する対象者の総肺活量とを比較してよい。制御ユニット１０８は、続いて、算定流量と対象者の総肺活量との比較に基づいて、１種以上の刺激剤２１８が運ばれた対象者の肺の領域における１つ以上の場所を予測してよい。また、制御ユニット１０８は、１種以上の刺激剤２１８の算定量に基づいて、肺の領域における上記場所に運ばれた１種以上の刺激剤２１８の分量を予測してよい。例えば、算定流量が対象者の総肺活量よりもはるかに少ない場合、制御ユニット１０８は、算定量の１種以上の刺激剤２１８が肺浅部組織に投与されたと予測してよい。一方、算定流量が対象者の総肺活量と同程度の場合、制御ユニット１０８は、算定量の１種以上の刺激剤２１８が肺の領域全体にわたって投与されたと予測してよい。そして、制御ユニット１０８は、対象者に投与される１種以上の刺激剤２１８の追加量を決定するために、対象者に投与された１種以上の刺激剤２１８の分量と対象者に投与されるべき１種以上の刺激剤２１８のあらかじめ選択された分量とを比較してよい。制御ユニット１０８は、続いて、１つ以上のアクチュエータ１２０に命令して、１種以上の刺激剤２１８があらかじめ選択された分量だけ対象者に投与されるまで、１種以上の刺激剤２１８を対象者に投与するため、１つ以上の活性剤貯蔵部２１６からの少なくとも部分的な放出を促してよい。いくつかの実施形態において、制御ユニット１０８は、１つ以上のアクチュエータ１２０に命令して、対象者の吸入器での吸気サイクルの選択された段階における、１つ以上の活性剤貯蔵部２１６からの少なくとも部分的な放出を促してよい。例えば、いくつかの実施形態において、制御ユニット１０８は、１つ以上のアクチュエータ１２０に命令して、１種以上の刺激剤２１８を肺の領域の肺深部組織に投与するため、吸気サイクルの初期段階において、１つ以上の活性剤貯蔵部２１６からの少なくとも部分的な放出を促してよい。いくつかの実施形態において、制御ユニット１０８は、１つ以上のアクチュエータ１２０に命令して、１種以上の刺激剤２１８を肺の領域の肺浅部組織に投与するため、吸気サイクルの後期段階において、１つ以上の活性剤貯蔵部２１６からの少なくとも部分的な放出を促してよい。このように、いくつかの実施形態において、１種以上の刺激剤２１８の分量および１種以上の刺激剤２１８が投与される肺の領域における場所を制御してよい。
【０２０６】
いくつかの実施形態において、吸入器を制御するために、演算装置でコンピュータ処理を実行するコンピュータプログラムを含むシステムを使用してよい。いくつかの実施形態において、そのようなシステムは、非一時的信号保持媒体を備えており、上記非一時的信号保持媒体は、１つ以上の処理要素で実行されると複数のオペレーションの実施を命令する１つ以上の指示を保持し、上記複数のオペレーションは、少なくとも、対象者による吸入器の使用と関連する１つ以上のパラメータを算定することと、吸入器の使用と関連する１つ以上のパラメータを算定することに応じて、少なくとも１種の活性剤を上記対象者に投与することと、上記少なくとも１種の活性剤の投与と連携して、上記少なくとも１種の刺激剤を対象者に投与することと、を含む。
【０２０７】
いくつかの実施形態において、上記非一時的信号保持媒体は、１つ以上の呼吸パラメータと関連する算定値と上記１つ以上の呼吸パラメータと関連する１つ以上のレベルとの比較を表示することを少なくとも含むオペレーションの実施を命令する１つ以上の指示をさらに含んでよい。
【０２０８】
いくつかの実施形態において、上記非一時的信号保持媒体は、対象者に指示して、１つ以上の呼吸パラメータと関連する１つ以上の値を達成させることを少なくとも含むオペレーションの実施を命令する１つ以上の指示をさらに含んでよい。
【０２０９】
いくつかの実施形態において、上記非一時的信号保持媒体は、対象者と関連する１つ以上のパラメータと関連する情報を受け付けることを少なくとも含むオペレーションの実施を命令する１つ以上の指示をさらに含んでよい。
【０２１０】
いくつかの実施形態において、上記非一時的信号保持媒体は、少なくとも１種の活性剤を対象者に投与することと関連する１つ以上のパラメータを算定することを少なくとも含むオペレーションの実施を命令する１つ以上の指示をさらに含んでよい。
【０２１１】
いくつかの実施形態において、上記非一時的信号保持媒体は、少なくとも１種の刺激剤を対象者に投与することと関連する１つ以上のパラメータを算定することを少なくとも含むオペレーションの実施を命令する１つ以上の指示をさらに含んでよい。
【０２１２】
いくつかの実施形態において、上記非一時的信号保持媒体は、少なくとも１種の活性剤を対象者に投与することと関連する１つ以上のパラメータに応じて、少なくとも１種の活性剤が運ばれた対象者の肺の領域における１つ以上の場所を予測することを少なくとも含むオペレーションの実施を命令する１つ以上の指示をさらに含んでよい。
【０２１３】
いくつかの実施形態において、上記非一時的信号保持媒体は、少なくとも１種の刺激剤を対象者に投与することと関連する１つ以上のパラメータに応じて、少なくとも１種の刺激剤が運ばれた対象者の肺の領域における１つ以上の場所を予測することを少なくとも含むオペレーションの実施を命令する１つ以上の指示をさらに含んでよい。
【０２１４】
上記１つ以上の指示は、例えば、コンピュータで実行可能な指示および／または論理回路により実施された指示であってよい。いくつかの実施形態において、非一時的信号保持媒体は、コンピュータ読み取り可能な媒体を含んでよい。いくつかの実施形態において、上記非一時的信号保持媒体は、記録媒体を含んでよい。いくつかの実施形態において、上記非一時的信号保持媒体は、通信媒体を含んでよい。
【０２１５】
当業者は、本明細書に記載された要素（例えば、オペレーション）、装置、目的、およびそれらに付随する説明が概念的明確性のための例として使用されていること、および種々の構成修正が考慮されていることを認識するであろう。したがって、本明細書で使用されているように、説明した特定の事例および付随する説明は、より一般的な種類の代表的なものであることを意図している。概して、任意の特定の事例の使用は、その種類の代表的なものであることを意図しており、特定の要素（例えば、オペレーション）、装置、および目的が含まれていないことにより、限定されるものではない。
【０２１６】
本明細書における実質的にいかなる複数および／または単数の用語の使用についても、当業者は、状況および／または適用に適当であるかに応じて、複数から単数および／または単数から複数に変換することができる。種々の単数と複数の置換については、理解しやすいように本明細書では明記していない。
【０２１７】
場合により、本明細書において、１つ以上の要素は、「〜するよう構成される」、「〜により構成される」、「〜に設定可能な」、「〜動作可能な／動作する」、「〜に適応する／適応可能な」、「〜可能な」、「〜に適合可能な／適合する」等と記載されてよい。当業者は、このような用語（例えば、「〜するよう構成される」）が、状況に反する場合を除いて、通常、作動状態の要素および／または非作動状態の要素および／または待機状態の要素を含むことを認識するであろう。
【０２１８】
本明細書に記載された発明の特定の態様を示して説明したが、本明細書に記載された発明およびそのより広範な態様から逸脱することなく、本明細書の記載に基づいて、変更や修正を実施してよいこと、したがって、添付の請求項の範囲において、そのような変更や修正はすべて本明細書に記載された発明の真の精神および範囲に含まれることは、当業者には明らかであろう。当業者は、通常、本明細書で使用される用語、特に添付の請求項で使用される用語（例えば、添付の請求項の本文）は、通常「オープンな」用語を意図している（例えば、「〜を含んでいる」は「これに限定されないが、〜を含んでいる」として、「〜を有する」は「少なくとも〜を有する」として、「〜を含む」は「これに限定されないが、〜を含む」として、それぞれ解釈されるべきである等）ことを理解するであろう。さらに当業者は、特定の数が記載された請求項の記載を意図している場合は、その意図が当該請求項に明示され、そのような記載がない場合は、その意図がないことを理解するであろう。例えば、理解しやすいように添付の請求項において、「少なくとも１つ」および「１つ以上の」という導入語を使用して請求項の記載を始めてよい。ただし、そのような語の使用は、同じ請求項が、「１つ以上の」または「少なくとも１つ」の導入語および“a”または“an”等の不定冠詞を含む場合（例えば、通常、“a”および／または“an”は、「少なくとも１つ」または「１つ以上の」を意味すると解釈すべきである）であっても、不定冠詞“a”または“an”により請求項の記載を始めることにより、そのように始まる請求項の記載を含む任意の特定の請求項が、そのような記載を１つのみ含む請求項に限定されることを意味すると解釈されるべきではない。さらに、特定の数が記載された請求項の記載が明示されている場合であっても、当業者は、そのような記載が、通常、少なくとも記載された数を意味する（例えば、他の修飾語のない「二つの記載」のみの記載は、通常、少なくとも二つの記載、または二つ以上の記載を意味する）と解釈されるべきであることを認識するであろう。さらに、「Ａ、Ｂ、およびＣ等の少なくとも１つ」に類似する表記が使用される場合、通常、そのような表記は、当業者が理解するであろう表記の意味を意図している（例えば、「Ａ、Ｂ、およびＣの少なくとも１つを有するシステム」は、これに限定されないが、Ａのみ、Ｂのみ、Ｃのみ、ＡとＢ両方、ＡとＣ両方、ＢとＣ両方、および／またはＡ、Ｂ、およびＣすべて、等を有するシステムを含む）。「Ａ、Ｂ、またはＣ等の少なくとも１つ」に類似する表記が使用される場合、通常、そのような表記は、当業者が理解するであろう表記の意味を意図している（例えば、「Ａ、Ｂ、またはＣの少なくとも１つを有するシステム」は、これに限定されないが、Ａのみ、Ｂのみ、Ｃのみ、ＡとＢ両方、ＡとＣ両方、ＢとＣ両方、および／またはＡ、Ｂ、およびＣすべて、等を有するシステムを含む）。さらに当業者は、通常、明細書、請求項、または図面において、二つ以上の代替語を提示する離接語および／または離接句は、状況に反する場合を除いて、代替語の１つ、代替語の一方、代替語の両方を含む可能性が考慮されていることを理解すべきであることを理解するであろう。例えば、通常、「ＡまたはＢ」は、「Ａ」または「Ｂ」または「ＡおよびＢ」の可能性を含むと理解するであろう。
【０２１９】
添付の請求項について、当業者は、本明細書に記載されたオペレーションは通常、任意の順序で実施してよいことを理解するだろう。また、種々のオペレーションフローは順次説明されるが、上記種々のオペレーションの説明とは異なる別の順序で実行されてもよいし、上記種々のオペレーションは互いに同時に実行されてよいことも理解すべきである。そのような別の順序付けの例として、状況に反する場合を除いて、重複、交互、中断、並べ替え、漸増的、予備、補足的、同時、逆、または他の異なる順序付けを含んでよい。また、「〜に応じて」、「〜と関連する」、または他の過去形の形容詞は、状況に反する場合を除いて、通常そのような変形を排除するものではない。
【０２２０】
当業者は、最先端技術が、システムの態様のハードウェア、ソフトウェア、および／またはファームウェア実装間の差異がほぼない程度まで発展しており、ハードウェア、ソフトウェア、および／またはファームウェアの使用は通常（必ずしも限定されないが、特定の状況において、ハードウェアとソフトウェア間の選択が重要になり得る点において）、費用と効率の兼ね合いを示す設計上の選択であることを認識するであろう。当業者は、本明細書に記載の処理および／またはシステムおよび／または他の技術を実行可能な種々の手段（例えば、ハードウェア、ソフトウェア、および／またはファームウェア）があること、および、望ましい手段は、当該処理および／またはシステムおよび／または他の技術が含まれる状況によって異なることを理解するであろう。例えば、実装者が速度と正確性が最も重要であると判断した場合は、実装者は、主にハードウェアおよび／またはファームウェア手段を選択してよい。あるいは、柔軟性が最も重要な場合は、実装者は、主にソフトウェア実装を選択してよい。あるいは、実装者は、米国特許法１０１条で特許を受けることができる発明に限定された、１つ以上の機械、組成物、および製造物におけるハードウェア、ソフトウェア、および／またはファームウェアのいずれかの組み合わせを選択してよい。したがって、本明細書に記載の処理および／または装置および／または他の技術を実行可能な手段はいくつか考えられるが、利用される任意の手段は、いずれも異なっていてよいが、当該手段が含まれる状況および実装者の特定の関心事（例えば、速度、柔軟性、または予測可能性）に依存する選択であるため、いずれも本質的に他より優れているものではない。当業者は、実装の光学的な態様では通常、光学的に指向された（optically-oriented）ハードウェア、ソフトウェア、および／またはファームウェアが採用されることを認識するであろう。
【０２２１】
本明細書に記載のいくつかの実装において、論理回路および類似の実装は、コンピュータプログラムまたは他の制御構造を含んでよい。電子回路は、例えば、本明細書に記載されたように種々の機能を実施するよう構成、配置された１つ以上の電流路を含んでよい。いくつかの実装において、１つ以上の媒体は、その媒体が、本明細書に記載されたように実施するために動作可能な、装置検出可能な指示を保持または送信する際に、装置検出可能な実装を保持するよう構成されてよい。いくつかの変形例において、例えば、実装は、本明細書に記載の１つ以上のオペレーションと関連する１つ以上の指示の受信または送信を行う等により、既存のソフトウェアまたはファームウェア、またはゲートウェイまたはプログラミング可能なハードウェアの更新または修正を含んでよい。代わりに、または、加えて、いくつかの変形例において、実装は、専用ハードウェア、ソフトウェア、ファームウェア要素、および／または専用要素を実行するまたは呼び出す汎用要素を含んでよい。仕様または他の実装は、本明細書に記載されたように、具体的な送信媒体の１つ以上の具体例によって、任意でパケット送信によって、またはいろいろな場合に配布される媒体を介して、送信されてよい。
【０２２２】
代わりに、または、加えて、実装は、本明細書に記載の任意の機能的オペレーションが実際に１つ以上発生することを可能にする、誘発する、調整する、要求する、または引き起こすための、専用の命令シーケンスを実行する工程、または、回路を呼び出す工程を含んでよい。いくつかの変形例において、本明細書における操作上または他の論理の記載（operational or other logical descriptions）は、ソースコードとして表記されてもよく、実行可能な命令シーケンスとしてコンパイルまたは呼び出されてもよい。いくつかの状況において、例えば、実装は、全体的または部分的にC++等のソースコード、または他のコードシーケンスによって提供されてよい。他の実装において、ソースコードまたは他のコード実装は、市販および／または当該分野の技術を使用して、高度記述言語（例えば、最初に、CまたはC++プログラミング言語で記述された技術を実施し、その後、プログラミング言語実装を論理合成可能言語実装、ハードウェア記述言語実装、ハードウェア設計シミュレーション、および／または他の類似する表現方法に変換する）にコンパイル、実施、翻訳、変換されてよい。例えば、論理表現（例えば、コンピュータプログラミング言語実装）の一部または全部は、Verilogハードウェア記述（例えば、ハードウェア記述言語（ＨＤＬ）および／または超高速集積回路ハードウェア記述言語（ＶＨＤＬ）を介して行われる）またはハードウェアを有する物理的実装を作成するために使用してよい他の回路モデル（例えば、特定用途向け集積回路）としてよい。当業者は、これらの記載に基づいて、適した送信または計算要素、マテリアル供給、アクチュエータ、または他の構成を得る方法、構成する方法、および最適化する方法を認識するであろう。
【０２２３】
上記の詳細な記載では、ブロック図、フローチャート、および／または例を使用して装置および／またはプロセスの種々の実施形態を説明した。ブロック図、フローチャート、および／または例が１つ以上の機能および／またはオペレーションを含む場合、当業者は、そのようなブロック図、フローチャート、または例における各機能および／またはオペレーションを、個別および／または一括で、米国特許法１０１条で特許を受けることができる発明に限定された、幅広いハードウェア、ソフトウェア、ファームウェア、またはその実質的に任意の組み合わせにより、実施できることを理解するであろう。実施形態において、本明細書に記載された発明の一部は、特定用途向け集積回路（ＡＳＩＣ）、フィールドプログラマブルゲートアレイ（ＦＰＧＡ）、デジタル信号プロセッサ（ＤＳＰ）、または他の統合フォーマットを介して実施してよい。しかしながら、当業者は、本明細書に開示された実施形態のいくつかの態様は、全体的または部分的に、集積回路において、米国特許法１０１条で特許を受けることができる発明に限定された、１つ以上のコンピュータで実行される１つ以上のコンピュータプログラムとして（例えば、１つ以上のコンピュータシステムで実行される１つ以上のプログラムとして）、１つ以上のプロセッサで実行される１つ以上のプログラムとして（例えば、１つ以上のマイクロプロセッサで実行される１つ以上のプログラムとして）、ファームウェアとして、またはその実質的に任意の組み合わせとして同等に実施できること、および回路の設計および／またはソフトウェアおよび／またはファームウェアのコードの記述は、本開示に基づいて当業者が対応可能であることを認識するであろう。さらに、当業者は、本明細書に記載された発明の機構をさまざまなプログラム製品として配布できること、および実際に配布を実施するのに使用される特定の種類の信号保持媒体にかかわらず、本明細書に記載された発明の実施形態が適用されることを理解するであろう。信号保持媒体の例として、フロッピー（登録商標）ディスク、ハードディスクドライブ、コンパクトディスク（ＣＤ）、デジタルビデオディスク（ＤＶＤ）、デジタルテープ、コンピュータメモリ等の記録可能媒体、およびデジタルおよび／またはアナログ通信媒体（例えば、光ファイバーケーブル、導波管、有線通信リンク、無線通信リンク（例えば、送信機、受信機、送信論理、受信論理等）等）等の送信媒体が挙げられるが、これらに限られない。
【０２２４】
一般的な意味において、当業者は、本明細書に記載の種々の実施形態は、個別および／または一括で、米国特許法１０１条で特許を受けることができる発明に限定された、ハードウェア、ソフトウェア、ファームウェア、および／またはその実質的に任意の組み合わせ等の幅広い電気的要素を有する種々の医療用電気システムによって、および剛体、ばねまたはねじれ体、水力学、医療用電気機器および／またはその実質的に任意の組み合わせ等の機械力または機械運動を付与する幅広い要素によって実施可能であることを認識するであろう。その結果、本明細書で使用される「医療用電気システム」は、変換器（例えば、アクチュエータ、モータ、圧電結晶、微小電気機械システム（ＭＥＭＳ）等）と動作可能に連結された電気回路、少なくとも１つの個別の電気回路を有する電気回路、少なくとも１つの集積回路を有する電気回路、少なくとも１つの特定用途向け集積回路を有する電気回路、コンピュータプログラムにより構成される汎用演算装置（例えば、本明細書に記載の処理および／または装置を少なくとも部分的に実行するコンピュータプログラムにより構成される汎用コンピュータ、または、本明細書に記載の処理および／または装置を少なくとも部分的に実行するコンピュータプログラムにより構成されるマイクロプロセッサ）を形成する電気回路、記憶装置（例えば、メモリ形態（例えば、ランダムアクセスメモリ、フラッシュメモリ、読み取り専用メモリ等））を形成する電気回路、通信装置（例えば、モデム、通信スイッチ、光学電気機器等）、および／または光学的アナログまたは他のアナログ（例えば、グラフェンベースの回路）等の任意の非電気的アナログを形成する電気回路を含むが、これらに限られない。当業者は、医療用電気システムの例として、さまざまな家電システム、医療機器、および、電動輸送システム、ファクトリーオートメーションシステム、セキュリティシステム、および／または通信／演算システム等の他のシステムが挙げられるが、これらに限られないことも理解するであろう。当業者は、本明細書で使用される医療用電気システムは、状況に反する場合を除いて、必ずしも電気的作動および機械的作動の両方を備えるシステムに限定されないことを認識するであろう。
【０２２５】
一般的な意味において、当業者は、本明細書に記載の実施可能な種々の態様は、個別および／または一括で、幅広いハードウェア、ソフトウェア、ファームウェア、および／またはその任意の組み合わせにより、種々の「電気回路」からなると見なしてよいことを認識するであろう。その結果、本明細書で使用される「電気回路」は、少なくとも１つの個別の電気回路を有する電気回路、少なくとも１つの集積回路を有する電気回路、少なくとも１つの特定用途向け集積回路を有する電気回路、コンピュータプログラムにより構成される汎用演算装置（例えば、本明細書に記載の処理および／または装置を少なくとも部分的に実行するコンピュータプログラムにより構成される汎用コンピュータ、または、本明細書に記載の処理および／または装置を少なくとも部分的に実行するコンピュータプログラムにより構成されるマイクロプロセッサ）を形成する電気回路、記憶装置（例えば、メモリ形態（例えば、ランダムアクセスメモリ、フラッシュメモリ、読み取り専用メモリ等））を形成する電気回路、および／または通信装置（例えば、モデム、通信スイッチ、光学電気機器等）を形成する電気回路を含むが、これらに限られない。当業者は、本明細書に記載の発明は、アナログまたはデジタル方式、またはその組み合わせで実施してよいことを理解するであろう。
【０２２６】
当業者は、本明細書に記載の装置および／または処理の少なくとも一部は、画像処理システムに組み込むことができることを認識するであろう。当業者は、代表的な画像処理システムは、通常、１つ以上のシステムユニット筐体、映像表示装置、揮発性または不揮発性メモリ等のメモリ、マイクロプロセッサまたはデジタル信号プロセッサ等のプロセッサ、オペレーティングシステム、ドライバ、アプリケーションプログラム等のコンピュータエンティティ、１つ以上の相互作用装置（例えば、タッチパッド、タッチスクリーン、アンテナ等）、フィードバックループおよび制御モータ（例えば、レンズ位置および／または速度を検出するためのフィードバック、所望のフォーカスにするためにレンズを移動または歪曲するための制御モータ）を含む制御システムを含むことを認識するであろう。画像処理システムは、デジタル静止システムおよび／またはデジタル動作システムに一般的に見られるような、適切な市販の要素を使用して実施してよい。
【０２２７】
当業者は、本明細書に記載の装置および／または処理の少なくとも一部は、データ処理システムに組み込むことができることを認識するであろう。当業者は、代表的なデータ処理システムは、通常、１つ以上のシステムユニット筐体、映像表示装置、揮発性または不揮発性メモリ等のメモリ、マイクロプロセッサまたはデジタル信号プロセッサ等のプロセッサ、オペレーティングシステム、ドライバ、グラフィカルユーザインターフェース、アプリケーションプログラム等のコンピュータエンティティ、１つ以上の相互作用装置（例えば、タッチパッド、タッチスクリーン、アンテナ等）、および／またはフィードバックループおよび制御モータ（例えば、レンズ位置および／または速度を検出するためのフィードバック、要素および／または分量を移動および／または調整するための制御モータ）を含む制御システムを含むことを認識するであろう。データ処理システムは、データ演算／通信システムおよび／またはネットワーク演算／通信システムに一般的に見られるような、適切な市販の要素を使用して実施してよい。
【０２２８】
本明細書に記載の発明は、異なる要素に含まれる、または異なる要素に接続された異なる他の要素を説明している場合がある。そのように記載された構造は単に事例であること、および実際は同じ機能を実現する他の構造が実施されてよいことが理解されるべきである。概念的な意味において、同じ機能を実現するための要素の任意の構成は、所望の機能が実現されるよう効果的に「関連付け」られる。したがって、特定の機能を実現するために本明細書で組み合わされる任意の二つの要素は、構造や媒介要素にかかわらず、所望の機能を実現するよう互いに「関連付けられる」と捉えることができる。同様に、そのように関連付けられる任意の二つの要素は、所望の機能を実現するために互いに「動作可能に接続された」または「動作可能に連結された」と捉えることができ、そのように関連付けが可能な二つの要素は、所望の機能を実現するために互いに「動作可能に連結可能である」と捉えることもできる。動作可能に連結可能な要素の具体例として、物理的に接合可能なおよび／または物理的に相互作用する要素、および／または無線で交信可能なおよび／または無線で交信する要素、および／または論理交信するおよび／または論理交信可能な要素が挙げられるが、これらに限られない。
【０２２９】
本明細書で引用したすべての出版物、特許、および特許出願は、参照により本明細書に含まれる。上述の明細書は、一部の諸実施形態と関連して記載され、多くの詳細が説明目的で記載されている。しかしながら、本発明には実施形態を追加する余地があること、および、本明細書に記載の詳細の一部が、本発明の基本原理から逸脱することなく、大幅に変更可能であることは、当業者には明らかであろう。
【０２３０】
本明細書には種々の態様および実施形態が開示されているが、当業者には他の態様および実施形態が明らかであろう。本明細書に開示された上記種々の態様および実施形態は、説明のために記載されたものであり、限定的なものではない。本発明の真の範囲および精神は、以下の請求項により示される。
【図面の簡単な説明】
【０２３１】
【図１】諸実施形態を実施しうるシステム１００の一例を示す図である。
【図２】諸実施形態を実施しうるシステム１００の諸要素の例を示す図である。
【図３】諸実施形態を実施しうるシステム１００の諸要素の例を示す図である。
【図４】諸実施形態を実施しうる吸入器４００の一例の部分側面断面図である。
【図４Ａ】諸実施形態を実施しうる吸入器４００の一例の部分側面断面図である。
【図４Ｂ】諸実施形態を実施しうる吸入器４００の一例の部分側面断面図である。
【図５】諸実施形態を実施しうる吸入器５００の一例の部分側面断面図である。
【図６】諸実施形態を実施しうる吸入器６００の一例の部分側面断面図である。
【図６Ａ】諸実施形態を実施しうる吸入器６００の一例の部分側面断面図である。
【図６Ｂ】諸実施形態を実施しうる吸入器６００の一例の部分側面断面図である。
【図７】諸実施形態を実施しうる吸入器７００の一例の部分側面断面図である。
【図７Ａ】諸実施形態を実施しうる吸入器７００の一例の部分側面断面図である。
【図７Ｂ】諸実施形態を実施しうる吸入器７００の一例の部分側面断面図である。
【図８】諸実施形態を実施しうる吸入器８００の一例の部分側面断面図である。
【図８Ａ】諸実施形態を実施しうる吸入器８００の一例の部分側面断面図である。
【図９】諸実施形態を実施しうる吸入器９００の一例の部分側面断面図である。
【図９Ａ】諸実施形態を実施しうる吸入器９００の一例の部分側面断面図である。
【図９Ｂ】諸実施形態を実施しうる吸入器９００の一例の部分側面断面図である。
【図１０】諸実施形態を実施しうるオペレーションフロー１０００の一例を示す図である。
【図１１】諸実施形態を実施しうるオペレーションフロー１１００の一例を示す図である。
【図１２】諸実施形態を実施しうるオペレーションフロー１２００の一例を示す図である。
【図１３】諸実施形態を実施しうるオペレーションフロー１３００の一例を示す図である。
【図１４】諸実施形態を実施しうるオペレーションフロー１４００の一例を示す図である。
【図１５】諸実施形態を実施しうるオペレーションフロー１５００の一例を示す図である。
【図１６】諸実施形態を実施しうるオペレーションフロー１６００の一例を示す図である。
【図１７】諸実施形態を実施しうるオペレーションフロー１７００の一例を示す図である。
【図１８】諸実施形態を実施しうるオペレーションフロー１８００の一例を示す図である。
【図１】
2017523862.tif 000003
【図２】
2017523862.tif 000004
【図３】
2017523862.tif 000005
【図４】
2017523862.tif 000006
【図４Ａ】
2017523862.tif 000007
【図４Ｂ】
2017523862.tif 000008
【図５】
2017523862.tif 000009
【図６】
2017523862.tif 000010
【図６Ａ】
2017523862.tif 000011
【図６Ｂ】
2017523862.tif 000012
【図７】
2017523862.tif 000013
【図７Ａ】
2017523862.tif 000014
【図７Ｂ】
2017523862.tif 000015
【図８】
2017523862.tif 000016
【図８Ａ】
2017523862.tif 000017
【図９】
2017523862.tif 000018
【図９Ａ】
2017523862.tif 000019
【図９Ｂ】
2017523862.tif 000020
【図１０】
2017523862.tif 000021
【図１１】
2017523862.tif 000022
【図１２】
2017523862.tif 000023
【図１３】
2017523862.tif 000024
【図１４】
2017523862.tif 000025
【図１５】
2017523862.tif 000026
【図１６】
2017523862.tif 000027
【図１７】
2017523862.tif 000028
【図１８】
2017523862.tif 000029
【国際調査報告】
2017523862.tif 000030
2017523862.tif 000031
2017523862.tif 000032